(57)【要約】  本発明の実施例は、チャンネル状態情報の伝送方法及び装置を提供し、該方法は、第１の端末機器がネットワーク機器から送信された下りリンク制御情報ＤＣＩを受信することと、前記第１の端末機器が前記ＤＣＩによってＣＳＩをレポートするか否かを決定することと、前記第１の端末機器がＣＳＩをレポートすると決定する場合、前記第１の端末機器が前記ネットワーク機器に前記第１の端末機器のＣＳＩを送信することと、を含み、ネットワーク機器から送信されたＤＣＩによって第１の端末機器をトリガーしてＣＳＩをレポートし、さらに端末機器が自身のＣＳＩをレポートすることを可能にする。
2019533926.tif 000002
【特許請求の範囲】
【請求項１】
チャンネル状態情報ＣＳＩの伝送方法であって、
第１の端末機器がネットワーク機器から送信された下りリンク制御情報ＤＣＩを受信することと、
前記第１の端末機器が前記ＤＣＩによってＣＳＩをレポートするか否かを決定することと、
前記第１の端末機器がＣＳＩをレポートすると決定する場合、前記第１の端末機器が前記ネットワーク機器に前記第１の端末機器のＣＳＩを送信することと、
を含むことを特徴とするチャンネル状態情報ＣＳＩの伝送方法。
【請求項２】
前記ＤＣＩは、前記第１の端末機器を含む複数の端末機器における各端末機器がＣＳＩをレポートするか否かを指示することに用いられることを特徴とする請求項１に記載の方法。
【請求項３】
前記ＤＣＩは、
前記第１の端末機器を含む複数の端末機器における各端末機器がＣＳＩをレポートするか否かを指示するためのビットを含むＣＳＩレポート用のトリガービットシーケンス、
前記第１の端末機器がＣＳＩをレポートする回数を指示するためのＣＳＩのレポート回数情報、
前記第１の端末機器がＣＳＩをレポートする持続時間長さを指示するためのＣＳＩのレポート時間長さ情報、
前記第１の端末機器がＣＳＩをレポートするための物理リソースを指示するためのＣＳＩレポート用の物理リソース配置情報、
前記第１の端末機器がＣＳＩを測定するためのリソースを指示するためのＣＳＩ測定用のリソース配置情報、
前記第１の端末機器がＣＳＩをレポートするための変調符号化方式を指示するためのＣＳＩ伝送用の変調符号化方式ＭＣＳ指示情報、
前記ネットワーク機器から前記第１の端末機器に下りリンクデータを送信するための伝送方式を指示するための伝送方式仮定情報、
前記第１の端末機器がＣＳＩをレポートするタイプを指示するためのＣＳＩのレポートタイプ情報、
前記第１の端末機器がＣＳＩを測定及びレポートするためのコードブックを指示するためのコードブック指示情報、
前記第１の端末機器がＣＳＩを測定及びレポートするためのコードワードを指示するためのコードブックサブセット制約情報
の少なくとも１つを含むことを特徴とする請求項１又は２に記載の方法。
【請求項４】
前記ＣＳＩレポート用のトリガービットシーケンスに複数のビットが含まれる場合、前記ＣＳＩレポート用のトリガービットシーケンスにおける各ビットは、前記複数の端末機器における１つの端末機器がＣＳＩをレポートするか否かを指示することに用いられることを特徴とする請求項３に記載の方法。
【請求項５】
前記ＣＳＩレポート用の物理リソース配置情報は具体的に、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられることを特徴とする請求項３又は４に記載の方法。
【請求項６】
前記ＣＳＩレポート用の物理リソース配置情報は、前記第１の端末機器がＣＳＩをレポートするための周波数領域リソース及び／又は時間領域リソースを指示することに用いられることを特徴とする請求項３乃至５のいずれか１項に記載の方法。
【請求項７】
前記ＣＳＩ測定用のリソース配置情報は、ＣＳＩプロセス、下りリンクパイロットのリソース配置情報及び干渉測定用のリソース配置情報の少なくとも１つを含むことを特徴とする請求項３乃至６のいずれか１項に記載の方法。
【請求項８】
前記第１の端末機器がネットワーク機器から送信されたＤＣＩを受信する前に、前記方法はさらに、
前記第１の端末機器が前記ネットワーク機器から送信されたグループ識別子Ｇｒｏｕｐ  ＩＤ又はグループＣＳＩ無線ネットワーク臨時識別子Ｇｒｏｕｐ−ＣＳＩ−ＲＮＴＩを受信することを含み、
前記第１の端末機器が前記ネットワーク機器から送信された前記ＤＣＩを受信することは、
前記第１の端末機器が前記Ｇｒｏｕｐ  ＩＤ又は前記Ｇｒｏｕｐ−ＣＳＩ−ＲＮＴＩによって前記ネットワーク機器から送信された前記ＤＣＩを受信することを含む
ことを特徴とする請求項３乃至７のいずれか１項に記載の方法。
【請求項９】
前記ＤＣＩは前記ＣＳＩレポート用のトリガービットシーケンスを含み、
前記第１の端末機器が前記ＤＣＩによってＣＳＩをレポートするか否かを決定する前に、前記方法はさらに、
前記第１の端末機器がネットワーク機器から送信された、前記第１の端末機器に対応するＣＳＩレポート用のトリガービットの、前記ＣＳＩレポート用のトリガービットシーケンスにおける位置を指示するための前記第１の端末機器のインデックス情報を受信することを含み、
前記第１の端末機器が前記ＤＣＩによってＣＳＩをレポートするか否かを決定することは、
前記第１の端末機器が前記第１の端末機器のインデックス情報によって前記第１の端末機器に対応するＣＳＩレポート用のトリガービットを決定することと、
前記第１の端末機器が前記第１の端末機器に対応するＣＳＩレポート用のトリガービットによってＣＳＩをレポートするか否かを決定することと、
を含むことを特徴とする請求項３乃至８のいずれか１項に記載の方法。
【請求項１０】
前記ＤＣＩはＣＳＩをレポートするためのＭＣＳ指示情報を含み、
前記第１の端末機器が前記ネットワーク機器に前記第１の端末機器のＣＳＩを送信する前に、前記方法はさらに、
前記第１の端末機器がＣＳＩをレポートするためのＭＣＳ指示情報によってＣＳＩをレポートするための変調符号化方式を決定することを含み、
前記第１の端末機器が前記ネットワーク機器に前記第１の端末機器のＣＳＩを送信することは、
前記第１の端末機器がＣＳＩをレポートするためのＭＣＳによって前記ネットワーク機器に前記第１の端末機器のＣＳＩを送信することを含む
ことを特徴とする請求項３乃至９のいずれか１項に記載の方法。
【請求項１１】
前記ＤＣＩは前記ＣＳＩレポート用の物理リソース配置情報を含み、
前記第１の端末機器が前記ネットワーク機器に前記第１の端末機器のＣＳＩを送信する前に、前記方法はさらに、
前記第１の端末機器が前記ＣＳＩレポート用の物理リソース配置情報によって前記第１の端末機器のＣＳＩをレポートする第１のレポートリソースを決定することを含み、
前記第１の端末機器が前記ネットワーク機器に前記第１の端末機器のＣＳＩを送信することは、
前記第１の端末機器が前記第１のレポートリソースで前記ネットワーク機器に前記第１の端末機器のＣＳＩを送信することを含む
ことを特徴とする請求項３乃至１０のいずれか１項に記載の方法。
【請求項１２】
前記第１の端末機器が前記ＣＳＩレポート用の物理リソース配置情報によって前記第１の端末機器のＣＳＩをレポートする第１のレポートリソースを決定することは、
前記第１の端末機器が前記ＣＳＩレポート用の物理リソース配置情報によって前記第１の端末機器のＣＳＩを送信する第１のリソースエリアを決定することと、
前記第１の端末機器が前記第１のリソースエリアのリソースで前記第１の端末機器のＣＳＩを送信する前記第１のレポートリソースを決定することと、
を含むことを特徴とする請求項１１に記載の方法。
【請求項１３】
前記第１の端末機器が前記第１のリソースエリアのリソースで前記第１の端末機器のＣＳＩを送信する前記第１のレポートリソースを決定することは、
前記第１の端末機器が前記第１のリソースエリアの全てのリソースを前記第１のレポートリソースとして決定すること、
或いは、
前記第１の端末機器が前記第１のリソースエリアでランダムに複数の物理リソースを選んで前記第１のレポートリソースとして決定すること
を含むことを特徴とする請求項１２に記載の方法。
【請求項１４】
前記第１の端末機器が前記第１のリソースエリアのリソースで前記第１の端末機器のＣＳＩを送信する前記第１のレポートリソースを決定する前に、前記方法はさらに、
前記第１の端末機器が前記ネットワーク機器から送信された、前記第１の端末機器のＣＳＩを送信するリソースの位置を指示するための物理リソースインデックスを受信することを含み、
前記第１の端末機器が前記第１のリソースエリアのリソースで前記第１の端末機器のＣＳＩを送信する前記第１のレポートリソースを決定することは、
前記第１の端末機器が前記物理リソースインデックスによって前記第１のリソースエリアのリソースで前記第１の端末機器のＣＳＩを送信する前記第１のレポートリソースを決定することを含む
ことを特徴とする請求項１２に記載の方法。
【請求項１５】
前記第１の端末機器が前記第１のリソースエリアのリソースで前記第１の端末機器のＣＳＩを送信する前記第１のレポートリソースを決定する前に、前記方法はさらに、
前記第１の端末機器が前記ネットワーク機器から送信された、前記第１の端末機器の、ＣＳＩをレポートする端末機器における位置情報を指示するための前記第１の端末機器のインデックスを受信することを含み、
前記第１の端末機器が前記第１のリソースエリアのリソースで前記第１の端末機器のＣＳＩを送信する前記第１のレポートリソースを決定することは、
前記第１の端末機器が前記第１の端末機器のインデックスによって前記第１のリソースエリアのリソースで前記第１の端末機器のＣＳＩを送信する前記第１のレポートリソースを決定することを含む
ことを特徴とする請求項１２に記載の方法。
【請求項１６】
前記第１の端末機器が前記第１のリソースエリアのリソースで前記第１の端末機器のＣＳＩを送信する前記第１のレポートリソースを決定することは、
前記第１の端末機器が前記第１の端末機器のＣＳＩレポート用のＭＣＳ及び前記第１の端末機器のＣＳＩに占められるビットによってＣＳＩレポート用の物理リソースのサイズを算出することと、
前記第１の端末機器が算出したＣＳＩレポート用の物理リソースのサイズによって前記第１のリソースエリアのリソースから前記第１の端末機器のＣＳＩを送信する前記第１のレポートリソースを決定することと、
を含むことを特徴とする請求項１２に記載の方法。
【請求項１７】
前記第１のレポートリソース及び前記ＤＣＩを介してＣＳＩをレポートするよう指示される第２の端末機器がＣＳＩをレポートするための第２の物理リソースは、周波数分割多重化ＦＤＭ方式、時分割多重化ＴＤＭ方式又は符号分割多重化ＣＤＭ方式で多重化されることを特徴とする請求項１２乃至１６のいずれか１項に記載の方法。
【請求項１８】
前記第１の端末機器が前記ＤＣＩによって前記ネットワーク機器に前記第１の端末機器のＣＳＩを送信する前に、前記方法はさらに、
前記第１の端末機器が前記第１の端末機器のＣＳＩを測定することを含む
ことを特徴とする請求項３乃至１７のいずれか１項に記載の方法。
【請求項１９】
前記ＤＣＩはＣＳＩ測定用のリソース配置情報を含み、
前記第１の端末機器が前記第１の端末機器のＣＳＩを測定することは、
前記第１の端末機器が前記ＣＳＩ測定用のリソース配置情報によって前記第１の端末機器のＣＳＩを測定する第１の測定リソースを決定することと、
前記第１の端末機器が前記第１の測定リソースによって前記第１の端末機器のＣＳＩを測定することと、
を含むことを特徴とする請求項１８に記載の方法。
【請求項２０】
前記第１の端末機器が前記ＣＳＩ測定用のリソース配置情報によって前記第１の端末機器のＣＳＩを測定する第１の測定リソースを決定することは、
前記端末機器がＣＳＩ測定用のリソース配置情報に含まれた第１の測定リソース配置によって前記第１の端末機器のＣＳＩを測定する前記第１の測定リソースを決定することを含む
ことを特徴とする請求項１８に記載の方法。
【請求項２１】
前記第１の端末機器が前記ＣＳＩ測定用のリソース配置情報によって前記第１の端末機器のＣＳＩを測定する第１の測定リソースを決定する前に、前記方法はさらに、
前記端末機器がネットワーク機器から送信されたＮ個の第１の測定リソース配置を受信することを含み、
前記第１の端末機器が前記ＣＳＩ測定用のリソース配置情報によって前記第１の端末機器のＣＳＩを測定する第１の測定リソースを決定することは、
前記端末機器が前記ＣＳＩ測定用のリソース配置情報に含まれた測定リソース配置指示情報によって前記Ｎ個の第１の測定リソース配置からＭ個の第１の測定リソース配置を決定することと、
前記端末機器が前記Ｍ個の第１の測定リソース配置によって前記第１の端末機器のＣＳＩを測定する前記第１の測定リソースを決定することと、
を含み、
ここで、Ｍが１以上且つＮ以下の整数で、Ｎが１以上の整数とする
ことを特徴とする請求項２０に記載の方法。
【請求項２２】
前記ＤＣＩは伝送方式仮定情報を含み、
前記第１の端末機器が前記第１の端末機器のＣＳＩを測定することは、
前記第１の端末機器が前記伝送方式仮定情報によって前記ネットワーク機器が下りリンクデータを送信するための伝送方式を決定することと、
前記ネットワーク機器が下りリンクデータを送信するための伝送方式に基づき、前記第１の端末機器が前記第１の端末機器のＣＳＩを測定することと、
を含むことを特徴とする請求項１８乃至２１のいずれか１項に記載の方法。
【請求項２３】
前記ＤＣＩはＣＳＩの測定タイプ情報を含み、
前記第１の端末機器が前記第１の端末機器のＣＳＩを測定することは、
前記第１の端末機器が前記ＣＳＩのレポートタイプ情報によってネットワーク機器に送信する前記第１の端末機器のＣＳＩのタイプを決定することと、
前記第１の端末機器が前記第１の端末機器のＣＳＩのタイプに基づいて前記第１の端末機器のＣＳＩを測定することと、
を含むことを特徴とする請求項１８乃至２２のいずれか１項に記載の方法。
【請求項２４】
前記ＤＣＩはコードブック指示情報を含み、
前記第１の端末機器が前記第１の端末機器のＣＳＩを測定することは、
前記第１の端末機器が前記コードブック指示情報によって前記第１の端末機器のＣＳＩを測定するためのコードブックを決定することと、
前記第１の端末機器が前記第１の端末機器のＣＳＩを測定するためのコードブックによって前記第１の端末機器のＣＳＩを測定することと、を含み、
前記第１の端末機器が前記ネットワーク機器に前記第１の端末機器のＣＳＩを送信することは、
前記第１の端末機器が前記第１の端末機器のＣＳＩを測定するためのコードブックによって前記ネットワーク機器に前記第１の端末機器のＣＳＩを送信することを含む
ことを特徴とする請求項１８乃至２３のいずれか１項に記載の方法。
【請求項２５】
前記ＤＣＩはコードブックサブセット制約情報を含み、
前記第１の端末機器が前記第１の端末機器のＣＳＩを測定することは、
前記第１の端末機器が前記コードブックサブセット制約情報によって前記第１の端末機器のＣＳＩを測定するためのコードワードを決定することと、
前記第１の端末機器が前記第１の端末機器のＣＳＩを測定するためのコードワードによって前記第１の端末機器のＣＳＩを測定することと、
を含み、
前記第１の端末機器が前記ネットワーク機器に前記第１の端末機器のＣＳＩを送信することは、
前記第１の端末機器が前記第１の端末機器のＣＳＩを測定するためのコードワードによって前記ネットワーク機器に前記第１の端末機器のＣＳＩを送信することを含む
ことを特徴とする請求項１８乃至２４のいずれか１項に記載の方法。
【請求項２６】
前記第１の端末機器が前記ＤＣＩによって前記ネットワーク機器に前記第１の端末機器のＣＳＩを送信する前に、前記方法はさらに、
前記第１の端末機器が前記ネットワーク機器から送信されたＣＳＩのレポート回数情報及び／又はＣＳＩのレポート時間長さ情報を受信することを含み、
前記第１の端末機器が前記ネットワーク機器に前記第１の端末機器のＣＳＩを送信することは、
前記第１の端末機器が前記ＣＳＩのレポート回数情報及び／又はＣＳＩのレポート時間長さ情報によってＣＳＩのレポート回数及び／又はＣＳＩのレポート時間長さを決定することと、
前記第１の端末機器が前記ＣＳＩのレポート回数及び／又は前記ＣＳＩのレポート時間長さによって前記ネットワーク機器に前記第１の端末機器のＣＳＩを送信することと、
を含むことを特徴とする請求項１乃至２５のいずれか１項に記載の方法。
【請求項２７】
前記ＣＳＩは、プレコーディングマトリックスインデックスＰＭＩ、ランクインデックスＲＩ、チャンネル品質インデックスＣＱＩの少なくとも１つを含むことを特徴とする請求項１乃至２６のいずれか１項に記載の方法。
【請求項２８】
チャンネル状態情報ＣＳＩの伝送方法であって、
ネットワーク機器が第１の端末機器に下りリンク制御情報ＤＣＩを送信することと、
前記ネットワーク機器が前記第１の端末機器から前記ＤＣＩによって送信された前記第１の端末機器のＣＳＩを受信することと、
を含むことを特徴とするチャンネル状態情報ＣＳＩの伝送方法。
【請求項２９】
前記ＤＣＩは、前記第１の端末機器を含む複数の端末機器における各端末機器がＣＳＩをレポートするか否かを指示することに用いられることを特徴とする請求項２８に記載の方法。
【請求項３０】
前記ＤＣＩは、
前記第１の端末機器を含む複数の端末機器における各端末機器がＣＳＩをレポートするか否かを指示するためのビットを含むＣＳＩレポート用のトリガービットシーケンス、
前記複数の端末機器のうちＣＳＩをレポートする端末機器がＣＳＩをレポートする回数を指示するためのＣＳＩのレポート回数情報、
前記複数の端末機器のうちＣＳＩをレポートする端末機器がＣＳＩをレポートする持続時間長さを指示するためのＣＳＩのレポート時間長さ情報、
前記複数の端末機器のうちＣＳＩをレポートする端末機器がＣＳＩをレポートするためのリソースを指示するためのＣＳＩレポート用の物理リソース配置情報、
前記複数の端末機器のうちＣＳＩをレポートする端末機器がＣＳＩを測定するためのリソースを指示するためのＣＳＩ測定用のリソース配置情報、
前記複数の端末機器のうちＣＳＩをレポートする端末機器がＣＳＩをレポートするための変調符号化方式を指示するためのＣＳＩ伝送用の変調符号化方式ＭＣＳ指示情報、
前記ネットワーク機器から前記複数の端末機器のうちＣＳＩをレポートする端末機器に下りリンクデータを送信するための伝送方式を指示するための伝送方式仮定情報、
前記複数の端末機器のうちＣＳＩをレポートする端末機器がＣＳＩをレポートするタイプを指示するためのＣＳＩのレポートタイプ情報、
前記複数の端末機器のうちＣＳＩをレポートする端末機器がＣＳＩを測定及びレポートするためのコードブックを指示するためのコードブック指示情報、
前記複数の端末機器のうちＣＳＩをレポートする端末機器がＣＳＩを測定及びレポートするためのコードワードを指示するためのコードブックサブセット制約情報の少なくとも１つを含むことを特徴とする請求項２８又は２９に記載の方法。
【請求項３１】
前記ＣＳＩレポート用のトリガービットシーケンスに複数のビットが含まれる場合、前記ＣＳＩレポート用のトリガービットシーケンスにおける各ビットは、前記複数の端末機器における１つの端末機器がＣＳＩをレポートするか否かを指示することに用いられることを特徴とする請求項３０に記載の方法。
【請求項３２】
前記ＣＳＩレポート用の物理リソース配置情報は具体的に、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられることを特徴とする請求項３０又は３１に記載の方法。
【請求項３３】
前記複数の端末機器のうちＣＳＩをレポートする各端末機器がＣＳＩをレポートするときにそれぞれ利用される物理リソースは、周波数領域リソース及び／又は時間領域リソースを含み、及び／又は、前記複数の端末機器のうちＣＳＩをレポートする全ての端末機器がＣＳＩをレポートするときに共通で利用される物理リソースは、周波数領域リソース及び／又は時間領域リソースを含むことを特徴とする請求項３２に記載の方法。
【請求項３４】
前記ＣＳＩ測定用のリソース配置情報は、ＣＳＩプロセス、下りリンクパイロットのリソース配置情報及び干渉測定用のリソース配置情報の少なくとも１つを含むことを特徴とする請求項３０乃至３３のいずれか１項に記載の方法。
【請求項３５】
前記ネットワーク機器が複数の端末機器にＤＣＩを送信することは、
前記ネットワーク機器が前記複数の端末機器に前記複数の端末機器に共用される身分識別情報を指示するためのグループ識別子Ｇｒｏｕｐ  ＩＤ又は前記複数の端末機器に共用される無線ネットワーク臨時識別子情報を指示するためのグループＣＳＩ無線ネットワーク臨時識別子Ｇｒｏｕｐ−ＣＳＩ−ＲＮＴＩによって巡回冗長検査ＣＲＣスクランブリングを行う前記ＤＣＩを送信することを含む
ことを特徴とする請求項３０乃至３４のいずれか１項に記載の方法。
【請求項３６】
前記ネットワーク機器が複数の端末機器にＤＣＩを送信する前に、前記方法はさらに、
前記複数の端末機器が前記Ｇｒｏｕｐ  ＩＤ又は前記Ｇｒｏｕｐ−ＣＳＩ−ＲＮＴＩによって前記Ｇｒｏｕｐ  ＩＤ又は前記グループＣＳＩ無線ネットワーク臨時識別子Ｇｒｏｕｐ−ＣＳＩ−ＲＮＴＩによってＣＲＣスクランブリングを行う前記ＤＣＩを受信するように、前記ネットワーク機器が前記複数の端末機器に前記Ｇｒｏｕｐ  ＩＤ又は前記Ｇｒｏｕｐ−ＣＳＩ−ＲＮＴＩを送信することを含むことを特徴とする請求項３５に記載の方法。
【請求項３７】
前記ＤＣＩは前記ＣＳＩレポート用のトリガービットシーケンスを含み、
前記ネットワーク機器が第１の端末機器から前記ＤＣＩによって送信された前記第１の端末機器のＣＳＩを受信する前に、前記方法はさらに、
前記第１の端末機器が前記第１の端末機器のインデックス情報によって前記第１の端末機器に対応するＣＳＩレポート用のトリガービットを決定して前記ＣＳＩレポート用のトリガービットによって前記第１の端末機器のＣＳＩをレポートするか否かを決定するように、前記ネットワーク機器が前記第１の端末機器に対応するＣＳＩレポート用のトリガービットの、前記ＣＳＩレポート用のトリガービットシーケンスにおける位置を指示するための前記第１の端末機器のインデックス情報を前記第１の端末機器に送信することを含む
ことを特徴とする請求項３０乃至３６のいずれか１項に記載の方法。
【請求項３８】
前記ＤＣＩはＣＳＩレポート用の物理リソース配置情報を含み、
前記ネットワーク機器が第１の端末機器から前記ＤＣＩによって送信された前記第１の端末機器のＣＳＩを受信することは、
前記ネットワーク機器が前記第１の端末機器から前記第１の端末機器により前記ＤＣＩに含まれた前記ＣＳＩレポート用の物理リソース配置情報によって決定された第１のレポートリソースで送信された前記第１の端末機器のＣＳＩを受信することを含む
ことを特徴とする請求項３０乃至３７のいずれか１項に記載の方法。
【請求項３９】
前記ネットワーク機器が第１の端末機器から前記ＤＣＩによって送信された前記第１の端末機器のＣＳＩを受信する前に、前記方法はさらに、
前記ネットワーク機器が前記第１の端末機器に、前記第１の端末機器のＣＳＩを送信するリソースの位置を指示するための物理リソースインデックスを送信することを含み、
前記ネットワーク機器が前記第１の端末機器から前記第１のレポートリソースで送信された第１の端末機器のＣＳＩを受信することは、
前記ネットワーク機器が前記第１の端末機器から前記物理リソース指示情報によって前記ＣＳＩレポート用の物理リソース配置情報によって決定された第１のリソースエリアのリソースで決定された前記第１のレポートリソースで送信された前記第１の端末機器のＣＳＩを受信することを含む
ことを特徴とする請求項３８に記載の方法。
【請求項４０】
前記ネットワーク機器が第１の端末機器から前記ＤＣＩによって送信された前記第１の端末機器のＣＳＩを受信する前に、前記方法はさらに、
前記ネットワーク機器が前記第１の端末機器に、前記第１の端末機器の、ＣＳＩをレポートする端末機器における位置情報を指示するための前記第１の端末機器のインデックスを送信することを含み、
前記ネットワーク機器が前記第１の端末機器から第１のレポートリソースで送信された前記第１の端末機器のＣＳＩを受信することは、
前記ネットワーク機器が前記第１の端末機器から前記第１の端末機器のインデックスによって前記ＣＳＩレポート用の物理リソース配置情報によって決定された前記第１のリソースエリアのリソースで決定された前記第１のレポートリソースで送信された前記第１の端末機器のＣＳＩを受信することを含む
ことを特徴とする請求項３８に記載の方法。
【請求項４１】
前記ネットワーク機器が第１の端末機器に下りリンク制御情報ＤＣＩを送信する前に、前記方法はさらに、
前記端末機器が前記ＣＳＩ測定用のリソース配置情報に含まれた測定リソース配置指示情報によって前記Ｎ個の第１の測定リソース配置からＭ個の第１の測定リソース配置を決定して前記Ｍ個の第１の測定リソース配置によって前記第１の端末機器のＣＳＩを測定する前記第１の測定リソースを決定するように、前記ネットワーク機器が前記第１の端末機器にＮ個の測定リソース配置を送信することを含み、
ここで、Ｍが１以上且つＮ以下の整数で、Ｎが１以上の整数とする
ことを特徴とする請求項３０乃至３８のいずれか１項に記載の方法。
【請求項４２】
前記ネットワーク機器が第１の端末機器から前記ＤＣＩによって送信された前記第１の端末機器のＣＳＩを受信する前に、前記方法はさらに、
前記ネットワーク機器が前記複数の端末機器にＣＳＩのレポート回数情報及び／又はＣＳＩのレポート時間長さ情報を送信することを含み、
前記ネットワーク機器が第１の端末機器から前記ＤＣＩによって送信された前記第１の端末機器のＣＳＩを受信することは、
前記ネットワーク機器が前記第１の端末機器から前記ＣＳＩのレポート回数情報及び／又は前記ＣＳＩのレポート時間長さ情報及び前記ＤＣＩによって送信された前記第１の端末機器のＣＳＩを受信することを含む
ことを特徴とする請求項２８乃至４１のいずれか１項に記載の方法。
【請求項４３】
前記ＣＳＩは、プレコーディングマトリックスインデックスＰＭＩ、ランクインデックスＲＩ、チャンネル品質インデックスＣＱＩの少なくとも１つを含むことを特徴とする請求項２８乃至４２のいずれか１項に記載の方法。
【請求項４４】
チャンネル状態情報ＣＳＩの伝送装置であって、
ネットワーク機器から送信された下りリンク制御情報ＤＣＩを受信するための受信モジュールと、
前記ＤＣＩによってＣＳＩをレポートするか否かを決定するための決定モジュールと、
前記決定モジュールが前記ＣＳＩをレポートすると決定する場合、前記ネットワーク機器に前記装置のＣＳＩを送信するための送信モジュールと、
を含むことを特徴とするチャンネル状態情報ＣＳＩの伝送装置。
【請求項４５】
前記ＤＣＩは、前記装置を含む複数の端末機器における各端末機器がＣＳＩをレポートするか否かを指示することに用いられることを特徴とする請求項４４に記載の装置。
【請求項４６】
前記ＤＣＩは、
前記装置を含む複数の端末機器における各端末機器がＣＳＩをレポートするか否かを指示するためのビットを含むＣＳＩレポート用のトリガービットシーケンス、
前記装置がＣＳＩをレポートする回数を指示するためのＣＳＩのレポート回数情報、
前記装置がＣＳＩをレポートする持続時間長さを指示するためのＣＳＩのレポート時間長さ情報、
前記装置がＣＳＩをレポートするための物理リソースを指示するためのＣＳＩレポート用の物理リソース配置情報、
前記装置がＣＳＩを測定するためのリソースを指示するためのＣＳＩ測定用のリソース配置情報、
前記装置がＣＳＩをレポートするための変調符号化方式を指示するためのＣＳＩ伝送用の変調符号化方式ＭＣＳ指示情報、
前記ネットワーク機器から前記装置に下りリンクデータを送信するための伝送方式を指示するための伝送方式仮定情報、
前記装置がＣＳＩをレポートするタイプを指示するためのＣＳＩのレポートタイプ情報、
前記装置がＣＳＩを測定及びレポートするためのコードブックを指示するためのコードブック指示情報、
前記装置がＣＳＩを測定及びレポートするためのコードワードを指示するためのコードブックサブセット制約情報の少なくとも１つを含むことを特徴とする請求項４４又は４５に記載の装置。
【請求項４７】
前記ＣＳＩレポート用のトリガービットシーケンスに複数のビットが含まれる場合、前記ＣＳＩレポート用のトリガービットシーケンスにおける各ビットは、前記複数の端末機器における１つの端末機器がＣＳＩをレポートするか否かを指示することに用いられることを特徴とする請求項４６に記載の装置。
【請求項４８】
前記ＣＳＩレポート用の物理リソース配置情報は具体的に、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられることを特徴とする請求項４６又は４７に記載の装置。
【請求項４９】
前記ＣＳＩレポート用の物理リソース配置情報は、前記第１の端末機器がＣＳＩをレポートするための周波数領域リソース及び／又は時間領域リソースを指示することに用いられることを特徴とする請求項４６乃至４８のいずれか１項に記載の装置。
【請求項５０】
前記ＣＳＩ測定用のリソース配置情報は、ＣＳＩプロセス、下りリンクパイロットのリソース配置情報及び干渉測定用のリソース配置情報の少なくとも１つを含むことを特徴とする請求項４６乃至４９のいずれか１項に記載の装置。
【請求項５１】
前記受信モジュールはさらに、
ネットワーク機器から送信されたＤＣＩを受信する前に、前記ネットワーク機器から送信されたグループ識別子Ｇｒｏｕｐ  ＩＤ又はグループＣＳＩ無線ネットワーク臨時識別子Ｇｒｏｕｐ−ＣＳＩ−ＲＮＴＩを受信し、
前記送信モジュールは具体的に、前記Ｇｒｏｕｐ  ＩＤ又は前記Ｇｒｏｕｐ−ＣＳＩ−ＲＮＴＩによって前記ネットワーク機器から送信された前記ＤＣＩを受信する
ことを特徴とする請求項４６乃至５０のいずれか１項に記載の装置。
【請求項５２】
前記ＤＣＩは前記ＣＳＩレポート用のトリガービットシーケンスを含み、
前記受信モジュールはさらに、
前記ＤＣＩによってＣＳＩをレポートするか否かを決定する前に、ネットワーク機器から送信された、前記装置に対応するＣＳＩレポート用のトリガービットの、前記ＣＳＩレポート用のトリガービットシーケンスにおける位置を指示するための前記装置のインデックス情報を受信し、
前記決定モジュールは具体的に、
前記装置のインデックス情報によって前記装置に対応するＣＳＩレポート用のトリガービットを決定し、
前記装置に対応するＣＳＩレポート用のトリガービットによってＣＳＩをレポートするか否かを決定する
ことを特徴とする請求項４６乃至５１のいずれか１項に記載の装置。
【請求項５３】
前記ＤＣＩはＣＳＩをレポートするためのＭＣＳ指示情報を含み、
前記決定モジュールはさらに、前記ネットワーク機器に前記装置のＣＳＩを送信する前に、ＣＳＩをレポートするための前記ＭＣＳ指示情報によってＣＳＩをレポートするための変調符号化方式を決定し、
前記送信モジュールは具体的に、さらに、ＣＳＩをレポートするための前記ＭＣＳによって前記ネットワーク機器に前記装置のＣＳＩを送信する
ことを特徴とする請求項４６乃至５２のいずれか１項に記載の装置。
【請求項５４】
前記ＤＣＩに前記ＣＳＩレポート用の物理リソース配置情報を含み、
前記決定モジュールはさらに、前記ネットワーク機器に前記装置のＣＳＩを送信する前に、前記ＣＳＩレポート用の物理リソース配置情報によって前記装置のＣＳＩをレポートする第１のレポートリソースを決定し、
前記送信モジュールは具体的に、さらに、前記第１のレポートリソースで前記ネットワーク機器に前記装置のＣＳＩを送信する
ことを特徴とする請求項４６乃至５３のいずれか１項に記載の装置。
【請求項５５】
前記決定モジュールは具体的に、さらに、
前記ＣＳＩレポート用の物理リソース配置情報によって前記装置のＣＳＩを送信する第１のリソースエリアを決定し、
前記第１のリソースエリアのリソースで前記装置のＣＳＩを送信する前記第１のレポートリソースを決定する
ことを特徴とする請求項５４に記載の装置。
【請求項５６】
前記決定モジュールは具体的に、さらに、
前記第１のリソースエリアの全てのリソースを前記第１のレポートリソースとして決定し、
或いは、
前記第１のリソースエリアでランダムに複数の物理リソースを選んで前記第１のレポートリソースとして決定する
ことを特徴とする請求項５５に記載の装置。
【請求項５７】
前記受信モジュールはさらに、
前記装置が前記第１のリソースエリアのリソースで前記装置のＣＳＩを送信する前記第１のレポートリソースを決定する前に、前記ネットワーク機器から送信された、前記装置のＣＳＩを送信するリソースの位置を指示するための物理リソースインデックスを受信し、
前記決定モジュールは具体的に、さらに、
前記物理リソースインデックスによって前記第１のリソースエリアのリソースで前記装置のＣＳＩを送信する前記第１のレポートリソースを決定する
ことを特徴とする請求項５５に記載の装置。
【請求項５８】
前記受信モジュールはさらに、
前記装置が前記第１のリソースエリアのリソースで前記装置のＣＳＩを送信する前記第１のレポートリソースを決定する前に、前記ネットワーク機器から送信された、前記装置の、ＣＳＩをレポートする端末機器における位置情報を指示するための前記装置のインデックスを受信し、
前記決定モジュールは具体的に、さらに、
前記装置のインデックスによって前記第１のリソースエリアのリソースで前記装置のＣＳＩを送信する前記第１のレポートリソースを決定する
ことを特徴とする請求項５５に記載の装置。
【請求項５９】
前記決定モジュールは具体的に、さらに、
前記装置のＣＳＩレポート用のＭＣＳ及び前記装置のＣＳＩに占められるビットによってＣＳＩレポート用の物理リソースのサイズを算出し、
算出したＣＳＩレポート用の物理リソースのサイズによって前記第１のリソースエリアのリソースから前記装置のＣＳＩを送信する前記第１のレポートリソースを決定する
ことを特徴とする請求項５５に記載の装置。
【請求項６０】
前記第１のレポートリソース及び前記ＤＣＩを介してＣＳＩをレポートするよう指示される第２の端末機器がＣＳＩをレポートするための第２の物理リソースは、周波数分割多重化ＦＤＭ方式、時分割多重化ＴＤＭ方式又は符号分割多重化ＣＤＭ方式で多重化されることを特徴とする請求項５５乃至５９のいずれか１項に記載の装置。
【請求項６１】
前記装置は、
前記ＤＣＩによって前記ネットワーク機器に前記装置のＣＳＩを送信する前に、前記装置のＣＳＩを測定するための測定モジュールをさらに含む
ことを特徴とする請求項４６乃至６０のいずれか１項に記載の装置。
【請求項６２】
前記ＤＣＩはＣＳＩ測定用のリソース配置情報を含み、
前記決定モジュールは具体的に、前記ＣＳＩ測定用のリソース配置情報によって前記装置のＣＳＩを測定する第１の測定リソースを決定し、
前記測定モジュールは具体的に、前記第１の測定リソースによって前記装置のＣＳＩを測定する
ことを特徴とする請求項６１に記載の装置。
【請求項６３】
前記決定モジュールは具体的に、
ＣＳＩ測定用のリソース配置情報に含まれた第１の測定リソース配置によって前記装置のＣＳＩを測定する前記第１の測定リソースを決定する
ことを特徴とする請求項６１に記載の装置。
【請求項６４】
前記受信モジュールは具体的に、
前記ＣＳＩ測定用のリソース配置情報によって前記装置のＣＳＩを測定する第１の測定リソースを決定する前に、前記ネットワーク機器から送信されたＮ個の第１の測定リソース配置を受信し、
前記決定モジュールは具体的に、さらに、前記ＣＳＩ測定用のリソース配置情報に含まれた測定リソース配置指示情報によって前記Ｎ個の第１の測定リソース配置からＭ個の第１の測定リソース配置を決定し、
前記Ｍ個の第１の測定リソース配置によって前記装置のＣＳＩを測定する前記第１の測定リソースを決定し、
ここで、Ｍが１以上且つＮ以下の整数で、Ｎが１以上の整数とする
ことを特徴とする請求項６３に記載の装置。
【請求項６５】
前記ＤＣＩは伝送方式仮定情報を含み、
前記決定モジュールはさらに、前記伝送方式仮定情報によって前記ネットワーク機器が下りリンクデータを送信するための伝送方式を決定し、
前記測定モジュールは具体的に、さらに、前記ネットワーク機器が下りリンクデータを送信するための伝送方式に基づいて前記装置のＣＳＩを測定する
ことを特徴とする請求項６１乃至６４のいずれか１項に記載の装置。
【請求項６６】
前記ＤＣＩはＣＳＩの測定タイプ情報を含み、
前記決定モジュールはさらに、前記ＣＳＩのレポートタイプ情報によってネットワーク機器に送信する前記装置のＣＳＩのタイプを決定し、
前記測定モジュールは具体的に、さらに、前記装置のＣＳＩのタイプに基づいて前記装置のＣＳＩを測定する
ことを特徴とする請求項６１乃至６５のいずれか１項に記載の装置。
【請求項６７】
前記ＤＣＩはコードブック指示情報を含み、
前記決定モジュールはさらに、前記コードブック指示情報によって前記装置のＣＳＩを測定するためのコードブックを決定し、
前記測定モジュールは具体的に、さらに、前記装置のＣＳＩを測定するためのコードブックによって前記装置のＣＳＩを測定し、
前記送信モジュールは具体的に、前記装置のＣＳＩを測定するためのコードブックによって前記ネットワーク機器に前記装置のＣＳＩを送信する
ことを特徴とする請求項６１乃至６６のいずれか１項に記載の装置。
【請求項６８】
前記ＤＣＩはコードブックサブセット制約情報を含み、
前記決定モジュールはさらに、前記コードブックサブセット制約情報によって前記装置のＣＳＩを測定するためのコードワードを決定し、
前記測定モジュールは具体的に、さらに、前記装置のＣＳＩを測定するためのコードワードによって前記装置のＣＳＩを測定し、
前記送信モジュールは具体的に、さらに、前記装置のＣＳＩを測定するためのコードワードによって前記ネットワーク機器に前記装置のＣＳＩを送信する
ことを特徴とする請求項６１乃至６７のいずれか１項に記載の装置。
【請求項６９】
前記受信モジュールはさらに、
前記ＤＣＩによって前記ネットワーク機器に前記装置のＣＳＩを送信する前に、前記ネットワーク機器から送信されたＣＳＩのレポート回数情報及び／又はＣＳＩのレポート時間長さ情報を受信し、
前記決定モジュールはさらに、前記ＣＳＩのレポート回数情報及び／又はＣＳＩのレポート時間長さ情報によってＣＳＩのレポート回数及び／又はＣＳＩのレポート時間長さを決定し、
前記送信モジュールは具体的に、さらに、前記ＣＳＩのレポート回数及び／又は前記ＣＳＩのレポート時間長さによって前記ネットワーク機器に前記装置のＣＳＩを送信する
ことを特徴とする請求項４４乃至６８のいずれか１項に記載の装置。
【請求項７０】
前記ＣＳＩは、プレコーディングマトリックスインデックスＰＭＩ、ランクインデックスＲＩ、チャンネル品質インデックスＣＱＩの少なくとも１つを含むことを特徴とする請求項４４乃至６９のいずれか１項に記載の装置。
【請求項７１】
チャンネル状態情報ＣＳＩの伝送装置であって、
第１の端末機器に下りリンク制御情報ＤＣＩを送信するための送信モジュールと、
前記第１の端末機器から前記ＤＣＩによって送信された前記第１の端末機器のＣＳＩを受信するための受信モジュールと、
を含むことを特徴とするチャンネル状態情報ＣＳＩの伝送装置。
【請求項７２】
前記ＤＣＩは、前記第１の端末機器を含む複数の端末機器における各端末機器がＣＳＩをレポートするか否かを指示することに用いられることを特徴とする請求項７１に記載の装置。
【請求項７３】
前記ＤＣＩは、
前記第１の端末機器を含む複数の端末機器における各端末機器がＣＳＩをレポートするか否かを指示するためのビットを含むＣＳＩレポート用のトリガービットシーケンス、
前記複数の端末機器のうちＣＳＩをレポートする端末機器がＣＳＩをレポートする回数を指示するためのＣＳＩのレポート回数情報、
前記複数の端末機器のうちＣＳＩをレポートする端末機器がＣＳＩをレポートする持続時間長さを指示するためのＣＳＩのレポート時間長さ情報、
前記複数の端末機器のうちＣＳＩをレポートする端末機器がＣＳＩをレポートするための物理リソースを指示するためのＣＳＩレポート用の物理リソース配置情報、
前記複数の端末機器のうちＣＳＩをレポートする端末機器がＣＳＩを測定するためのリソースを指示するためのＣＳＩ測定用のリソース配置情報、
前記複数の端末機器のうちＣＳＩをレポートする端末機器がＣＳＩをレポートするための変調符号化方式を指示するためのＣＳＩ伝送用の変調符号化方式ＭＣＳ指示情報、
前記装置から前記複数の端末機器のうちＣＳＩをレポートする端末機器に下りリンクデータを送信するための伝送方式を指示するための伝送方式仮定情報、
前記複数の端末機器のうちＣＳＩをレポートする端末機器がＣＳＩをレポートするタイプを指示するためのＣＳＩのレポートタイプ情報、
前記複数の端末機器のうちＣＳＩをレポートする端末機器がＣＳＩを測定及びレポートするためのコードブックを指示するためのコードブック指示情報、
前記複数の端末機器のうちＣＳＩをレポートする端末機器がＣＳＩを測定及びレポートするためのコードワードを指示するためのコードブックサブセット制約情報
の少なくとも１つを含むことを特徴とする請求項７１又は７２に記載の装置。
【請求項７４】
前記ＣＳＩレポート用のトリガービットシーケンスに複数のビットが含まれる場合、前記ＣＳＩレポート用のトリガービットシーケンスにおける各ビットは、前記複数の端末機器における１つの端末機器がＣＳＩをレポートするか否かを指示することに用いられることを特徴とする請求項７３に記載の装置。
【請求項７５】
前記ＣＳＩレポート用の物理リソース配置情報は具体的に、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられることを特徴とする請求項７３又は７４に記載の装置。
【請求項７６】
前記複数の端末機器のうちＣＳＩをレポートする各端末機器がＣＳＩをレポートするときにそれぞれ利用される物理リソースは、周波数領域リソース及び／又は時間領域リソースを含み、及び／又は、前記複数の端末機器のうちＣＳＩをレポートする全ての端末機器がＣＳＩをレポートするときに共通で利用される物理リソースは、周波数領域リソース及び／又は時間領域リソースを含むことを特徴とする請求項７５に記載の装置。
【請求項７７】
前記ＣＳＩ測定用のリソース配置情報は、ＣＳＩプロセス、下りリンクパイロットのリソース配置情報及び干渉測定用のリソース配置情報の少なくとも１つを含むことを特徴とする請求項７３乃至７６のいずれか１項に記載の装置。
【請求項７８】
前記送信モジュールはさらに、前記複数の端末機器に前記複数の端末機器に共用される身分識別情報を指示するためのグループ識別子Ｇｒｏｕｐ  ＩＤ又は前記複数の端末機器に共用される無線ネットワーク臨時識別子情報を指示するためのグループＣＳＩ無線ネットワーク臨時識別子Ｇｒｏｕｐ−ＣＳＩ−ＲＮＴＩによって巡回冗長検査ＣＲＣスクランブリングを行う前記ＤＣＩを送信することを特徴とする請求項７３乃至７７のいずれか１項に記載の装置。
【請求項７９】
前記送信モジュールはさらに、
複数の端末機器にＤＣＩを送信する前に、前記複数の端末機器が前記Ｇｒｏｕｐ  ＩＤ又は前記Ｇｒｏｕｐ−ＣＳＩ−ＲＮＴＩによって前記Ｇｒｏｕｐ  ＩＤ又は前記グループＣＳＩ無線ネットワーク臨時識別子Ｇｒｏｕｐ−ＣＳＩ−ＲＮＴＩによってＣＲＣスクランブリングを行う前記ＤＣＩを受信するように、前記複数の端末機器に前記Ｇｒｏｕｐ  ＩＤ又は前記Ｇｒｏｕｐ−ＣＳＩ−ＲＮＴＩを送信する
ことを特徴とする請求項７８に記載の装置。
【請求項８０】
前記ＤＣＩは前記ＣＳＩレポート用のトリガービットシーケンスを含み、
前記送信モジュールはさらに、第１の端末機器から前記ＤＣＩによって送信された前記第１の端末機器のＣＳＩを受信する前に、前記第１の端末機器が前記第１の端末機器のインデックス情報によって前記第１の端末機器に対応するＣＳＩレポート用のトリガービットを決定して前記ＣＳＩレポート用のトリガービットによって前記第１の端末機器のＣＳＩをレポートするか否かを決定するように、前記第１の端末機器に対応するＣＳＩレポート用のトリガービットの、前記ＣＳＩレポート用のトリガービットシーケンスにおける位置を指示するための前記第１の端末機器のインデックス情報を前記第１の端末機器に送信する
ことを特徴とする請求項７３乃至７９のいずれか１項に記載の装置。
【請求項８１】
前記ＤＣＩはＣＳＩレポート用の物理リソース配置情報を含み、
前記受信モジュールは具体的に、前記第１の端末機器から前記第１の端末機器により前記ＤＣＩに含まれた前記ＣＳＩレポート用の物理リソース配置情報によって決定された第１のレポートリソースで送信された前記第１の端末機器のＣＳＩを受信することを特徴とする請求項７３乃至８０のいずれか１項に記載の装置。
【請求項８２】
前記送信モジュールはさらに、
第１の端末機器から前記ＤＣＩによって送信された前記第１の端末機器のＣＳＩを受信する前に、前記第１の端末機器に、前記第１の端末機器のＣＳＩを送信するリソースの位置を指示するための物理リソースインデックスを送信し、
前記受信モジュールは具体的に、さらに、前記第１の端末機器から前記物理リソース指示情報によって前記ＣＳＩレポート用の物理リソース配置情報によって決定された第１のリソースエリアのリソースで決定された前記第１のレポートリソースで送信された前記第１の端末機器のＣＳＩを受信する
ことを特徴とする請求項８１に記載の装置。
【請求項８３】
前記送信モジュールはさらに、
第１の端末機器から前記ＤＣＩによって送信された前記第１の端末機器のＣＳＩを受信する前に、前記第１の端末機器に、前記第１の端末機器の、ＣＳＩをレポートする端末機器における位置情報を指示するための前記第１の端末機器のインデックスを送信し、
前記受信モジュールは具体的に、前記第１の端末機器から前記第１の端末機器のインデックスによって前記ＣＳＩレポート用の物理リソース配置情報によって決定された前記第１のリソースエリアのリソースで決定された前記第１のレポートリソースで送信された前記第１の端末機器のＣＳＩを受信する
ことを特徴とする請求項８１に記載の装置。
【請求項８４】
前記送信モジュールはさらに、
第１の端末機器に下りリンク制御情報ＤＣＩを送信する前に、前記端末機器が前記ＣＳＩ測定用のリソース配置情報に含まれた測定リソース配置指示情報によって前記Ｎ個の第１の測定リソース配置からＭ個の第１の測定リソース配置を決定して前記Ｍ個の第１の測定リソース配置によって前記第１の端末機器のＣＳＩを測定する前記第１の測定リソースを決定するように、前記第１の端末機器にＮ個の測定リソース配置を送信し、ここで、Ｍが１以上且つＮ以下の整数で、Ｎが１以上の整数とする
ことを特徴とする請求項７３乃至８１のいずれか１項に記載の装置。
【請求項８５】
前記送信モジュールはさらに、
第１の端末機器から前記ＤＣＩによって送信された前記第１の端末機器のＣＳＩを受信する前に、前記複数の端末機器にＣＳＩのレポート回数情報及び／又はＣＳＩのレポート時間長さ情報を送信し、
前記受信モジュールは具体的に、前記第１の端末機器から前記ＣＳＩのレポート回数情報及び／又は前記ＣＳＩのレポート時間長さ情報及び前記ＤＣＩによって送信された前記第１の端末機器のＣＳＩを受信する
ことを特徴とする請求項７１乃至８４のいずれか１項に記載の装置。
【請求項８６】
前記ＣＳＩは、プレコーディングマトリックスインデックスＰＭＩ、ランクインデックスＲＩ、チャンネル品質インデックスＣＱＩの少なくとも１つを含むことを特徴とする請求項７１乃至８５のいずれか１項に記載の装置。
【発明の詳細な説明】
【技術分野】
【０００１】
本発明は、通信分野に関し、詳しく言えば、通信分野におけるチャンネル状態情報の伝送方法及び装置に関する。
【背景技術】
【０００２】
ロング・ターム・エヴォリューション（Ｌｏｎｇ  Ｔｅｒｍ  Ｅｖｏｌｕｔｉｏｎ、「ＬＴＥ」と略称）システムに端末機器を導入する場合、ネットワーク機器にチャンネル状態情報（Ｃｈａｎｎｅｌ  Ｓｔａｔｅ  Ｉｎｆｏｒｍａｔｉｏｎ、「ＣＩＳ」と略称）をレポートする必要があるが、どのように端末機器をトリガーしてＣＳＩをレポートするかは、早急に解決する必要がある問題である。
【発明の概要】
【発明が解決しようとする課題】
【０００３】
本発明の実施例にて提供されるチャンネル状態情報の伝送方法及び装置は、端末機器をトリガーしてＣＳＩをレポートし、さらに端末機器が自身のＣＳＩをレポートすることを可能にする。
【課題を解決するための手段】
【０００４】
第１の態様では提供されるチャンネル状態情報の伝送方法は、第１の端末機器がネットワーク機器から送信された下りリンク制御情報（Ｄｏｗｎｌｉｎｋ  Ｃｏｎｔｒｏｌ  Ｉｎｆｏｒｍａｔｉｏｎ、「ＤＣＩ」と略称）を受信することと、前記第１の端末機器が前記ＤＣＩによってＣＳＩをレポートするか否かを決定することと、前記第１の端末機器がＣＳＩをレポートすると決定する場合、前記第１の端末機器が前記ネットワーク機器に前記第１の端末機器のＣＳＩを送信することと、を含む。
【０００５】
第１の態様の第１の可能な実現形態において、前記ＤＣＩは、前記第１の端末機器を含む複数の端末機器における各端末機器がＣＳＩをレポートするか否かを指示することに用いられる。
【０００６】
具体的には、ネットワーク機器は、前記複数の端末機器のうち各端末機器が各端末機器とネットワーク機器との間のＣＳＩをレポートするか否かを指示する下りリンク制御情報を複数の端末機器に送信し、このようにして、複数の端末機器における各端末機器は、下りリンク制御情報によってネットワーク機器にＣＳＩをフィードバックするか否かを決定することができる。複数の端末機器の第１の端末機器が下りリンク制御情報によって第１の端末機器とネットワーク機器との間のＣＳＩをフィードバックすると決定する場合、第１の端末機器がネットワーク機器に第１の端末機器のＣＳＩを送信し、ネットワーク機器が第１の端末機器から送信された第１の端末機器のＣＳＩを受信し、ネットワーク機器が第１の端末機器のＣＳＩによってチャンネル品質情報を決定する。前記第１の端末機器が下りリンク制御情報によって第１の端末機器とネットワーク機器との間のＣＳＩをフィードバックしないと決定する場合、第１の端末機器がネットワーク機器に第１の端末機器を送信して第１の端末機器のＤＣＩを送信しない。このようにして、ネットワーク機器は各端末機器にＤＣＩを送信してＣＳＩレポートをトリガーせず、端末機器に下りリンク制御情報を１回送信するだけで複数の端末機器をトリガーしてＣＳＩをレポートできるので、シグナリングオーバーヘッドを節約することができる。
【０００７】
第１の態様の上記可能な実現形態を参照し、第１の態様の第２の可能な実現形態において、前記ＤＣＩは、前記第１の端末機器を含む複数の端末機器における各端末機器がＣＳＩをレポートするか否かを指示するためのビットを含むＣＳＩレポート用のトリガービットシーケンス、前記第１の端末機器がＣＳＩをレポートする回数を指示するためのＣＳＩのレポート回数情報、前記第１の端末機器がＣＳＩをレポートする持続時間長さを指示するためのＣＳＩのレポート時間長さ情報、前記第１の端末機器がＣＳＩをレポートするための物理リソースを指示するためのＣＳＩレポート用の物理リソース配置情報、前記第１の端末機器がＣＳＩを測定するためのリソースを指示するためのＣＳＩ測定用のリソース配置情報、前記第１の端末機器がＣＳＩをレポートするための変調符号化方式を指示するためのＣＳＩ伝送用の変調符号化方式ＭＣＳ指示情報、前記ネットワーク機器から前記第１の端末機器に下りリンクデータを送信するための伝送方式を指示するための伝送方式仮定情報、前記第１の端末機器がＣＳＩをレポートするタイプを指示するためのＣＳＩのレポートタイプ情報、前記第１の端末機器がＣＳＩを測定及びレポートするためのコードブックを指示するためのコードブック指示情報、前記第１の端末機器がＣＳＩを測定及びレポートするためのコードワードを指示するためのコードブックサブセット制約情報の少なくとも１つを含む。
【０００８】
第１の態様の上記可能な実現形態を参照し、第１の態様の第３の可能な実現形態において、前記ＣＳＩレポート用のトリガービットシーケンスに複数のビットが含まれる場合、前記ＣＳＩのトリガービットシーケンスにおける各ビットは、前記複数の端末機器における１つの端末機器がＣＳＩをレポートするか否かを指示することに用いられる。
【０００９】
第１の態様の上記可能な実現形態を参照し、第１の態様の第４の実現形態において、具体的には、前記ＣＳＩレポート用の物理リソース配置情報は、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられる。
【００１０】
第１の態様の上記可能な実現形態を参照し、第１の態様の第５の実現形態において、前記ＣＳＩレポート用の物理リソース配置情報は、前記第１の端末機器がＣＳＩをレポートするための周波数領域リソース及び／又は時間領域リソースを指示することに用いられる。
【００１１】
第１の態様の上記可能な実現形態を参照し、第１の態様の第６の実現形態において、前記ＣＳＩ測定用のリソース配置情報は、ＣＳＩプロセス、下りリンクパイロットのリソース配置情報及び干渉測定用のリソース配置情報の少なくとも１つを含む。
【００１２】
第１の態様の上記可能な実現形態を参照し、第１の態様の第７の実現形態において、前記第１の端末機器がネットワーク機器から送信されたＤＣＩを受信する前に、前記方法はさらに、前記第１の端末機器が前記ネットワーク機器から送信されたグループ識別子Ｇｒｏｕｐ  ＩＤ又はグループＣＳＩ無線ネットワーク臨時識別子Ｇｒｏｕｐ−ＣＳＩ−ＲＮＴＩを受信することを含み、前記第１の端末機器が前記ネットワーク機器から送信された前記ＤＣＩを受信することは、前記第１の端末機器が前記Ｇｒｏｕｐ  ＩＤ又は前記Ｇｒｏｕｐ−ＣＳＩ−ＲＮＴＩによって前記ネットワーク機器から送信された前記ＤＣＩを受信することを含む。
【００１３】
第１の態様の上記可能な実現形態を参照し、第１の態様の第８の実現形態において、前記ＤＣＩに前記ＣＳＩレポート用のトリガービットシーケンスを含み、前記第１の端末機器が前記ＤＣＩによってＣＳＩをレポートするか否かを決定する前に、前記方法はさらに、
前記第１の端末機器がネットワーク機器から送信された、前記第１の端末機器に対応するＣＳＩレポート用のトリガービットの、前記ＣＳＩレポート用のトリガービットシーケンスにおける位置を指示するための前記第１の端末機器のインデックス情報を受信することを含み、前記第１の端末機器が前記ＤＣＩによってＣＳＩをレポートするか否かを決定することは、前記第１の端末機器が前記第１の端末機器のインデックス情報によって前記第１の端末機器に対応するＣＳＩレポート用のトリガービットを決定することと、前記第１の端末機器が前記第１の端末機器に対応するＣＳＩレポート用のトリガービットによってＣＳＩをレポートするか否かを決定することと、を含む。
【００１４】
第１の態様の上記可能な実現形態を参照し、第１の態様の第９の実現形態において、前記ＤＣＩにＣＳＩをレポートするためのＭＣＳ指示情報を含み、前記第１の端末機器が前記ネットワーク機器に前記第１の端末機器のＣＳＩを送信する前に、前記方法はさらに、前記第１の端末機器がＣＳＩをレポートするための前記ＭＣＳ指示情報によってＣＳＩをレポートするための変調符号化方式を決定することを含み、前記第１の端末機器が前記ネットワーク機器に前記第１の端末機器のＣＳＩを送信することは、前記第１の端末機器がＣＳＩをレポートするための前記ＭＣＳによって前記ネットワーク機器に前記第１の端末機器のＣＳＩを送信することを含む。
【００１５】
第１の態様の上記可能な実現形態を参照し、第１の態様の第１０の実現形態において、前記ＤＣＩに前記ＣＳＩレポート用の物理リソース配置情報を含み、前記第１の端末機器が前記ネットワーク機器に前記第１の端末機器のＣＳＩを送信する前に、前記方法はさらに、前記第１の端末機器が前記ＣＳＩレポート用の物理リソース配置情報によって前記第１の端末機器のＣＳＩをレポートする第１のレポートリソースを決定することを含み、前記第１の端末機器が前記ネットワーク機器に前記第１の端末機器のＣＳＩを送信することは、前記第１の端末機器が前記第１のレポートリソースで前記ネットワーク機器に前記第１の端末機器のＣＳＩを送信することを含む。
【００１６】
第１の態様の上記可能な実現形態を参照し、第１の態様の第１１の実現形態において、前記第１の端末機器が前記ＣＳＩレポート用の物理リソース配置情報によって前記第１の端末機器のＣＳＩをレポートする第１のレポートリソースを決定することは、前記第１の端末機器が前記ＣＳＩレポート用の物理リソース配置情報によって前記第１の端末機器のＣＳＩを送信する第１のリソースエリアを決定することと、前記第１の端末機器が前記第１のリソースエリアのリソースで前記第１の端末機器のＣＳＩを送信する前記第１のレポートリソースを決定することと、を含む。
【００１７】
第１の態様の上記可能な実現形態を参照し、第１の態様の第１２の実現形態において、前記第１の端末機器が前記第１のリソースエリアのリソースで前記第１の端末機器のＣＳＩを送信する前記第１のレポートリソースを決定することは、前記第１の端末機器が前記第１のリソースエリアの全てのリソースを前記第１のレポートリソースとして決定すること、或いは、前記第１の端末機器が前記第１のリソースエリアでランダムに複数の物理リソースを選んで前記第１のレポートリソースとして決定することを含む。
【００１８】
第１の態様の上記可能な実現形態を参照し、第１の態様の第１３の実現形態において、前記第１の端末機器が前記第１のリソースエリアのリソースで前記第１の端末機器のＣＳＩを送信する前記第１のレポートリソースを決定する前に、前記方法はさらに、前記第１の端末機器が前記ネットワーク機器から送信された、前記第１の端末機器のＣＳＩを送信するリソースの位置を指示するための物理リソースインデックスを受信することを含み、前記第１の端末機器が前記第１のリソースエリアのリソースで前記第１の端末機器のＣＳＩを送信する前記第１のレポートリソースを決定することは、前記第１の端末機器が前記物理リソースインデックスによって前記第１のリソースエリアのリソースで前記第１の端末機器のＣＳＩを送信する前記第１のレポートリソースを決定することを含む。
【００１９】
第１の態様の上記可能な実現形態を参照し、第１の態様の第１４の実現形態において、前記第１の端末機器が前記第１のリソースエリアのリソースで前記第１の端末機器のＣＳＩを送信する前記第１のレポートリソースを決定する前に、前記方法はさらに、前記第１の端末機器が前記ネットワーク機器から送信された、前記第１の端末機器の、ＣＳＩをレポートする端末機器における位置情報を指示するための前記第１の端末機器のインデックスを受信することを含み、前記第１の端末機器が前記第１のリソースエリアのリソースで前記第１の端末機器のＣＳＩを送信する前記第１のレポートリソースを決定することは、前記第１の端末機器が前記第１の端末機器のインデックスによって前記第１のリソースエリアのリソースで前記第１の端末機器のＣＳＩを送信する前記第１のレポートリソースを決定することを含む。
【００２０】
第１の態様の上記可能な実現形態を参照し、第１の態様の第１５の実現形態において、前記第１の端末機器が前記第１のリソースエリアのリソースで前記第１の端末機器のＣＳＩを送信する前記第１のレポートリソースを決定することは、前記第１の端末機器が前記第１の端末機器のＣＳＩレポート用のＭＣＳ及び前記第１の端末機器のＣＳＩに占められるビットによってＣＳＩレポート用の物理リソースのサイズを算出することと、前記第１の端末機器が算出したＣＳＩレポート用の物理リソースのサイズによって前記第１のリソースエリアのリソースから前記第１の端末機器のＣＳＩを送信する前記第１のレポートリソースを決定することと、を含む。
【００２１】
第１の態様の上記可能な実現形態を参照し、第１の態様の第１６の実現形態において、前記第１のレポートリソース及び前記ＤＣＩを介してＣＳＩをレポートするよう指示される第２の端末機器がＣＳＩをレポートするための第２の物理リソースは、周波数分割多重化ＦＤＭ方式、時分割多重化ＴＤＭ方式又は符号分割多重化ＣＤＭ方式で多重化される。
【００２２】
第１の態様の上記可能な実現形態を参照し、第１の態様の第１７の実現形態において、前記第１の端末機器が前記ＤＣＩによって前記ネットワーク機器に前記第１の端末機器のＣＳＩを送信する前に、前記方法はさらに、前記第１の端末機器が前記第１の端末機器のＣＳＩを測定することを含む。
【００２３】
第１の態様の上記可能な実現形態を参照し、第１の態様の第１８の実現形態において、前記ＤＣＩにＣＳＩ測定用のリソース配置情報を含み、前記第１の端末機器が前記第１の端末機器のＣＳＩを測定することは、前記第１の端末機器が前記ＣＳＩ測定用のリソース配置情報によって前記第１の端末機器のＣＳＩを測定する第１の測定リソースを決定することと、前記第１の端末機器が前記第１の測定リソースによって前記第１の端末機器のＣＳＩを測定することと、を含む。
【００２４】
第１の態様の上記可能な実現形態を参照し、第１の態様の第１９の実現形態において、前記第１の端末機器が前記ＣＳＩ測定用のリソース配置情報によって前記第１の端末機器のＣＳＩを測定する第１の測定リソースを決定することは、前記端末機器がＣＳＩ測定用のリソース配置情報に含まれた測定リソース配置によって前記第１の端末機器のＣＳＩを測定する第１の測定リソースを決定することを含む。
【００２５】
第１の態様の上記可能な実現形態を参照し、第１の態様の第２０の実現形態において、前記第１の端末機器が前記ＣＳＩ測定用のリソース配置情報によって前記第１の端末機器のＣＳＩを測定する第１の測定リソースを決定する前に、前記方法はさらに、前記端末機器がネットワーク機器から送信されたＮ個の第１の測定リソース配置を受信することを含み、前記第１の端末機器が前記ＣＳＩ測定用のリソース配置情報によって前記第１の端末機器のＣＳＩを測定する第１の測定リソースを決定することは、前記端末機器が前記ＣＳＩ測定用のリソース配置情報に含まれた測定リソース配置指示情報によって前記Ｎ個の第１の測定リソース配置からＭ個の第１の測定リソース配置を決定することと、前記端末機器が前記Ｍ個の第１の測定リソース配置によって前記第１の端末機器のＣＳＩを測定する前記第１の測定リソースを決定することと、を含み、ここで、Ｍが１以上且つＮ以下の整数で、Ｎが１以上の整数とする。
【００２６】
第１の態様の上記可能な実現形態を参照し、第１の態様の第２１の実現形態において、前記ＤＣＩに伝送方式仮定情報を含み、前記第１の端末機器が前記第１の端末機器のＣＳＩを測定することは、前記第１の端末機器が前記伝送方式仮定情報によって前記ネットワーク機器が下りリンクデータを送信するための伝送方式を決定することと、前記ネットワーク機器が下りリンクデータを送信するための伝送方式に基づき、前記第１の端末機器が前記第１の端末機器のＣＳＩを測定することと、を含む。
【００２７】
第１の態様の上記可能な実現形態を参照し、第１の態様の第２２の実現形態において、ＣＳＩのタイプ情報を含み、前記第１の端末機器が前記第１の端末機器のＣＳＩを測定することは、前記第１の端末機器が前記ＣＳＩのレポートタイプ情報によってネットワーク機器に送信する前記第１の端末機器のＣＳＩのタイプを決定することと、前記第１の端末機器が前記第１の端末機器のＣＳＩのタイプに基づいて前記第１の端末機器のＣＳＩを測定することと、を含む。
【００２８】
第１の態様の上記可能な実現形態を参照し、第１の態様の第２３の実現形態において、前記ＤＣＩにコードブック指示情報を含み、前記第１の端末機器が前記第１の端末機器のＣＳＩを測定することは、前記第１の端末機器が前記コードブック指示情報によって前記第１の端末機器のＣＳＩを測定するためのコードブックを決定することと、前記第１の端末機器が前記第１の端末機器のＣＳＩを測定するためのコードブックによって前記第１の端末機器のＣＳＩを測定することと、を含み、前記第１の端末機器が前記ネットワーク機器に前記第１の端末機器のＣＳＩを送信することは、前記第１の端末機器が前記第１の端末機器のＣＳＩを測定するためのコードブックによって前記ネットワーク機器に前記第１の端末機器のＣＳＩを送信することを含む。
【００２９】
第１の態様の上記可能な実現形態を参照し、第１の態様の第２４の実現形態において、前記ＤＣＩにコードブックサブセット制約情報を含み、前記第１の端末機器が前記第１の端末機器のＣＳＩを測定することは、前記第１の端末機器が前記コードブックサブセット制約情報によって前記第１の端末機器のＣＳＩを測定するためのコードワードを決定することと、前記第１の端末機器が前記第１の端末機器のＣＳＩを測定するためのコードワードによって前記第１の端末機器のＣＳＩを測定することと、を含み、前記第１の端末機器が前記ネットワーク機器に前記第１の端末機器のＣＳＩを送信することは、前記第１の端末機器が前記第１の端末機器のＣＳＩを測定するためのコードワードによって前記ネットワーク機器に前記第１の端末機器のＣＳＩを送信することを含む。
【００３０】
第１の態様の上記可能な実現形態を参照し、第１の態様の第２５の実現形態において、前記第１の端末機器が前記ＤＣＩによって前記ネットワーク機器に前記第１の端末機器のＣＳＩを送信する前に、前記方法はさらに、前記第１の端末機器が前記ネットワーク機器から送信されたＣＳＩのレポート回数情報及び／又はＣＳＩのレポート時間長さ情報を受信することを含み、前記第１の端末機器が前記ＤＣＩによって前記ネットワーク機器に前記第１の端末機器のＣＳＩを送信することは、前記第１の端末機器が前記ＣＳＩのレポート回数情報及び／又はＣＳＩのレポート時間長さ情報によってＣＳＩのレポート回数及び／又はＣＳＩのレポート時間長さを決定することと、前記第１の端末機器が前記ＣＳＩのレポート回数及び／又は前記ＣＳＩのレポート時間長さ及び前記ＤＣＩによって前記ネットワーク機器に前記第１の端末機器のＣＳＩを送信することと、を含む。
【００３１】
第１の態様の上記可能な実現形態を参照し、第１の態様の第２６の実現形態において、前記ＣＳＩは、プレコーディングマトリックスインデックスＰＭＩ、ランクインデックスＲＩ、チャンネル品質インデックスＣＱＩの少なくとも１つを含む。
【００３２】
第２の態様では提供されるチャンネル状態情報の伝送方法は、ネットワーク機器が第１の端末機器に下りリンク制御情報ＤＣＩを送信することと、前記ネットワーク機器が前記第１の端末機器から前記ＤＣＩによって送信された前記第１の端末機器のＣＳＩを受信することと、を含む。
【００３３】
第２の態様の第１の可能な実現形態において、前記ＤＣＩは、前記第１の端末機器を含む複数の端末機器における各端末機器がＣＳＩをレポートするか否かを指示することに用いられる。
【００３４】
第２の態様の上記可能な実現形態を参照し、第２の態様の第２の可能な実現形態において、前記ＤＣＩは、前記第１の端末機器を含む複数の端末機器における各端末機器がＣＳＩをレポートするか否かを指示するためのビットを含むＣＳＩレポート用のトリガービットシーケンス、前記複数の端末機器のうちＣＳＩをレポートする端末機器がＣＳＩをレポートする回数を指示するためのＣＳＩのレポート回数情報、前記複数の端末機器のうちＣＳＩをレポートする端末機器がＣＳＩをレポートする持続時間長さを指示するためのＣＳＩのレポート時間長さ情報、前記複数の端末機器のうちＣＳＩをレポートする端末機器がＣＳＩをレポートするためのリソースを指示するためのＣＳＩレポート用の物理リソース配置情報、前記複数の端末機器のうちＣＳＩをレポートする端末機器がＣＳＩを測定するためのリソースを指示するためのＣＳＩ測定用のリソース配置情報、前記複数の端末機器のうちＣＳＩをレポートする端末機器がＣＳＩをレポートするための変調符号化方式を指示するためのＣＳＩ伝送用の変調符号化方式ＭＣＳ指示情報、前記ネットワーク機器から前記複数の端末機器のうちＣＳＩをレポートする端末機器に下りリンクデータを送信するための伝送方式を指示するための伝送方式仮定情報、前記複数の端末機器のうちＣＳＩをレポートする端末機器がＣＳＩをレポートするタイプを指示するためのＣＳＩのレポートタイプ情報、前記複数の端末機器のうちＣＳＩをレポートする端末機器がＣＳＩを測定及びレポートするためのコードブックを指示するためのコードブック指示情報、前記複数の端末機器のうちＣＳＩをレポートする端末機器がＣＳＩを測定及びレポートするためのコードワードを指示するためのコードブックサブセット制約情報の少なくとも１つを含む。
【００３５】
第２の態様の上記可能な実現形態を参照し、第２の態様の第３の可能な実現形態において、前記ＣＳＩレポート用のトリガービットシーケンスに複数のビットが含まれる場合、前記ＣＳＩのトリガービットシーケンスにおける各ビットは、前記複数の端末機器における１つの端末機器がＣＳＩをレポートするか否かを指示することに用いられる。
【００３６】
第２の態様の上記可能な実現形態を参照し、第２の態様の第４の実現形態において、具体的には、前記ＣＳＩレポート用の物理リソース配置情報は、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられる。
【００３７】
第２の態様の上記可能な実現形態を参照し、第２の態様の第５の実現形態において、前記複数の端末機器のうちＣＳＩをレポートする各端末機器がＣＳＩをレポートするときにそれぞれ利用される物理リソースは、周波数領域リソース及び／又は時間領域リソースを含み、及び／又は、前記複数の端末機器のうちＣＳＩをレポートする全ての端末機器がＣＳＩをレポートするときに共通で利用される物理リソースは、周波数領域リソース及び／又は時間領域リソースを含む。
【００３８】
第２の態様の上記可能な実現形態を参照し、第２の態様の第６の実現形態において、前記ＣＳＩ測定用のリソース配置情報は、ＣＳＩプロセス、下りリンクパイロットのリソース配置情報及び干渉測定用のリソース配置情報の少なくとも１つを含む。
【００３９】
第２の態様の上記可能な実現形態を参照し、第２の態様の第７の実現形態において、前記ネットワーク機器が複数の端末機器にＤＣＩを送信することは、前記ネットワーク機器が前記複数の端末機器に前記複数の端末機器に共用される身分識別情報を指示するためのグループ識別子Ｇｒｏｕｐ  ＩＤ又は前記複数の端末機器に共用される無線ネットワーク臨時識別子情報を指示するためのグループＣＳＩ無線ネットワーク臨時識別子Ｇｒｏｕｐ−ＣＳＩ−ＲＮＴＩによって巡回冗長検査ＣＲＣスクランブリングを行う前記ＤＣＩを送信することを含む。
【００４０】
第２の態様の上記可能な実現形態を参照し、第２の態様の第８の実現形態において、前記ネットワーク機器が複数の端末機器にＤＣＩを送信する前に、前記方法はさらに、前記複数の端末機器が前記Ｇｒｏｕｐ  ＩＤ又は前記Ｇｒｏｕｐ−ＣＳＩ−ＲＮＴＩによって前記Ｇｒｏｕｐ  ＩＤ又は前記グループＣＳＩ無線ネットワーク臨時識別子Ｇｒｏｕｐ−ＣＳＩ−ＲＮＴＩによってＣＲＣスクランブリングを行う前記ＤＣＩを受信するように、前記ネットワーク機器が前記複数の端末機器に前記Ｇｒｏｕｐ  ＩＤ又は前記Ｇｒｏｕｐ−ＣＳＩ−ＲＮＴＩを送信することを含む。
【００４１】
第２の態様の上記可能な実現形態を参照し、第２の態様の第９の実現形態において、前記ＤＣＩに前記ＣＳＩレポート用のトリガービットシーケンスを含み、前記ネットワーク機器が第１の端末機器から前記ＤＣＩによって送信された前記第１の端末機器のＣＳＩを受信する前に、前記方法はさらに、前記第１の端末機器が前記第１の端末機器のインデックス情報によって前記第１の端末機器に対応するＣＳＩレポート用のトリガービットを決定し、そして前記ＣＳＩレポート用のトリガービットによって前記第１の端末機器のＣＳＩをレポートするか否かを決定するように、前記ネットワーク機器が前記第１の端末機器に対応するＣＳＩレポート用のトリガービットの、前記ＣＳＩレポート用のトリガービットシーケンスにおける位置を指示するための前記第１の端末機器のインデックス情報を前記第１の端末機器に送信することを含む。
【００４２】
第２の態様の上記可能な実現形態を参照し、第２の態様の第１０の実現形態において、前記ＤＣＩにＣＳＩレポート用の物理リソース配置情報を含み、前記ネットワーク機器が第１の端末機器から前記ＤＣＩによって送信された前記第１の端末機器のＣＳＩを受信することは、前記ネットワーク機器が前記第１の端末機器から前記第１の端末機器により前記ＤＣＩに含まれた前記ＣＳＩレポート用の物理リソース配置情報によって決定された第１のレポートリソースで送信された前記第１の端末機器のＣＳＩを受信することを含む。
【００４３】
第２の態様の上記可能な実現形態を参照し、第２の態様の第１１の実現形態において、前記ネットワーク機器が第１の端末機器から前記ＤＣＩによって送信された前記第１の端末機器のＣＳＩを受信する前に、前記方法はさらに、前記ネットワーク機器が前記第１の端末機器に、前記第１の端末機器のＣＳＩを送信するリソースの位置を指示するための物理リソースインデックスを送信することを含み、前記ネットワーク機器が前記第１の端末機器から前記第１のレポートリソースで送信された第１の端末機器のＣＳＩを受信することは、前記ネットワーク機器が前記第１の端末機器から前記物理リソース指示情報によって前記ＣＳＩレポート用の物理リソース配置情報によって決定された第１のリソースエリアのリソースで決定された前記第１のレポートリソースで送信された前記第１の端末機器のＣＳＩを受信することを含む。
【００４４】
第２の態様の上記可能な実現形態を参照し、第２の態様の第１２の実現形態において、前記ネットワーク機器が第１の端末機器から前記ＤＣＩによって送信された前記第１の端末機器のＣＳＩを受信する前に、前記方法はさらに、前記ネットワーク機器が前記第１の端末機器に、前記第１の端末機器の、ＣＳＩをレポートする端末機器における位置情報を指示するための前記第１の端末機器のインデックスを送信することを含み、前記ネットワーク機器が前記第１の端末機器から第１のレポートリソースで送信された前記第１の端末機器のＣＳＩを受信することは、前記ネットワーク機器が前記第１の端末機器から前記第１の端末機器のインデックスによって前記ＣＳＩレポート用の物理リソース配置情報によって決定された前記第１のリソースエリアのリソースで決定された前記第１のレポートリソースで送信された前記第１の端末機器のＣＳＩを受信することを含む。
【００４５】
第２の態様の上記可能な実現形態を参照し、第２の態様の第１３の実現形態において、前記ネットワーク機器が第１の端末機器に下りリンク制御情報ＤＣＩを送信する前に、前記方法はさらに、前記端末機器が前記ＣＳＩ測定用のリソース配置情報に含まれた測定リソース配置指示情報によって前記Ｎ個の第１の測定リソース配置からＭ個の第１の測定リソース配置を決定し、そして前記Ｍ個の第１の測定リソース配置によって前記第１の端末機器のＣＳＩを測定する前記第１の測定リソースを決定するように、前記ネットワーク機器が前記第１の端末機器にＮ個の測定リソース配置を送信することを含み、ここで、Ｍが１以上且つＮ以下の整数で、Ｎが１以上の整数とする。
【００４６】
第２の態様の上記可能な実現形態を参照し、第２の態様の第１４の実現形態において、前記ネットワーク機器が第１の端末機器から前記ＤＣＩによって送信された前記第１の端末機器のＣＳＩを受信する前に、前記方法はさらに、前記ネットワーク機器が前記複数の端末機器にＣＳＩのレポート回数情報及び／又はＣＳＩのレポート時間長さ情報を送信することを含み、前記ネットワーク機器が第１の端末機器から前記ＤＣＩによって送信された前記第１の端末機器のＣＳＩを受信することは、前記ネットワーク機器が前記第１の端末機器から前記ＣＳＩのレポート回数情報及び／又は前記ＣＳＩのレポート時間長さ情報及び前記ＤＣＩによって送信された前記第１の端末機器のＣＳＩを受信することを含む。
【００４７】
第２の態様の上記可能な実現形態を参照し、第２の態様の第１５の実現形態において、前記ＣＳＩは、プレコーディングマトリックスインデックスＰＭＩ、ランクインデックスＲＩ、チャンネル品質インデックスＣＱＩの少なくとも１つを含む。
【００４８】
第３の態様では提供されるチャンネル状態情報の伝送装置は、上記第１の態様又は第１の態様の任意の可能な実現形態における方法を実行する。具体的には、該装置は、上記第１の態様又は第１の態様の任意の可能な実現形態における方法を実行するためのユニットを含む。
【００４９】
第４の態様では提供されるチャンネル状態情報の伝送装置は、上記第２の態様又は第２の態様の任意の可能な実現形態における方法を実行する。具体的には、該装置は、上記第２の態様又は第２の態様の任意の可能な実現形態における方法を実行するためのユニットを含む。
【００５０】
第５の態様では提供されるチャンネル状態情報の伝送システムは、上記第３の態様又は第３の態様の任意の可能な実現形態における装置及び上記第４の態様又は第４の態様の任意の可能な実現形態におけるものを含む。
【００５１】
第６の態様では提供されるチャンネル状態情報の伝送装置は、受信器と、送信器と、メモリと、プロセッサと、バスシステムとを含む。該受信器、該送信器、該メモリ及び該プロセッサは、該バスシステムを介して接続され、該メモリは、コマンドを記憶し、該プロセッサは、該メモリに記憶されているコマンドを実行して、受信器が信号を受信し、送信器が信号を送信するよう制御し、且つ該プロセッサが該メモリに記憶されているコマンドを実行するとき、該実行によって該プロセッサが第１の態様又は第１の態様の任意の可能な実現形態における方法を実行する。
【００５２】
第７の態様では提供されるチャンネル状態情報の伝送装置は、受信器と、送信器と、メモリと、プロセッサと、バスシステムとを含む。該受信器、該送信器、該メモリ及び該プロセッサは、該バスシステムを介して接続され、該メモリは、コマンドを記憶し、該プロセッサは、該メモリに記憶されているコマンドを実行して、受信器が信号を受信し、送信器が信号を送信するよう制御し、且つ該プロセッサが該メモリに記憶されているコマンドを実行するとき、該実行によって該プロセッサが第２の態様又は第２の態様の任意の可能な実現形態における方法を実行する。
【００５３】
第８の態様では提供されるコンピュータ読み取り可能媒体は、第１の態様又は第１の態様の任意の可能な実現形態における方法を実行するためのコマンドを含むコンピュータプログラムを記憶する。
【００５４】
第９の態様では提供されるコンピュータ読み取り可能媒体は、第２の態様又は第２の態様の任意の可能な実現形態における方法を実行するためのコマンドを含むコンピュータプログラムを記憶する。
【図面の簡単な説明】
【００５５】
本発明の実施例の技術的解決手段についてより明確に説明するために、以下、本発明の実施例又は従来技術の記述に対して必要な図面を用いて簡潔に説明を行うが、当然ながら、以下に記載する図面は本発明の実施例の一部にすぎず、当業者であれば、創造的な労力を要することなく、これらの図面に基づき他の図面を想到し得る。
【図１】本発明の実施例に係るチャンネル状態情報の伝送方法の説明図である。
【図２】本発明の実施例に係る別のチャンネル状態情報の伝送方法の説明図である。
【図３】本発明の実施例に係るチャンネル状態情報の伝送装置の概略ブロック図である。
【図４】本発明の実施例に係る別のチャンネル状態情報の伝送装置の概略ブロック図である。
【図５】本発明の実施例に係る別のチャンネル状態情報の伝送装置の概略ブロック図である。
【図６】本発明の実施例に係る別のチャンネル状態情報の伝送装置の概略ブロック図である。
【発明を実施するための形態】
【００５６】
以下、本発明の実施例の図面を参照しながら、本発明の実施例の技術的解決手段について明確で、完全に説明するが、当然ながら、記載する実施例は本発明の一部の実施例にすぎず、全ての実施例ではない。本発明の実施例に基づき、当業者が創造的な労力を要さずに想到し得る他の実施例は、いずれも本発明の技術的範囲に属する。
【００５７】
理解されるように、本発明の技術的解決手段は、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロング・ターム・エヴォリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）又はマイクロ波アクセスのための世界的な相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム、及び未来要望される通信システムなど、各種の通信システムに応用できる。
【００５８】
また理解されるように、本発明の実施例では、端末機器は、ユーザー機器（Ｕｓｅｒ  Ｅｑｕｉｐｍｅｎｔ、「ＵＥ」と略称）、端末機器、モバイルステーション（Ｍｏｂｉｌｅ  Ｓｔａｔｉｏｎ、「ＭＳ」と略称）、モバイルターミナル（Ｍｏｂｉｌｅ  Ｔｅｒｍｉｎａｌ）又は未来の５Ｇネットワークの端末機器などと呼ばれてもよく、この端末機器は、無線アクセスネットワーク（Ｒａｄｉｏ  Ａｃｃｅｓｓ  Ｎｅｔｗｏｒｋ、「ＲＡＮ」と略称）を介して１つ又は複数のコアネットワークと通信することができ、例えば、端末は、携帯電話（又は「セルラー」電話と呼ばれる）やモバイルターミナルを有するコンピュータなどでもよいし、ポータブル、小型式、ハンドヘルド、コンピュータ内蔵や車載のモバイルデバイスでもよい。それらは、無線アクセスネットワークと音声及び／又はデータを交換する。
【００５９】
ネットワーク機器は、モバイルデバイスと通信することができ、ネットワーク機器は、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）又は符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）のベーストランシーバ基地局（Ｂａｓｅ  Ｔｒａｎｓｃｅｉｖｅｒ  Ｓｔａｔｉｏｎ、「ＢＴＳ」と略称）でもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）の基地局（ＮｏｄｅＢ、「ＮＢ」と略称）でもよく、さらにＬＴＥの進化型基地局（Ｅｖｏｌｕｔｉｏｎａｌ  ＮｏｄｅＢ、「ｅＮＢ」又は「ｅＮｏｄｅＢ」と略称）でもよく、或いは中継局やアクセスポイント、車載機器、ウェアラブルデバイス及び未来の５Ｇネットワークのネットワークアクセス機器でもよい。
【００６０】
図１に本発明の実施例に係るチャンネル状態情報の伝送方法１００の概略フローチャートを示す。図１にはチャンネル状態情報の伝送方法のステップや操作を示しているが、これらのステップや操作は例示だけで、本発明の実施例はさらにその他の操作や図１の各操作の変形を実行することができる。該方法１００は、
ネットワーク機器が第１の端末機器に下りリンク制御情報を送信するＳ１１０と、
前記ネットワーク機器が第１の端末機器から前記下りリンク制御情報によって送信された前記第１の端末機器のＣＳＩを受信するＳ１２０と、を含む。
【００６１】
図２に本発明の実施例に係るチャンネル状態情報の伝送方法２００の概略フローチャートを示す。図２にはチャンネル状態情報の伝送方法のステップや操作を示しているが、これらのステップや操作は例示だけで、本発明の実施例はさらにその他の操作や図２の各操作の変形を実行することができる。該方法２００は、
第１の端末機器がネットワーク機器から送信された下りリンク制御情報を受信するＳ２１０と、
前記第１の端末機器が前記ＤＣＩによってＣＳＩをレポートするか否かを決定するＳ２２０と、
前記第１の端末機器がＣＳＩをレポートすると決定する場合、前記第１の端末機器が前記ネットワーク機器に前記第１の端末機器のＣＳＩを送信するＳ２３０と、を含む。
【００６２】
そのため、ネットワーク機器から送信されたＤＣＩによって第１の端末機器をトリガーしてＣＳＩをレポートし、さらに端末機器が自身のＣＳＩをレポートすることを可能にする。
【００６３】
場合によっては、前記ＤＣＩは、前記第１の端末機器を含む複数の端末機器における各端末機器がＣＳＩをレポートするか否かを指示することに用いられる。
【００６４】
具体的には、ネットワーク機器は、前記複数の端末機器のうち各端末機器が各端末機器とネットワーク機器との間のＣＳＩをレポートするか否かを指示する下りリンク制御情報を複数の端末機器に送信し、このようにして、複数の端末機器における各端末機器は、下りリンク制御情報によってネットワーク機器にＣＳＩをフィードバックするか否かを決定することができる。複数の端末機器の第１の端末機器が下りリンク制御情報によって第１の端末機器とネットワーク機器との間のＣＳＩをフィードバックすると決定する場合、第１の端末機器がネットワーク機器に第１の端末機器のＣＳＩを送信し、ネットワーク機器が第１の端末機器から送信された第１の端末機器のＣＳＩを受信し、ネットワーク機器が第１の端末機器のＣＳＩによってチャンネル品質情報を決定する。前記第１の端末機器が下りリンク制御情報によって第１の端末機器とネットワーク機器との間のＣＳＩをフィードバックしないと決定する場合、第１の端末機器がネットワーク機器に第１の端末機器を送信して第１の端末機器のＤＣＩを送信しない。このようにして、ネットワーク機器は各端末機器にＤＣＩを送信してＣＳＩレポートをトリガーせず、端末機器に下りリンク制御情報を１回送信するだけで複数の端末機器をトリガーしてＣＳＩをレポートできるので、シグナリングオーバーヘッドを節約することができる。
【００６５】
より具体的には、ネットワーク機器は、物理下りリンク制御チャンネル（Ｐｈｙｓｉｃａｌ  Ｄｏｗｎｌｉｎｋ  Ｃｏｎｔｒｏｌ  Ｃｈａｎｎｅｌ、「ＰＤＣＣＨ」と略称）又は物理下りリンク共有チャンネル（Ｐｈｙｓｉｃａｌ  Ｄｏｗｎｌｉｎｋ  Ｓｈａｒｅｄ  Ｃｈａｎｎｅｌ、「ＰＤＳＣＨ」と略称）を介して複数の端末機器にＤＣＩを送信でき、このようにして、複数の端末機器における各端末機器は、該下りリンク共有チャンネルの下りリンク制御情報を検出することができる。
【００６６】
理解されるように、本発明の実施例で言及したＤＣＩは、ＬＴＥの下りリンク制御情報でもよく、いかなるネットワーク機器から端末機器に送信された上位レイヤシグナリングでもよく、未来のネットワークシステムの下りリンク制御情報などでもよい。本発明の実施例はこれに限定されない。
【００６７】
本発明の実施例で言及したＣＳＩは、前記ＣＳＩはプレコーディングマトリックスインデックス（Ｐｒｅｃｏｄｉｎｇ  Ｍａｒｔｒｉｘ  Ｉｎｄｅｘ、「ＰＭＩ」と略称）、ランクインデックス（Ｒａｎｋ  Ｉｎｄｅｘ、「ＲＩ」と略称）、チャンネル品質インデックス（Ｃｈａｎｎｅｌ  Ｑｕａｌｉｔｙ  Ｉｎｄｅｘ、「ＣＱＩ」と略称）の少なくとも１つを含む。
【００６８】
選択可能な実施例として、ネットワーク機器が複数の端末機器に下りリンク制御情報を送信する前に、ネットワーク機器は、前記複数の端末機器に共用される身分識別情報を指示するためのグループ識別子Ｇｒｏｕｐ  ＩＤ又は前記複数の端末機器に共用される無線ネットワーク臨時識別子情報を指示するためのグループＣＳＩ無線ネットワーク臨時識別子Ｇｒｏｕｐ−ＣＳＩ−ＲＮＴＩを複数の端末機器に送信し、複数の端末機器の第１の端末機器は、前記Ｇｒｏｕｐ  ＩＤ又は前記Ｇｒｏｕｐ−ＣＳＩ−ＲＮＴＩを受信する。そして、ネットワーク機器は、グループ識別子Ｇｒｏｕｐ  ＩＤ又はグループＣＳＩ無線ネットワーク臨時識別子Ｇｒｏｕｐ−ＣＳＩ−ＲＮＴＩによってＣＲＣスクランブリングを行う前記下りリンク制御情報を複数の端末機器に送信し、複数の端末機器の第１の端末機器は、受信した前記Ｇｒｏｕｐ  ＩＤ又は前記Ｇｒｏｕｐ−ＣＳＩ−ＲＮＴＩによってグループ識別子Ｇｒｏｕｐ  ＩＤ又はグループＣＳＩ無線ネットワーク臨時識別子Ｇｒｏｕｐ−ＣＳＩ−ＲＮＴＩによってＣＲＣスクランブリングを行う前記下りリンク制御情報を受信し、従って、ネットワーク機器は、特定の識別子情報を利用して下りリンク制御情報をスクランブリングでき、端末機器は、特定の識別子情報を利用して下りリンク制御情報をデスクランブリングし、このようにして、端末機器が下りリンク制御情報を正しく受信することを保証できる。例えば、ネットワーク機器はまた、その他の情報を利用して下りリンク制御情報をスクランブリングでき、具体的にはどのようにスクランブリングするかは、プロトコルによる規定又はネットワークによる配置に従う。本発明の実施例はこれに限定されない。
【００６９】
理解されるように、該第１の端末機器は、複数の端末機器のいかなる端末機器でもよく、該複数の端末機器における端末機器の数は、所定の数でもよい。
【００７０】
また理解されるように、該下りリンク制御情報は、複数の端末機器のうちＣＳＩをレポートする端末機器がＣＳＩをレポートする回数を指示し、ＣＳＩのレポート回数は、一回や数回でもよく、継続的なレポートでもよい。当然のことながら、複数の端末機器のうちＣＳＩをレポートする全ての端末機器は、同じレポート回数を採用してもよく、異なるレポート回数を採用してもよい。本発明の実施例はこれに限定されない。
【００７１】
場合によっては、下りリンク制御情報は、下記の１０項目の少なくとも１つを含む。
【００７２】
第１は、ＣＳＩレポート用のトリガービットシーケンスであり、該ＣＳＩレポート用のトリガービットシーケンスの１つのビットは、複数の端末機器の１つのビットに対応し、或いは、該ＣＳＩレポート用のトリガービットシーケンスにおいて、１つのビットだけで複数の端末機器のうち全ての端末機器がＣＳＩをレポートするかを指示し、或いは、該ＣＳＩレポート用のトリガービットシーケンスにおいて、１つのビットで２つ以上の端末機器がＣＳＩをレポートするか否かを指示でき、具体的には、ビットマップ（ｂｉｔｍａｐ）を利用して複数の端末機器がＣＳＩをレポートするか否かを指示でき、該ビットシーケンスの長さは、端末機器の数と同じであってもよく、すなわち、１つのビットは、１つの端末機器に対応し、例えば、長さが１０ビットのビットシーケンスは、１０個の端末機器に対応し、１０個のビットシーケンスにおいてビット値が１のビットは、該ビットに対応する端末機器がＣＳＩをレポートすることを指示し、１０個のビットシーケンスにおいてビット値が０のビットは、該ビットに対応する端末機器がＣＳＩをレポートしないことを指示する。当然のことながら、前記ビットシーケンスの複数のビットは、前記複数の端末機器における１つの端末機器に対応することができる。
【００７３】
選択可能な実施例として、前記下りリンク制御情報にＣＳＩレポート用のトリガービットシーケンスを含む場合、Ｓ１２０の前に、前記方法１００はさらに、前記ネットワーク機器が前記各端末機器の前記ＣＳＩレポート用のトリガービットシーケンスにおける位置を指示するための前記複数の端末機器における各端末機器のインデックス情報を前記複数の端末機器に送信することを含む。Ｓ２２０の前に、前記方法２００はさらに、前記第１の端末機器がネットワーク機器から送信された前記第１の端末機器のインデックス情報を受信することを含む。ここで、Ｓ２２０は、前記第１の端末機器が前記第１の端末機器のインデックス情報及び前記ビットシーケンスによって前記ネットワーク機器に前記第１の端末機器のＣＳＩを送信することを含む。Ｓ１２０は、前記ネットワーク機器が前記第１の端末機器から前記第１の端末機器のインデックス情報及び前記ビットシーケンスによって送信された前記第１の端末機器のＣＳＩを受信することを含む。
【００７４】
具体的には、ネットワーク機器は、複数の端末機器における各端末機器に各端末機器のインデックスを送信し、該インデックスを複数の端末機器における各端末機器に同時に送信してもよく、複数の端末機器における各端末機器にそれぞれ送信してもよく、すなわち、各端末機器は、自身のインデックスによってビットシーケンスにおける位置を決定し、そして各端末機器のビットシーケンスにおける位置のビット値によってネットワーク機器に自身のＣＳＩをフィードバックするか否かを決定できる。例えば、該ビットシーケンスの長さを１０とすれば、それぞれ１０個の端末機器に対応し、すなわち、該ビットシーケンスは、該１０個の端末機器がＣＳＩをレポートするか否かをトリガーでき、該ビットシーケンスの値を｛１０１００１１００００｝とすれば、該ビットシーケンスの左から右まで対応するインデックスが０１２３４５６７８９であるとデフォルトし、第１の端末機器のインデックスを２とし、インデックスが２のビットの位置で対応するビット値を１とすれば、第１の端末機器は、ＣＳＩをレポートすると決定する。
【００７５】
第２は、ＣＳＩのレポート回数情報であり、前記ＣＳＩのレポート回数情報は、前記複数の端末機器のうちＣＳＩをレポートする端末機器がＣＳＩをレポートする回数を指示し、当然のことながら、該ＣＳＩのレポート回数はまた、複数の端末機器における各端末機器がＣＳＩをレポートする回数を指示し、このようにして、１回指示すれば各端末機器がＣＳＩをレポートする回数を指示でき、複数の端末機器にＣＳＩをレポートしない端末機器があっても、ＣＳＩをレポートしない端末機器に指示を出すことができ、このようにして、ＣＳＩをレポートしないこれらの端末機器が次回受信した下りリンク制御情報は、これらの端末機器がＣＳＩをレポートすることを指示するとき、ＣＳＩのレポート回数を指示しないようになる。ＣＳＩのレポート回数は、複数の端末機器のうちＣＳＩをレポートする端末機器がＣＳＩをレポートする共通の回数でもよく、複数の端末機器のうちＣＳＩをレポートする端末機器がそれぞれ自身のＣＳＩをレポートする回数でもよく、或いは、ＣＳＩのレポート回数は、１つの端末機器がＣＳＩをレポートする回数でもよく、複数の端末機器がＣＳＩをレポートする回数でもよい。本発明の実施例はこれに限定されない。
【００７６】
第３は、ＣＳＩのレポート時間長さ情報であり、前記ＣＳＩのレポート時間長さ情報は、前記複数の端末機器のうちＣＳＩをレポートする端末機器がＣＳＩをレポートする持続時間長さを指示し、当然のことながら、該ＣＳＩのレポート時間長さはまた、複数の端末機器における各端末機器がＣＳＩをレポートする時間長さを指示し、このようにして、１回指示すれば各端末機器がＣＳＩをレポートする時間長さを指示でき、複数の端末機器にＣＳＩをレポートしない端末機器があっても、ＣＳＩをレポートしない端末機器に指示を出すことができ、このようにして、ＣＳＩをレポートしないこれらの端末機器が次回受信した下りリンク制御情報は、これらの端末機器がＣＳＩをレポートすることを指示するとき、ＣＳＩのレポート時間長さを指示しないようになる。ＣＳＩのレポート時間長さは、複数の端末機器のうちＣＳＩをレポートする端末機器がＣＳＩをレポートする共通の時間長さでもよく、複数の端末機器のうちＣＳＩをレポートする端末機器がそれぞれ自身のＣＳＩをレポートする時間長さでもよく、或いは、ＣＳＩのレポート時間長さは、１つの端末機器がＣＳＩをレポートする時間長さでもよく、複数の端末機器がＣＳＩをレポートする時間長さでもよい。本発明の実施例はこれに限定されない。
【００７７】
具体的には、ＣＳＩのレポート回数をＮとすれば、周期的にＮ回レポートしてもよく、Ｎが１以上の整数とする。ＣＳＩのレポート時間長さをＴとすれば、時間長さＴ内に周期的にレポートしてもよく、Ｔが０以上とする。当然のことながら、ＣＳＩのレポート時間長さを指示するとともに、ＣＳＩのレポート回数も指示することもでき、すなわち、時間長さＴ内にＮ回ＣＳＩをレポートすることを指示するとともに、時間長さＴ内に周期的にＮ回ＣＳＩをレポートすることを指示できる。より具体的には、ネットワークは、端末機器にＣＳＩのレポート回数とリソースとの第１のマッピング関係を配置でき、或いはプロトコルでＣＳＩのレポート回数とリソースとのマッピング関係を規定できる。例えば、該第１のマッピング関係は、Ｎ回ＣＳＩをレポートするための同じリソースでもよく、或いは、該第１のマッピング関係は、Ｎ回ＣＳＩをレポートするための周波数領域リソースや周波数領域変調の関係でもよい。例えば、特定のサブバンドおきに１つのＣＳＩをレポートする。ネットワークは、端末機器にＣＳＩのレポート時間長さとリソースとの第１のマッピング関係を配置でき、或いはプロトコルでＣＳＩのレポート時間長さとリソースとのマッピング関係を規定できる。例えば、該第１のマッピング関係は、特定の時間長さＴ内に特定の周波数領域リソースを利用してＣＳＩをレポートすることである。より具体的には、ＣＳＩのレポート時間長さは、複数の端末機器がＣＳＩをレポートする時間長さでもよく、該複数の端末機器がＣＳＩをレポートする時間長さは、共通で指示されてもよく、個別に指示されてもよい。ＣＳＩのレポート回数は、複数の端末機器がＣＳＩをレポートする回数でもよく、該複数の端末機器がＣＳＩをレポートする回数は、共通で指示されてもよく、個別に指示されてもよい。
【００７８】
選択可能な実施例として、Ｓ１２０の前に、前記方法１００はさらに、前記ネットワーク機器が前記複数の端末機器にＣＳＩのレポート回数情報及び／又はＣＳＩのレポート時間長さ情報を送信することを含む。Ｓ２２０の前に、前記方法２００はさらに、前記第１の端末機器がネットワーク機器から送信されたＣＳＩのレポート回数情報及び／又はＣＳＩのレポート時間長さ情報を受信することを含む。Ｓ１２０は、前記ネットワーク機器が前記第１の端末機器から前記ＣＳＩのレポート回数情報及び／又は前記ＣＳＩのレポート時間長さ情報によって送信された前記第１の端末機器のＣＳＩを受信することを含む。Ｓ２２０は、前記第１の端末機器が前記ＣＳＩのレポート回数及び／又は前記ＣＳＩのレポート時間長さによって前記ネットワーク機器に前記第１の端末機器のＣＳＩを送信することを含む。
【００７９】
具体的には、前述のＣＳＩのレポート回数情報及び／又はＣＳＩのレポート時間長さ情報は、ネットワーク機器が上位レイヤシグナリングによって事前に複数の端末機器に送信するものでもよく、ＤＣＩを介して複数の端末機器に送信するものでもよい。具体的にはどのようにＣＳＩのレポート回数情報及び／又はＣＳＩのレポート時間長さ情報を送信するかは、プロトコルによる規定又はネットワークによる配置に従う。本発明の実施例はこれに限定されない。
【００８０】
第４は、ＣＳＩ伝送用のＭＣＳ指示情報であり、前記ＣＳＩ伝送用の変調符号化方式指示情報は、前記複数の端末機器のうちＣＳＩをレポートする端末機器がＣＳＩをレポートするための変調符号化方式を指示し、前記前記ＣＳＩ伝送用の変調符号化方式指示情報は、複数の端末機器における各端末機器の変調符号化方式を指示してもよく、複数の端末機器の全ての端末機器の変調符号化方式を指示してもよく、複数の端末機器のうち一部の端末機器の変調符号化方式は、同じであってもよい。
【００８１】
第５は、ＣＳＩレポート用のリソース物理配置情報であり、前記ＣＳＩレポート用の物理リソース配置情報は、前記複数の端末機器のうちＣＳＩをレポートする端末機器がＣＳＩをレポートするための物理リソースを指示し、当然のことながら、前記ＣＳＩレポート用の物理リソース配置情報はまた、複数の端末機器における各端末機器がＣＳＩをレポートするための物理リソースを指示する。具体的には、前記ＣＳＩレポート用の物理リソース配置情報は、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりする。より具体的には、前記複数の端末機器のうちＣＳＩをレポートする各端末機器がＣＳＩをレポートするときにそれぞれ利用される物理リソースは、周波数領域リソース及び／又は時間領域リソースを含み、或いは、前記複数の端末機器のうちＣＳＩをレポートする全ての端末機器がＣＳＩをレポートするときに共通で利用される物理リソースは、周波数領域リソース及び／又は時間領域リソースを含む。具体的には、周波数領域リソースは、ＣＳＩをレポートするための物理リソースブロック（Ｐｈｙｓｉｃａｌ  Ｒｅｓｏｕｒｃｅ  Ｂｌｏｃｋ、「ＰＲＢ」と略称）又はリソースブロックグループ（Ｒｅｓｏｕｒｃｅ  Ｂｌｏｃｋ  Ｇｒｏｕｐ、「ＲＢＧ」と略称）でもよい。時間領域リソースは、ＣＳＩをレポートするための時間領域リソースユニットでもよく、例えば、ＣＳＩをレポートするための該時間領域リソースユニットは、サブフレーム、タイムスロット、直交周波数分割多重符号（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、「ＯＦＤＭ」と略称）などでもよい。さらに例えば、時間領域リソースは、端末機器がＣＳＩをレポートする時間領域リソースとネットワーク機器がＤＣＩを送信する時間領域リソースとの偏差でもよい。周波数領域リソースは、端末機器がＣＳＩをレポートする周波数領域リソースとネットワーク機器がＤＣＩを送信する周波数領域リソースとの偏差でもよい。本発明の実施例はこれに限定されない。
【００８２】
ネットワーク機器が端末機器に送信した下りリンク制御情報にＣＳＩレポート用の物理リソース配置情報を含む場合、Ｓ２２０は、前記第１の端末機器が前記下りリンク制御情報に含まれた前記ＣＳＩレポート用の物理リソース配置情報によって前記第１の端末機器のＣＳＩをレポートする第１のレポートリソースを決定することと、前記第１の端末機器が前記第１のレポートリソースで前記ネットワーク機器に前記第１の端末機器のＣＳＩを送信することと、を含む。Ｓ１２０は、前記ネットワーク機器が前記第１の端末機器から前記第１のレポートリソースで送信された前記第１の端末機器のＣＳＩを受信することを含む。具体的には、前記第１の端末機器が前記下りリンク制御情報に含まれた前記ＣＳＩレポート用の物理リソース配置情報によって前記第１の端末機器のＣＳＩをレポートする第１のレポートリソースを決定することは、前記第１の端末機器が前記ＣＳＩレポート用の物理リソース配置情報によって前記第１の端末機器のＣＳＩを送信する第１のリソースエリアを決定することと、前記第１の端末機器が前記第１のリソースエリアのリソースで前記第１の端末機器のＣＳＩを送信する前記第１のレポートリソースを決定することと、を含む。前記第１の端末機器が前記第１のリソースエリアのリソースで前記第１の端末機器のＣＳＩを送信する前記第１のレポートリソースを決定することは、下記の５種類の方式を利用することができる。
【００８３】
１、前記第１の端末機器が前記第１のリソースエリアの全てのリソースを前記第１のレポートリソースとして決定する。
【００８４】
２、前記第１の端末機器が前記第１のリソースエリアでランダムに複数の物理リソースを選んで前記第１のレポートリソースとして決定し、例えば該複数の物理リソースは、１つのリソース集合でもよく、すなわち、第１のリソースエリアに複数のリソース集合を含むことができ、第１の端末機器は、第１のリソースエリアに含まれた複数のリソース集合からランダムに１つのリソース集合を選んで第１の端末がＣＳＩをレポートする第１のレポートリソースとすることができる。
【００８５】
３、Ｓ１２０の前に、前記方法１００はさらに、前記ネットワーク機器が前記第１の端末機器に物理リソースインデックスを送信することを含む。前記第１の端末機器が前記第１のリソースエリアのリソースで前記第１の端末機器のＣＳＩを送信する前記第１のレポートリソースを決定する前に、前記方法２００はさらに、前記第１の端末機器が前記ネットワーク機器から送信された、前記第１の端末機器のＣＳＩを送信するリソースの位置を指示するための物理リソースインデックスを受信することを含む。前記第１の端末機器が前記第１のリソースエリアのリソースで第１の端末機器のＣＳＩを送信する前記第１のレポートリソースを決定することは、前記第１の端末機器が前記物理リソースインデックスによって前記第１のリソースエリアのリソースで前記第１の端末機器のＣＳＩを送信する前記第１のレポートリソースを決定することを含む。前記ネットワーク機器が前記第１の端末機器から第１のレポートリソースで送信された前記第１の端末機器のＣＳＩを受信することは、前記ネットワーク機器が前記第１の端末機器から前記物理リソース指示情報によって第１のリソースエリアのリソースで決定された前記第１のレポートリソースで送信された前記第１の端末機器のＣＳＩを受信することを含む。
【００８６】
場合によっては、前記物理リソースインデックスは、ネットワーク機器に指示された前記第１の端末機器に対応するＣＳＩトリガービットの、前記ＤＣＩに含まれたＣＳＩトリガービットシーケンスにおける位置によって得られる。
【００８７】
例えば、第１のレポートリソースにＭ個の物理リソース集合を含み、Ｍ個の物理リソース集合のうち１つの物理リソース集合が１つの端末機器のＣＳＩレポートに用いられ、ネットワーク機器が複数の端末機器に下りリンク制御情報を送信する前に、ネットワーク機器は、上位レイヤシグナリングによって各端末機器に利用される物理リソースインデックスを各端末機器に送信できる。例えばネットワーク機器は、ｌｏｇ２（Ｍ）ビットの上位レイヤシグナリングによって各端末機器に各端末機器に利用される物理リソースインデックスを送信でき、第１の端末機器は、自身の物理リソースインデックスによってＭ個の物理リソース集合から第１の端末機器のＣＳＩをレポートする第１のレポートリソースを決定する。
【００８８】
４、Ｓ１２０の前に、前記方法１００はさらに、前記ネットワーク機器が前記第１の端末機器に前記第１の端末機器のインデックスを送信することを含む。前記第１の端末機器が前記第１のリソースエリアのリソースで前記第１の端末機器のＣＳＩを送信する前記第１のレポートリソースを決定する前に、前記方法２００はさらに、前記第１の端末機器が前記ネットワーク機器から送信された、前記第１の端末機器の、ＣＳＩをレポートする端末機器における位置情報を指示するための前記第１の端末機器のインデックスを受信することを含む。前記第１の端末機器が前記第１のリソースエリアのリソースで前記第１の端末機器のＣＳＩを送信する前記第１のレポートリソースを決定することは、前記第１の端末機器が前記第１の端末機器のインデックスによって前記第１のリソースエリアのリソースで前記第１の端末機器のＣＳＩを送信する前記第１のレポートリソースを決定することと、第１の端末機器が前記第１のレポートリソースでネットワーク機器に前記第１の端末機器のＣＳＩを送信することを含む。前記ネットワーク機器が前記第１の端末機器から第１のレポートリソースで送信された前記第１の端末機器のＣＳＩを受信することは、前記ネットワーク機器が前記第１の端末機器から前記第１の端末機器のインデックスによって前記第１のリソースエリアのリソースで決定された前記第１のレポートリソースで送信された前記第１の端末機器のＣＳＩを受信することを含む。
【００８９】
例えば、複数の端末機器のいかなる端末機器、例えば第１の端末機器は、上位レイヤシグナリングによってネットワーク機器から送信された該第１の端末機器のインデックスを受信でき、ＣＳＩのレポート数がＬ個であり、前記第１の端末機器のインデックスに指示された対応するビットの前記Ｌ個の端末機器における位置（順序インデックス）がＰであり、Ｐが０以上でＬ以下の整数とすれば、前記第１の端末機器は、第１のレポートリソースエリアにおいてインデックスがＰの物理リソースを第１のレポートリソースとする。
【００９０】
５、前記下りリンク制御情報にＣＳＩ伝送用の変調符号化方式を含む場合、或いはＣＳＩ伝送用の変調符号化方式が下りリンク制御情報に担持されず、ネットワーク機器がその他の方式で複数の端末機器にＣＳＩ伝送用の変調符号化方式を送信する場合、前記第１の端末機器は、前記第１の端末機器のＣＳＩレポート用の変調符号化方式及び前記第１の端末機器のＣＳＩに占められるビットによってＣＳＩレポート用の物理リソースのサイズを算出する。前記第１の端末機器は、前記算出したＣＳＩレポート用の物理リソースのサイズによって前記第１のリソースエリアのリソースから前記第１の端末機器のＣＳＩを送信する前記第１のレポートリソース（Ｉｎｔｅｒｆｅｒｅｎｃｅ  Ｍｅａｓｕｒｅｍｅｎｔ  Ｒｅｓｏｕｒｃｅ、「ＩＭＲ」と略称）を決定する。
【００９１】
選択可能な実施例として、前記第１の端末機器が前記第１のリソースエリアのリソースで前記第１の端末機器のＣＳＩを送信する前記第１のレポートリソースを決定することは、前記第１の端末機器が前記複数の端末機器のうちＣＳＩをレポートする第２の端末機器と周波数分割多重化（Ｆｒｅｑｕｅｎｃｙ  Ｄｉｖｉｓｉｏｎ  Ｍｕｌｔｉｐｌｅｘｉｎｇ、「ＦＤＭ」と略称）方式、時分割多重化（Ｔｉｍｅ  Ｄｉｖｉｓｉｏｎ  Ｍｕｌｔｉｐｌｅｘｉｎｇ、「ＴＤＭ」と略称）方式又は符号分割多重化（Ｃｏｄｅ  Ｄｉｖｉｓｉｏｎ  Ｍｕｌｔｉｐｌｅｘｉｎｇ、「ＣＤＭ」と略称）方式で多重化される前記第１のリソースエリアのリソースを前記第１のレポートリソースとして決定することを含む。具体的には、複数の端末機器において複数の端末機器がＣＳＩをレポートするとき、複数の端末機器がいずれも第１のリソースエリアのリソースを占有する場合、複数の端末機器は、ＦＤＭ、ＴＤＭ又はＣＤＭによって第１のリソースエリアのリソースを多重化し、具体的にはどの方式を利用して第１のリソースエリアのリソースを多重化するかは、プロトコルによる規定又はネットワークによる配置に従う。本発明の実施例はこれに限定されない。
【００９２】
第６は、ＣＳＩ測定用のリソース配置情報であり、前記ＣＳＩ測定用のリソース配置情報は、前記複数の端末機器のうちＣＳＩをレポートする端末機器がＣＳＩを測定するためのリソースを指示し、当然のことながら、前記ＣＳＩ測定用のリソース配置情報はまた、前記複数の端末機器における各端末機器がＣＳＩを測定するためのリソースを指示する。場合によっては、ＣＳＩ測定用のリソース配置情報は、１つの配置情報でもよく、複数の配置情報でもよい。本発明の実施例はこれに限定されない。場合によっては、下りリンク制御情報にさらにＣＳＩの測定回数及び／又は時間長さを含んでもよく、このようにして、複数の端末機器は、ＣＳＩの測定回数及び時間長さによってネットワーク機器とのＣＳＩを測定することができる。
【００９３】
前記ＣＳＩ測定用のリソース配置情報は、ＣＳＩプロセス、下りリンクパイロットのリソース配置情報及び干渉測定用のリソース配置情報の少なくとも１つを含み、例えば、各ＣＳＩは、１つのＣＳＩ−ＲＳ及び１つの干渉測定リソース（Ｉｎｔｅｒｆｅｒｅｎｃｅ  Ｍｅａｓｕｒｅｍｅｎｔ  Ｒｅｓｏｕｒｃｅ、「ＩＭＲ」と略称）に対応し、具体的には、下りリンクパイロットリソースは、セル固有参考信号（Ｃｅｌｌ−ｓｐｅｃｉｆｉｃ  Ｒｅｆｅｒｅｎｃｅ  Ｓｉｇｎａｌｓ、「ＣＲＳ」と略称）、復調参考信号（Ｄｅｍｏｄｕｌａｔｉｏｎ  Ｒｅｆｅｒｅｎｃｅ  Ｓｉｇｎａｌ、「ＤＭＲＳ」と略称）又はチャンネル状態情報参考信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ、「ＣＳＩ−ＲＳ」と略称）などの下りリンクパイロットリソースでもよく、下りリンクパイロットを送信するリソース情報にパイロットのアンテナポート配置、リソースパターン（Ｐａｔｔｅｒｎ）配置、時間周波数物理リソース、スクランブリングシーケンス配置、送信パワー配置などを含んでもよく、例えば、パイロットの所属時間領域リソースユニットは、ＤＣＩの所属時間領域リソースユニットのオフセット量でもよく、スクランブリングシーケンス配置は、シーケンスの生成時に使われるＩＤでもよい。前記ＣＳＩ測定用のリソース配置情報は、端末機器がＮ個のＣＳＩ測定用のリソース配置からＭ個のＣＳＩ測定用のリソース配置を決定することを指示し、前記Ｎ個のＣＳＩ測定用のリソース配置は、ネットワーク側の機器から上位レイヤシグナリングによって事前に端末機器に指示され、ここで、Ｍが１以上且つＮ以下の整数とする。
【００９４】
選択可能な実施例として、Ｓ２１０の後、Ｓ２２０の前に、前記方法２００はさらに、前記第１の端末機器が前記第１の端末機器のＣＳＩを測定することを含む。具体的には、測定について、第１の端末機器がネットワーク機器とのチャンネル品質情報を測定したり、第１の端末機器が干渉を測定したり、パイロットを測定したりすることができる。本発明の実施例はこれに限定されない。
【００９５】
選択可能な実施例として、前記下りリンク制御情報にＣＳＩ測定用のリソース配置情報を含む場合、前記第１の端末機器が前記第１の端末機器のＣＳＩを測定することは、前記第１の端末機器が前記ＣＳＩ測定用のリソース配置情報によって前記第１の端末機器のＣＳＩを測定する第１の測定リソースを決定することと、前記第１の端末機器が前記第１の測定リソースによって前記第１の端末機器のＣＳＩを測定することと、を含む。
【００９６】
選択可能な実施例として、前記第１の端末機器が前記ＣＳＩ測定用のリソース配置情報によって前記第１の端末機器のＣＳＩを測定する第１の測定リソースを決定することは、前記端末機器がＣＳＩ測定用のリソース配置情報に含まれた測定リソース配置によって前記第１の端末機器のＣＳＩを測定する前記第１の測定リソースを決定することを含む。具体的には、ネットワーク機器は、測量リソース配置をビットマップ（ｂｉｔｍａｐ）で指示したり、指示情報によって第１の端末機器に伝えたりすることができる。
【００９７】
選択可能な実施例として、前記第１の端末機器が前記ＣＳＩ測定用のリソース配置情報によって前記第１の端末機器のＣＳＩを測定する第１の測定リソースを決定する前に、前記方法２００はさらに、前記端末機器がネットワーク機器から送信されたＮ個の第１の測定リソース配置を受信することを含む。前記第１の端末機器が前記ＣＳＩ測定用のリソース配置情報によって前記第１の端末機器のＣＳＩを測定する第１の測定リソースを決定することは、前記端末機器が前記ＣＳＩ測定用のリソース配置情報に含まれた測定リソース配置指示情報によって前記Ｎ個の第１の測定リソース配置からＭ個の第１の測定リソース配置を決定することと、前記端末機器が前記Ｍ個の第１の測定リソース配置によって前記第１の端末機器のＣＳＩを測定する前記第１の測定リソースを決定することと、を含み、Ｍが１以上且つＮ以下の整数とし、Ｎが１以上の整数とする。
【００９８】
具体的には、第１の端末機器は、第１の端末機器のＣＳＩの第１の測定リソースのリソース配置情報を決定する。ネットワーク機器は、事前に端末機器にＮ個の第１の測定リソース配置を指示し、そしてＮビットのビットシーケンスを利用してこのＮ個の第１の測定リソース配置におけるＣＳＩ用のＭ個の第１の測定リソース配置を指示する。例えば、該ビットシーケンスにおいてビット値が１の場合、対応する第１の測定リソース配置がＣＳＩの測定に用いられてもよいことを示す。該ビットシーケンスにおいてＭ個のビットのビット値が１の場合、Ｍ個の第１の測定リソース配置を決定でき、該ビットシーケンスにおける残ったＮ−Ｍ個のビットのビット値が０である。さらに例えば、該ＣＳＩ測定用のリソース配置情報に含まれた測定リソース配置指示情報は、リソース配置情報のインデックスでもよく、すなわち、第１の端末機器は該リソース配置情報のインデックスを取得すればＮ個の測定配置情報において第１の端末機器のＭ個のリソース配置情報を決定し、Ｍ個のリソース配置情報によって第１の測定リソースを決定することができる。
【００９９】
第７は、伝送方式仮定情報であり、すなわち、第１の端末機器がネットワーク機器とのＣＳＩを測定することは、ネットワーク機器から第１の端末機器に送信されたデータの伝送方式に基づいて実行されるが、第１の端末機器がネットワーク機器とのＣＳＩを測定するとき、まだ下りリンクデータが伝送されていないので、ネットワーク機器は、伝送方式仮定情報を下りリンク制御情報に担持して複数の端末機器に送信する必要がある。当然のことながら、各端末機器が受信した伝送方式仮定情報は、同じでもよいが、異なってもよい。当然のことながら、ネットワーク機器は、伝送方式仮定情報を上位レイヤシグナリングによって複数の端末機器がＣＳＩを測定する前に複数の端末機器に送信できる。本発明の実施例はこれに限定されない。例えば、伝送方式仮定情報は、送信ダイバーシチ、開ループ空間多重化、準開ループマルチ入力マルチ出力（Ｍｕｌｔｉｐｌｅ−Ｉｎｐｕｔ  Ｍｕｌｔｉｐｌｅ−Ｏｕｔｐｕｔ、「ＭＩＭＯ」と略称）、閉ループＭＩＭＯ伝送、ダイナミックポイント切り替え（Ｄｙｎａｍｉｃ  Ｐｏｉｎｔ  Ｓｗｉｔｃｈｉｎｇ、「ＤＰＳ」と略称）、共同伝送（Ｊｏｉｎｔ  Ｔｒａｎｓｍｉｓｓｉｏｎ、「ＪＴ」と略称）、協調型スケジューリング（Ｃｏｏｐｅｒａｔｉｖｅ  ｓｃｈｅｄｕｌｉｎｇ、「ＣＳ」と略称）、協調型ビームフォーミング（Ｃｏｏｐｅｒａｔｉｖｅ  Ｂｅａｍｆｏｒｍｉｎｇ、「ＣＢ」と略称）、ニュートラルトランスミッション、マルチストリームトランスミッション、マルチユーザーマルチ入力マルチ出力（Ｍｕｌｔｉ−Ｕｓｅｒ−Ｍｕｌｔｉｐｌｅ−Ｉｎｐｕｔ  Ｍｕｌｔｉｐｌｅ−Ｏｕｔｐｕｔ、「ＭＵ−ＭＩＭＯ」と略称）、シングルユーザーマルチ入力マルチ出力（Ｓｉｎｇｌｅ−Ｕｓｅｒ  Ｍｕｌｔｉｐｌｅ−Ｉｎｐｕｔ  Ｍｕｌｔｉｐｌｅ−Ｏｕｔｐｕｔ、「ＳＵ−ＭＩＭＯ」と略称）の少なくとも１つでもよく、ＭＵ−ＭＩＭＯについてさらに対になるユーザー情報、例えばビームウェイト（ｗｅｉｇｈｔｓ）、プリコーディング（ｐｒｅｃｏｄｉｎｇ）などを含むことができる。
【０１００】
選択可能な実施例として、前記下りリンク制御情報に伝送方式仮定情報を含む場合、前記第１の端末機器が前記第１の端末機器のＣＳＩを測定することは、前記第１の端末機器が前記伝送方式仮定情報によって下りリンクデータを送信するための伝送方式を決定することと、前記第１の端末機器が前記下りリンクデータを送信するための伝送方式によって前記第１の端末機器のＣＳＩを測定することと、を含む。
【０１０１】
第８は、ＣＳＩのレポートタイプ情報であり、前記ＣＳＩのレポートタイプ情報は、前記複数の端末機器のうちＣＳＩをレポートする端末機器がＣＳＩをレポートするタイプを指示し、例えば、タイプは、コードブックに基づくＣＳＩのフィードバック、非コードブックに基づくＣＳＩのフィードバック、チャンネル状態情報参考信号リソースインデックス（ＣＳＩ−ＲＳ  Ｒｅｓｏｕｒｃｅ  Ｉｎｄｅｘ、「ＣＲＩ」と略称）に基づくＣＳＩのフィードバック、ポートのコードブック強化に基づくＣＳＩのフィードバックを含む。コードブックに基づくＣＳＩのフィードバックとは、ＣＳＩにＰＭＩを含むことを、非コードブックに基づくＣＳＩのフィードバックとは、ＣＳＩにＰＭＩを含んでいないことを、ＣＲＩに基づくフィードバックとは、ＣＳＩにリソースインデックスを含むことを、ポートのコードブック強化に基づくＣＳＩのフィードバックとは、ＣＳＩにリソースインデックスを含んでいないことを指す。
【０１０２】
選択可能な実施例として、前記下りリンク制御情報にＣＳＩレポートタイプ情報を含む場合、前記第１の端末機器が前記第１の端末機器のＣＳＩを測定することは、前記第１の端末機器が前記ＣＳＩのレポートタイプ情報によってネットワーク機器に前記第１の端末機器のＣＳＩを送信するタイプを決定することと、前記第１の端末機器が前記第１の端末機器のＣＳＩのタイプに基づいて前記第１の端末機器のＣＳＩを測定することと、を含む。このようにして、第１の端末機器は、全てのチャンネル状態情報の関連パラメーターを測定せずに、ＣＳＩのレポートタイプ情報によって測定することができる。
【０１０３】
第９は、コードブック指示情報であり、前記コードブック指示情報は、前記複数の端末機器のうちＣＳＩをレポートする端末機器がＣＳＩを測定及びレポートするためのコードブックを指示し、当然のことながら、コードブック指示情報はまた、複数の端末機器における各端末機器がＣＳＩを測定及びレポートするためのコードブックを指示し、場合によっては、該コードブック指示情報は、複数の端末機器に共用されるコードブックを指示してもよく、複数の端末機器にそれぞれ利用されるコードブックを指示してもよい。複数の端末機器における各端末機器に利用されるコードブックは、同じでもよいが、異なってもよい。該コードブック指示情報は、１つや複数のコードブックを指示できる。本発明の実施例はこれに限定されない。
【０１０４】
選択可能な実施例として、前記下りリンク制御情報にコードブック指示情報を含む場合、前記第１の端末機器が前記第１の端末機器のＣＳＩを測定することは、前記第１の端末機器が前記コードブック指示情報によって前記第１の端末機器のＣＳＩを測定するためのコードブックを決定することと、前記第１の端末機器が前記第１の端末機器のＣＳＩを測定するためのコードブックによって前記第１の端末機器のＣＳＩを測定し、前記第１の端末機器が前記第１の端末機器のＣＳＩを測定するためのコードブックによってネットワーク機器に第１の端末機器のＣＳＩを送信することと、を含む。すなわち、第１の端末機器は、コードブック指示情報によって第１の端末機器がネットワーク機器とのＣＳＩを測定するためのコードブックを決定して、決定したコードブックによって測定及びレポートする。ネットワーク機器及び端末機器は、事前に複数のコードブックを記憶しておき、第１の端末機器は、コードブック指示情報によって複数のコードブックからＣＳＩを測定するコードブックを選ぶことができる。コードブックは、プリコーディングマトリックス集合であり、送信側及び受信側にこの集合を記憶している。チャンネルは、不完全なフィードバックを取り、受信側は、フィードバック情報によって一定の準則に従ってあるコードブックのプリコーディングマトリックスに対応するＰＭＩのシリアルナンバーを送信側に生成する。
【０１０５】
第１０は、コードブックサブセット制約情報であり、前記コードブックサブセット制約情報は、前記複数の端末機器のうちＣＳＩをレポートする端末機器がＣＳＩを測定及びレポートするためのコードワードを指示する。
【０１０６】
選択可能な実施例として、下りリンク制御情報にコードブックサブセット制約情報を含む場合、前記第１の端末機器が前記第１の端末機器のＣＳＩを測定することは、前記第１の端末機器が前記コードブックサブセット制約情報によって前記第１の端末機器のＣＳＩを測定するためのコードワードを決定することと、前記第１の端末機器が前記第１の端末機器のＣＳＩを測定するためのコードワードに基づいて前記第１の端末機器のＣＳＩを測定することと、を含み、前記ネットワーク機器に前記第１の端末機器のＣＳＩを測定するためのコードワードによって前記ネットワーク機器に前記第１の端末機器のＣＳＩを送信することを含む。
【０１０７】
理解されるように、本発明の実施例では、下りリンク制御情報は、同時に１０項目の情報を含んでもよく、１０項目の一部の情報を含んでもよい。複数の端末機器自身が既に一部の情報を取得した可能性があるので、ネットワーク機器は引き続き下りリンク制御情報によって端末機器に伝える必要がない。当然のことながら、本発明は、例示の便宜上、下りリンク制御情報に含まれたいくつかの情報を説明するが、下りリンク制御情報にさらにその他のＣＳＩの測定及びレポート用の情報を含むことができる。説明の重複を避けるため、ここでは詳しく述べない。
【０１０８】
また理解されるように、本発明の実施例で言及したＣＳＩの測定及びレポートの関連情報は、ＤＣＩを介して複数の端末機器に送信されてもよく、ＤＣＩの送信前に、複数の端末機器に送信されてもよい。すなわち、本発明の実施例は、ＣＳＩの測定及びレポートの関連情報の送信方式を限定しない。本発明の実施例はこれに限定されない。本発明の実施例で言及したＣＳＩの測定及びレポートの関連情報は、１つの端末機器の関連情報でもよく、複数の端末機器の関連情報でもよい。本発明の実施例はこれに限定されない。
【０１０９】
以上、図１及び図２を参照しながら本発明の実施例に係るチャンネル状態情報の伝送方法について説明したが、以下、図３〜図６を参照しながら本発明の実施例に係るチャンネル状態情報の伝送装置について説明する。
【０１１０】
図３に本発明の実施例に係るチャンネル状態情報の伝送装置３００の概略図を示し、該装置は、例えば方法２００における端末機器でもよく、該装置３００は、
ネットワーク機器から送信された下りリンク制御情報ＤＣＩを受信するための受信モジュール３１０と、
前記ＤＣＩによってＣＳＩをレポートするか否かを決定するための決定モジュール３２０と、
決定モジュール３２０が前記ＣＳＩをレポートすると決定する場合、前記ネットワーク機器に前記装置のＣＳＩを送信するための送信モジュール３３０と、を含む。
【０１１１】
選択可能な実施例として、前記ＤＣＩは、前記装置を含む複数の端末機器における各端末機器がＣＳＩをレポートするか否かを指示することに用いられる。
【０１１２】
選択可能な実施例として、前記ＤＣＩは、前記装置を含む複数の端末機器における各端末機器がＣＳＩをレポートするか否かを指示するためのビットを含むＣＳＩレポート用のトリガービットシーケンス、前記装置がＣＳＩをレポートする回数を指示するためのＣＳＩのレポート回数情報、前記装置がＣＳＩをレポートする持続時間長さを指示するためのＣＳＩのレポート時間長さ情報、前記装置がＣＳＩをレポートするための物理リソースを指示するためのＣＳＩレポート用の物理リソース配置情報、前記装置がＣＳＩを測定するためのリソースを指示するためのＣＳＩ測定用のリソース配置情報、前記装置がＣＳＩをレポートするための変調符号化方式を指示するためのＣＳＩ伝送用の変調符号化方式ＭＣＳ指示情報、前記ネットワーク機器から前記装置に下りリンクデータを送信するための伝送方式を指示するための伝送方式仮定情報、前記装置がＣＳＩをレポートするタイプを指示するためのＣＳＩのレポートタイプ情報、前記装置がＣＳＩを測定及びレポートするためのコードブックを指示するためのコードブック指示情報、前記装置がＣＳＩを測定及びレポートするためのコードワードを指示するためのコードブックサブセット制約情報の少なくとも１つを含む。
【０１１３】
選択可能な実施例として、前記ＣＳＩレポート用のトリガービットシーケンスに複数のビットが含まれる場合、前記ＣＳＩのトリガービットシーケンスにおける各ビットは、前記複数の端末機器における１つの端末機器がＣＳＩをレポートするか否かを指示することに用いられる。
【０１１４】
選択可能な実施例として、具体的には、前記ＣＳＩレポート用の物理リソース配置情報は、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられる。
【０１１５】
選択可能な実施例として、前記ＣＳＩレポート用の物理リソース配置情報は、前記第１の端末機器がＣＳＩをレポートするための周波数領域リソース及び／又は時間領域リソースを指示することに用いられる。
【０１１６】
選択可能な実施例として、前記ＣＳＩ測定用のリソース配置情報は、ＣＳＩプロセス、下りリンクパイロットのリソース配置情報及び干渉測定用のリソース配置情報の少なくとも１つを含む。
【０１１７】
選択可能な実施例として、受信モジュール３１０はさらに、
ネットワーク機器から送信されたＤＣＩを受信する前に、前記ネットワーク機器から送信されたグループ識別子Ｇｒｏｕｐ  ＩＤ又はグループＣＳＩ無線ネットワーク臨時識別子Ｇｒｏｕｐ−ＣＳＩ−ＲＮＴＩを受信し、
具体的には、送信モジュール３３０は、前記Ｇｒｏｕｐ  ＩＤ又は前記Ｇｒｏｕｐ−ＣＳＩ−ＲＮＴＩによって前記ネットワーク機器から送信された前記ＤＣＩを受信する。
【０１１８】
選択可能な実施例として、前記ＤＣＩに前記ＣＳＩレポート用のトリガービットシーケンスを含み、
受信モジュール３１０はさらに、
前記ＤＣＩによってＣＳＩをレポートするか否かを決定する前に、ネットワーク機器から送信された、前記装置に対応するＣＳＩレポート用のトリガービットの、前記ＣＳＩレポート用のトリガービットシーケンスにおける位置を指示するための前記装置のインデックス情報を受信し、
具体的には、決定モジュール３２０は、
前記装置のインデックス情報によって前記装置に対応するＣＳＩレポート用のトリガービットを決定し、
前記装置に対応するＣＳＩレポート用のトリガービットによってＣＳＩをレポートするか否かを決定する。
【０１１９】
選択可能な実施例として、前記ＤＣＩにＣＳＩをレポートするためのＭＣＳ指示情報を含み、
決定モジュール３２０はさらに、前記ネットワーク機器に前記装置のＣＳＩを送信する前に、ＣＳＩをレポートするための前記ＭＣＳ指示情報によってＣＳＩをレポートするための変調符号化方式を決定し、
具体的には、送信モジュール３３０はさらに、ＣＳＩをレポートするための前記ＭＣＳによって前記ネットワーク機器に前記装置のＣＳＩを送信する。
【０１２０】
選択可能な実施例として、前記ＤＣＩに前記ＣＳＩレポート用の物理リソース配置情報を含み、決定モジュール３２０はさらに、前記ネットワーク機器に前記装置のＣＳＩを送信する前に、前記ＣＳＩレポート用の物理リソース配置情報によって前記装置のＣＳＩをレポートする第１のレポートリソースを決定し、具体的には、送信モジュール３３０はさらに、前記第１のレポートリソースで前記ネットワーク機器に前記装置のＣＳＩを送信する。
【０１２１】
選択可能な実施例として、具体的には、決定モジュール３２０はさらに、前記ＣＳＩレポート用の物理リソース配置情報によって前記装置のＣＳＩを送信する第１のリソースエリアを決定し、前記第１のリソースエリアのリソースで前記装置のＣＳＩを送信する前記第１のレポートリソースを決定する。
【０１２２】
選択可能な実施例として、具体的には、決定モジュール３２０はさらに、前記第１のリソースエリアの全てのリソースを前記第１のレポートリソースとして決定し、或いは、前記第１のリソースエリアでランダムに複数の物理リソースを選んで前記第１のレポートリソースとして決定する。
【０１２３】
選択可能な実施例として、受信モジュール３１０はさらに、前記装置が前記第１のリソースエリアのリソースで前記装置のＣＳＩを送信する前記第１のレポートリソースを決定する前に、前記ネットワーク機器から送信された、前記装置のＣＳＩを送信するリソースの位置を指示するための物理リソースインデックスを受信し、具体的には、決定モジュール３２０はさらに、前記物理リソースインデックスによって前記第１のリソースエリアのリソースで前記装置のＣＳＩを送信する前記第１のレポートリソースを決定する。
【０１２４】
選択可能な実施例として、受信モジュール３１０はさらに、前記装置が前記第１のリソースエリアのリソースで前記装置のＣＳＩを送信する前記第１のレポートリソースを決定する前に、前記ネットワーク機器から送信された、前記装置の、ＣＳＩをレポートする端末機器における位置情報を指示するための前記装置のインデックスを受信し、具体的には、決定モジュール３２０は、前記装置のインデックスによって前記第１のリソースエリアのリソースで前記装置のＣＳＩを送信する前記第１のレポートリソースを決定する。
【０１２５】
選択可能な実施例として、具体的には、決定モジュール３２０は、前記装置のＣＳＩレポート用のＭＣＳ及び前記装置のＣＳＩに占められるビットによってＣＳＩレポート用の物理リソースのサイズを算出し、算出したＣＳＩレポート用の物理リソースのサイズによって前記第１のリソースエリアのリソースから前記装置のＣＳＩを送信する前記第１のレポートリソースを決定する。
【０１２６】
選択可能な実施例として、前記第１のレポートリソース及び前記ＤＣＩを介してＣＳＩをレポートするよう指示される第２の端末機器がＣＳＩをレポートするための第２の物理リソースは、周波数分割多重化ＦＤＭ方式、時分割多重化ＴＤＭ方式又は符号分割多重化ＣＤＭ方式で多重化される。
【０１２７】
選択可能な実施例として、前記装置は、前記ＤＣＩによって前記ネットワーク機器に前記装置のＣＳＩを送信する前に、前記装置のＣＳＩを測定するための測定モジュールをさらに含む。
【０１２８】
選択可能な実施例として、前記ＤＣＩにＣＳＩ測定用のリソース配置情報を含み、具体的には、決定モジュール３２０は、前記ＣＳＩ測定用のリソース配置情報によって前記装置のＣＳＩを測定する第１の測定リソースを決定し、具体的には、前記測定モジュールは、前記第１の測定リソースによって前記装置のＣＳＩを測定する。
【０１２９】
選択可能な実施例として、具体的には、決定モジュール３２０は、ＣＳＩ測定用のリソース配置情報に含まれた第１の測定リソース配置によって前記装置のＣＳＩを測定する前記第１の測定リソースを決定する。
【０１３０】
選択可能な実施例として、具体的には、受信モジュール３１０は、
前記ＣＳＩ測定用のリソース配置情報によって前記装置のＣＳＩを測定する第１の測定リソースを決定する前に、前記ネットワーク機器から送信されたＮ個の第１の測定リソース配置を受信し、
具体的には、決定モジュール３２０はさらに、前記ＣＳＩ測定用のリソース配置情報に含まれた測定リソース配置指示情報によって前記Ｎ個の第１の測定リソース配置からＭ個の第１の測定リソース配置を決定し、
前記Ｍ個の第１の測定リソース配置によって前記装置のＣＳＩを測定する前記第１の測定リソースを決定し、ここで、Ｍが１以上且つＮ以下の整数で、Ｎが１以上の整数とする。
【０１３１】
選択可能な実施例として、前記ＤＣＩに伝送方式仮定情報を含む場合、
決定モジュール３２０はさらに、前記伝送方式仮定情報によって前記ネットワーク機器が下りリンクデータを送信するための伝送方式を決定し、
具体的には、前記測定モジュールはさらに、前記ネットワーク機器が下りリンクデータを送信するための伝送方式に基づいて前記装置のＣＳＩを測定する。
【０１３２】
選択可能な実施例として、前記ＤＣＩにＣＳＩの測定タイプ情報を含む場合、決定モジュール３２０はさらに、前記ＣＳＩのレポートタイプ情報によってネットワーク機器に送信する前記装置のＣＳＩのタイプを決定し、具体的には、前記測定モジュールはさらに、前記装置のＣＳＩのタイプに基づいて前記装置のＣＳＩを測定する。
【０１３３】
選択可能な実施例として、前記ＤＣＩにコードブック指示情報を含み、決定モジュール３２０はさらに、前記コードブック指示情報によって前記装置のＣＳＩを測定するためのコードブックを決定し、具体的には、前記測定モジュールはさらに、前記装置のＣＳＩを測定するためのコードブックによって前記装置のＣＳＩを測定し、具体的には、送信モジュール３３０は、前記装置のＣＳＩを測定するためのコードブックによって前記ネットワーク機器に前記装置のＣＳＩを送信する。
【０１３４】
選択可能な実施例として、前記ＤＣＩにコードブックサブセット制約情報を含み、決定モジュール３２０はさらに、前記コードブックサブセット制約情報によって前記装置のＣＳＩを測定するためのコードワードを決定し、具体的には、前記測定モジュールはさらに、前記装置のＣＳＩを測定するためのコードワードによって前記装置のＣＳＩを測定し、具体的には、送信モジュール３３０はさらに、前記装置のＣＳＩを測定するためのコードワードによって前記ネットワーク機器に前記装置のＣＳＩを送信する。
【０１３５】
選択可能な実施例として、受信モジュール３１０はさらに、前記ＤＣＩによって前記ネットワーク機器に前記装置のＣＳＩを送信する前に、前記ネットワーク機器から送信されたＣＳＩのレポート回数情報及び／又はＣＳＩのレポート時間長さ情報を受信し、決定モジュール３２０はさらに、前記ＣＳＩのレポート回数情報及び／又はＣＳＩのレポート時間長さ情報によってＣＳＩのレポート回数及び／又はＣＳＩのレポート時間長さを決定し、具体的には、送信モジュール３３０はさらに、前記ＣＳＩのレポート回数及び／又は前記ＣＳＩのレポート時間長さによって前記ネットワーク機器に前記装置のＣＳＩを送信する。
【０１３６】
選択可能な実施例として、前記ＣＳＩは、プレコーディングマトリックスインデックスＰＭＩ、ランクインデックスＲＩ、チャンネル品質インデックスＣＱＩの少なくとも１つを含む。
【０１３７】
図４に本発明の実施例に係るチャンネル状態情報の伝送装置４００の概略図を示し、該装置は、例えば方法１００におけるネットワーク機器でもよく、該装置４００は、
第１の端末機器に下りリンク制御情報ＤＣＩを送信するための送信モジュール４１０と、
前記第１の端末機器から前記ＤＣＩによって送信された前記第１の端末機器のＣＳＩを受信するための受信モジュール４２０と、を含む。
【０１３８】
選択可能な実施例として、前記ＤＣＩは、前記第１の端末機器を含む複数の端末機器における各端末機器がＣＳＩをレポートするか否かを指示することに用いられる。
【０１３９】
選択可能な実施例として、前記ＤＣＩは、前記第１の端末機器を含む複数の端末機器における各端末機器がＣＳＩをレポートするか否かを指示するためのビットを含むＣＳＩレポート用のトリガービットシーケンス、前記複数の端末機器のうちＣＳＩをレポートする端末機器がＣＳＩをレポートする回数を指示するためのＣＳＩのレポート回数情報、前記複数の端末機器のうちＣＳＩをレポートする端末機器がＣＳＩをレポートする持続時間長さを指示するためのＣＳＩのレポート時間長さ情報、前記複数の端末機器のうちＣＳＩをレポートする端末機器がＣＳＩをレポートするためのリソースを指示するためのＣＳＩレポート用の物理リソース配置情報、前記複数の端末機器のうちＣＳＩをレポートする端末機器がＣＳＩを測定するためのリソースを指示するためのＣＳＩ測定用のリソース配置情報、前記複数の端末機器のうちＣＳＩをレポートする端末機器がＣＳＩをレポートするための変調符号化方式を指示するためのＣＳＩ伝送用の変調符号化方式ＭＣＳ指示情報、前記装置から前記複数の端末機器のうちＣＳＩをレポートする端末機器に下りリンクデータを送信するための伝送方式を指示するための伝送方式仮定情報、前記複数の端末機器のうちＣＳＩをレポートする端末機器がＣＳＩをレポートするタイプを指示するためのＣＳＩのレポートタイプ情報、前記複数の端末機器のうちＣＳＩをレポートする端末機器がＣＳＩを測定及びレポートするためのコードブックを指示するためのコードブック指示情報、前記複数の端末機器のうちＣＳＩをレポートする端末機器がＣＳＩを測定及びレポートするためのコードワードを指示するためのコードブックサブセット制約情報の少なくとも１つを含む。
【０１４０】
選択可能な実施例として、前記ＣＳＩのトリガービットシーケンスに複数のビットが含まれる場合、前記ＣＳＩレポート用のトリガービットシーケンスにおける各ビットは、前記複数の端末機器における１つの端末機器がＣＳＩをレポートするか否かを指示することに用いられる。
【０１４１】
選択可能な実施例として、具体的には、前記ＣＳＩレポート用の物理リソース配置情報は、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられる。
【０１４２】
選択可能な実施例として、前記複数の端末機器のうちＣＳＩをレポートする各端末機器がＣＳＩをレポートするときにそれぞれ利用される物理リソースは、周波数領域リソース及び／又は時間領域リソースを含み、及び／又は、前記複数の端末機器のうちＣＳＩをレポートする全ての端末機器がＣＳＩをレポートするときに共通で利用される物理リソースは、周波数領域リソース及び／又は時間領域リソースを含む。
【０１４３】
選択可能な実施例として、前記ＣＳＩ測定用のリソース配置情報は、ＣＳＩプロセス、下りリンクパイロットのリソース配置情報及び干渉測定用のリソース配置情報の少なくとも１つを含む。
【０１４４】
選択可能な実施例として、送信モジュール４１０はさらに、
前記複数の端末機器に前記複数の端末機器に共用される身分識別情報を指示するためのグループ識別子Ｇｒｏｕｐ  ＩＤ又は前記複数の端末機器に共用される無線ネットワーク臨時識別子情報を指示するためのグループＣＳＩ無線ネットワーク臨時識別子Ｇｒｏｕｐ−ＣＳＩ−ＲＮＴＩによって巡回冗長検査ＣＲＣスクランブリングを行う前記ＤＣＩを送信する。
【０１４５】
選択可能な実施例として、送信モジュール４１０はさらに、
複数の端末機器にＤＣＩを送信する前に、前記複数の端末機器が前記Ｇｒｏｕｐ  ＩＤ又は前記Ｇｒｏｕｐ−ＣＳＩ−ＲＮＴＩによって前記Ｇｒｏｕｐ  ＩＤ又は前記グループＣＳＩ無線ネットワーク臨時識別子Ｇｒｏｕｐ−ＣＳＩ−ＲＮＴＩによってＣＲＣスクランブリングを行う前記ＤＣＩを受信するように、前記複数の端末機器に前記Ｇｒｏｕｐ  ＩＤ又は前記Ｇｒｏｕｐ−ＣＳＩ−ＲＮＴＩを送信する。
【０１４６】
選択可能な実施例として、前記ＤＣＩに前記ＣＳＩレポート用のトリガービットシーケンスを含み、送信モジュール４１０はさらに、第１の端末機器から前記ＤＣＩによって送信された前記第１の端末機器のＣＳＩを受信する前に、前記第１の端末機器が前記第１の端末機器のインデックス情報によって前記第１の端末機器に対応するＣＳＩレポート用のトリガービットを決定し、そして前記ＣＳＩレポート用のトリガービットによって前記第１の端末機器のＣＳＩをレポートするか否かを決定するように、前記第１の端末機器に対応するＣＳＩレポート用のトリガービットの、前記ＣＳＩレポート用のトリガービットシーケンスにおける位置を指示するための前記第１の端末機器のインデックス情報を前記第１の端末機器に送信する。
【０１４７】
選択可能な実施例として、前記ＤＣＩにＣＳＩレポート用の物理リソース配置情報を含み、具体的には、受信モジュール４２０は、前記第１の端末機器から前記第１の端末機器により前記ＤＣＩに含まれた前記ＣＳＩレポート用の物理リソース配置情報によって決定された第１のレポートリソースで送信された前記第１の端末機器のＣＳＩを受信する。
【０１４８】
選択可能な実施例として、送信モジュール４１０はさらに、第１の端末機器から前記ＤＣＩによって送信された前記第１の端末機器のＣＳＩを受信する前に、前記第１の端末機器に、前記第１の端末機器のＣＳＩを送信するリソースの位置を指示するための物理リソースインデックスを送信し、具体的には、受信モジュール４２０はさらに、前記第１の端末機器から前記物理リソース指示情報によって前記ＣＳＩレポート用の物理リソース配置情報によって決定された第１のリソースエリアのリソースで決定された前記第１のレポートリソースで送信された前記第１の端末機器のＣＳＩを受信する。
【０１４９】
選択可能な実施例として、送信モジュール４１０はさらに、第１の端末機器から前記ＤＣＩによって送信された前記第１の端末機器のＣＳＩを受信する前に、前記第１の端末機器に、前記第１の端末機器の、ＣＳＩをレポートする端末機器における位置情報を指示するための前記第１の端末機器のインデックスを送信し、具体的には、受信モジュール４２０は、前記第１の端末機器から前記第１の端末機器のインデックスによって前記ＣＳＩレポート用の物理リソース配置情報によって決定された前記第１のリソースエリアのリソースで決定された前記第１のレポートリソースで送信された前記第１の端末機器のＣＳＩを受信する。
【０１５０】
選択可能な実施例として、送信モジュール４１０はさらに、第１の端末機器に下りリンク制御情報ＤＣＩを送信する前に、前記端末機器が前記ＣＳＩ測定用のリソース配置情報に含まれた測定リソース配置指示情報によって前記Ｎ個の第１の測定リソース配置からＭ個の第１の測定リソース配置を決定し、そして前記Ｍ個の第１の測定リソース配置によって前記第１の端末機器のＣＳＩを測定する前記第１の測定リソースを決定するように、前記第１の端末機器にＮ個の測定リソース配置を送信し、ここで、Ｍが１以上且つＮ以下の整数で、Ｎが１以上の整数とする。
【０１５１】
選択可能な実施例として、送信モジュール４１０はさらに、第１の端末機器から前記ＤＣＩによって送信された前記第１の端末機器のＣＳＩを受信する前に、前記複数の端末機器にＣＳＩのレポート回数情報及び／又はＣＳＩのレポート時間長さ情報を送信し、具体的には、受信モジュール４２０は、前記第１の端末機器から前記ＣＳＩのレポート回数情報及び／又は前記ＣＳＩのレポート時間長さ情報及び前記ＤＣＩによって送信された前記第１の端末機器のＣＳＩを受信する。
【０１５２】
選択可能な実施例として、前記ＣＳＩは、プレコーディングマトリックスインデックスＰＭＩ、ランクインデックスＲＩ、チャンネル品質インデックスＣＱＩの少なくとも１つを含む。
【０１５３】
図５に本発明の実施例に係るチャンネル状態情報の伝送装置５００を示す。例えば該装置５００は、方法２００における端末機器でもよく、該装置５００は、受信器５１０と、プロセッサ５２０と、送信器５３０と、メモリ５４０と、バスシステム５５０を含む。受信器５１０、プロセッサ５２０、送信器５３０及びメモリ５４０は、バスシステム５５０を介して接続され、該メモリ５４０は、コマンドを記憶し、該プロセッサ５２０は、該メモリ５３０に記憶されているコマンドを実行して、受信器５１０が信号を受信し、送信器５３０が信号を送信するよう制御する。
【０１５４】
ここで、受信器５１０は、ネットワーク機器から送信された下りリンク制御情報ＤＣＩを受信する。プロセッサ５２０は、前記ＤＣＩによってＣＳＩをレポートするか否かを決定する。送信器５３０は、前記決定モジュールが前記ＣＳＩをレポートすると決定する場合、前記ネットワーク機器に前記装置のＣＳＩを送信する。
【０１５５】
理解されるように、具体的には、装置５００は、上記実施例に係る方法２００における端末機器であり、且つ端末機器に対応する各ステップ及び／又は流れを実行する。場合によっては、該メモリ５４０は、リードオンリーメモリ及びランダムアクセスメモリを含み、プロセッサにコマンド及びデータを提供する。メモリの一部はさらに、不揮発性ランダムアクセスメモリを含むことができる。例えば、メモリは、機器タイプの情報を記憶することもできる。該プロセッサ５２０は、メモリに記憶されているコマンドを実行し、且つ該プロセッサが該コマンドを実行するとき、上記方法５００の実施例において端末機器に対応する各ステップを実行することができる。
【０１５６】
図６に本発明の実施例に係るチャンネル状態情報の伝送装置６００を示す。例えば該装置６００は、方法１００におけるネットワーク機器でもよく、該装置６００は、受信器６１０と、プロセッサ６２０と、送信器６３０と、メモリ６４０と、バスシステム６５０を含む。受信器６１０、プロセッサ６２０、送信器６３０及びメモリ６４０は、バスシステム６５０を介して接続され、該メモリ６４０は、コマンドを記憶し、該プロセッサ６２０は、該メモリ６３０に記憶されているコマンドを実行して、受信器６１０が信号を受信し、送信器６３０が信号を送信するよう制御する。
【０１５７】
ここで、送信器６３０は、第１の端末機器に下りリンク制御情報ＤＣＩを送信する。受信器６１０は、前記第１の端末機器から前記ＤＣＩによって送信された前記第１の端末機器のＣＳＩを受信する。
【０１５８】
理解されるように、具体的には、装置６００は、上記実施例に係る方法１００におけるネットワーク機器であり、且つネットワーク機器に対応する各ステップ及び／又は流れを実行する。場合によっては、該メモリ６４０は、リードオンリーメモリ及びランダムアクセスメモリを含み、プロセッサにコマンド及びデータを提供する。メモリの一部はさらに、不揮発性ランダムアクセスメモリを含むことができる。例えば、メモリは、機器タイプの情報を記憶することもできる。該プロセッサ６２０は、メモリに記憶されているコマンドを実行し、且つ該プロセッサが該コマンドを実行するとき、上記方法１００の実施例においてネットワーク機器に対応する各ステップを実行することができる。
【０１５９】
理解されるように、本発明の実施例では、プロセッサ５２０及びプロセッサ６２０は、中央処理機器（Ｃｅｎｔｒａｌ  Ｐｒｏｃｅｓｓｉｎｇ  Ｕｎｉｔ、ＣＰＵ）でもよいが、さらにその他の汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）やその他のプログラミング可能な論理素子、個別ゲートやトランジスター論理素子、個別ハードウエアモジュールなどでもよい。汎用プロセッサは、マイクロ・プロセッサでもよいが、いかなる常規のプロセッサなどでもよい。
【０１６０】
理解されるように、本明細書に記載の用語の「及び／又は」は、関連対象の関連関係だけを述べるが、３種類の関係があることを示している。例えば、Ａ及び／又はＢは、Ａが単独で存在する場合、ＡとＢが同時に存在する場合、Ｂが単独で存在する場合という３つの状況を示している。また、本明細書では、「／」は普通に前後の関連対象が「又は」という関係にあることを示している。
【０１６１】
理解されるように、本発明の各実施例では、上記各プロセスの順番は、実行順序の前後を意味していないが、各プロセスの実行順序は、その機能及び内在の論理によって決定されるべきで、本発明の実施例の実施プロセスにいかなる限定を構成していないのである。
【０１６２】
当業者であれば理解できるように、ここにおいて開示される実施例と関係させて説明される様々な例示的なユニット及びアルゴリズムステップを参照し、電子ハードウェア、コンピュータソフトウェア又はこれらの組合せによって実現でき、これらの機能のハードウェア又はソフトウェアによる実現は、本技術的解決策の個別的な適用及び設計上の制限となる条件に依存する。当業者は、様々な方法を使用して、説明した機能を具体的な適用ごとに実現してもよいが、その実現は本発明の範囲を超えるとは考えるべきではない。
【０１６３】
当業者であれば明確に理解できるであろうが、説明の便宜上及び簡潔化のために、上記説明したシステム、装置及びユニットの具体的な動作過程は、前述した方法例の対応する過程を参照することができるため、ここでは説明を省略する。
【０１６４】
本発明が提供するいくつかの実施例において、理解すべきことは、開示されるシステム、装置及び方法は、他の形態で実現することができるということである。例えば、以上で説明した装置の実施例は例示的なものにすぎず、例えば、前記ユニットの区分は、論理的機能の区分にすぎず、実際に実施する際は他の区分方式を用いてもよく、例えば、複数のユニット又は構成要素は組み合わせても又は他のシステムに統合してもよく、又はいくつかの特徴は考慮しなくてもよく、又は実行しない。他方では、表示又は説明した相互間の結合又は直接結合又は通信接続はいくつかのインタフェースを介しても、装置又はユニットの間接結合又は通信接続でもよく、電気的、機械的又は他の形態でもよい。
【０１６５】
前記個別部材として説明したユニットは物理的に分けても、ユニットを現す部材として物理ユニットでも、又はそうでなくてもよく、すなわち１つの場所に位置しても、又は複数のネットワークユニットに配置してもよい。実際の要件に基づき、そのうちの一部又は全てのユニットを選択することで本実施例の態様の目的を達成することができる。
【０１６６】
また、本発明の各実施例における各機能ユニットは１つの処理ユニットに統合しても、各ユニットが単独で物理的に存在しても、２個又は２個以上のユニットを１つのユニットに統合してもよい。
【０１６７】
前記機能は、ソフトウェア機能ユニットの形式で実現し、且つ独立した製品として販売又は使用する際、１つのコンピュータ読み取り可能な記憶媒体に記憶させることができる。本発明の技術的解決手段は本質的に、従来技術に対する貢献部分を、又は技術的解決手段の一部を、ソフトウェア製品の形式で示すことができるという理解に基づき、該コンピュータソフトウェア製品は、１つの記憶媒体に記憶され、それは１台のコンピュータ機器（パーソナルコンピュータ、サーバー、又はネットワーク機器など）が、本発明の各実施例における方法のステップの全て又は一部を実行するための複数のコマンドを含む。前述した記憶媒体は、ＵＳＢメモリ、モバイルハードディスク、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスクなどのプロクラムコードを記憶できる種々の媒体を含む。
【０１６８】
以上に記述されたのは、本発明の具体的な実施形態だけであり、本発明の範囲はこれに限定されるものではなく、当業者であれば本発明に開示された技術的範囲内で、想到し得る変更又は置換は、いずれも本発明の範囲に属する。従って、本発明の保護範囲は特許請求の保護範囲に準じるものとする。
【図１】
2019533926.tif 000003
【図２】
2019533926.tif 000004
【図３】
2019533926.tif 000005
【図４】
2019533926.tif 000006
【図５】
2019533926.tif 000007
【図６】
2019533926.tif 000008
【手続補正書】
【提出日】平成31年4月3日(2019.4.3)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、詳しく言えば、通信分野におけるチャンネル状態情報の伝送方法及び装置に関する。
【背景技術】
【０００２】
ロング・ターム・エヴォリューション（Ｌｏｎｇ  Ｔｅｒｍ  Ｅｖｏｌｕｔｉｏｎ、「ＬＴＥ」と略称）システムに端末機器を導入する場合、ネットワーク機器にチャンネル状態情報（Ｃｈａｎｎｅｌ  Ｓｔａｔｅ  Ｉｎｆｏｒｍａｔｉｏｎ、「ＣＩＳ」と略称）をレポートする必要があるが、どのように端末機器をトリガーしてＣＳＩをレポートするかは、早急に解決する必要がある問題である。
【発明の概要】
【発明が解決しようとする課題】
【０００３】
本発明の実施例にて提供されるチャンネル状態情報の伝送方法及び装置は、端末機器をトリガーしてＣＳＩをレポートし、さらに端末機器が自身のＣＳＩをレポートすることを可能にする。
【課題を解決するための手段】
【０００４】
第１の態様では提供されるチャンネル状態情報の伝送方法は、第１の端末機器がネットワーク機器から送信された下りリンク制御情報（Ｄｏｗｎｌｉｎｋ  Ｃｏｎｔｒｏｌ  Ｉｎｆｏｒｍａｔｉｏｎ、「ＤＣＩ」と略称）を受信することと、前記第１の端末機器が前記ＤＣＩによってＣＳＩをレポートするか否かを決定することと、前記第１の端末機器がＣＳＩをレポートすると決定する場合、前記第１の端末機器が前記ネットワーク機器に前記第１の端末機器のＣＳＩを送信することと、を含む。
【０００５】
第１の態様の第１の可能な実現形態において、前記ＤＣＩは、前記第１の端末機器を含む複数の端末機器における各端末機器がＣＳＩをレポートするか否かを指示することに用いられる。
【０００６】
具体的には、ネットワーク機器は、前記複数の端末機器のうち各端末機器が各端末機器とネットワーク機器との間のＣＳＩをアップロードするか否かを指示する下りリンク制御情報を複数の端末機器に送信し、このようにして、複数の端末機器における各端末機器は、下りリンク制御情報によってネットワーク機器にＣＳＩをフィードバックするか否かを決定することができる。複数の端末機器の第１の端末機器が下りリンク制御情報によって第１の端末機器とネットワーク機器との間のＣＳＩをフィードバックすると決定する場合、第１の端末機器がネットワーク機器に第１の端末機器のＣＳＩを送信し、ネットワーク機器が第１の端末機器から送信された第１の端末機器のＣＳＩを受信し、ネットワーク機器が第１の端末機器のＣＳＩによってチャンネル品質情報を決定する。前記第１の端末機器が下りリンク制御情報によって第１の端末機器とネットワーク機器との間のＣＳＩをフィードバックしないと決定する場合、第１の端末機器がネットワーク機器に第１の端末機器のＤＣＩを送信しない。このようにして、ネットワーク機器は各端末機器にＤＣＩを送信してＣＳＩレポートをトリガーせず、端末機器に下りリンク制御情報を１回送信するだけで複数の端末機器をトリガーしてＣＳＩをレポートできるので、シグナリングオーバーヘッドを節約することができる。
【０００７】
第１の態様の上記可能な実現形態を参照し、第１の態様の第２の可能な実現形態において、前記ＤＣＩは、前記第１の端末機器を含む複数の端末機器における各端末機器がＣＳＩをレポートするか否かを指示するためのビットを含むＣＳＩレポート用のトリガービットシーケンス、前記第１の端末機器がＣＳＩをレポートする回数を指示するためのＣＳＩのレポート回数情報、前記第１の端末機器がＣＳＩをレポートする持続時間長さを指示するためのＣＳＩのレポート時間長さ情報、前記第１の端末機器がＣＳＩをレポートするための物理リソースを指示するためのＣＳＩレポート用の物理リソース配置情報、前記第１の端末機器がＣＳＩを測定するためのリソースを指示するためのＣＳＩ測定用のリソース配置情報、前記第１の端末機器がＣＳＩをレポートするための変調符号化方式を指示するためのＣＳＩ伝送用の変調符号化方式ＭＣＳ指示情報、前記ネットワーク機器から前記第１の端末機器に下りリンクデータを送信するための伝送方式を指示するための伝送方式仮定情報、前記第１の端末機器がＣＳＩをレポートするタイプを指示するためのＣＳＩのレポートタイプ情報、前記第１の端末機器がＣＳＩを測定及びレポートするためのコードブックを指示するためのコードブック指示情報、前記第１の端末機器がＣＳＩを測定及びレポートするためのコードワードを指示するためのコードブックサブセット制約情報の少なくとも１つを含む。
【０００８】
第１の態様の上記可能な実現形態を参照し、第１の態様の第３の可能な実現形態において、前記ＣＳＩレポート用のトリガービットシーケンスに複数のビットが含まれる場合、前記ＣＳＩレポート用のトリガービットシーケンスにおける各ビットは、前記複数の端末機器における１つの端末機器がＣＳＩをレポートするか否かを指示することに用いられる。
【０００９】
第１の態様の上記可能な実現形態を参照し、第１の態様の第４の実現形態において、具体的には、前記ＣＳＩレポート用の物理リソース配置情報は、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられる。
【００１０】
第１の態様の上記可能な実現形態を参照し、第１の態様の第５の実現形態において、前記ＣＳＩレポート用の物理リソース配置情報は、前記第１の端末機器がＣＳＩをレポートするための周波数領域リソース及び／又は時間領域リソースを指示することに用いられる。
【００１１】
第１の態様の上記可能な実現形態を参照し、第１の態様の第６の実現形態において、前記ＣＳＩ測定用のリソース配置情報は、ＣＳＩプロセス、下りリンクパイロットのリソース配置情報及び干渉測定用のリソース配置情報の少なくとも１つを含む。
【００１２】
第１の態様の上記可能な実現形態を参照し、第１の態様の第７の実現形態において、前記第１の端末機器がネットワーク機器から送信されたＤＣＩを受信する前に、前記方法はさらに、前記第１の端末機器が前記ネットワーク機器から送信されたグループ識別子Ｇｒｏｕｐ  ＩＤ又はグループＣＳＩ無線ネットワーク臨時識別子Ｇｒｏｕｐ−ＣＳＩ−ＲＮＴＩを受信することを含み、前記第１の端末機器が前記ネットワーク機器から送信された前記ＤＣＩを受信することは、前記第１の端末機器が前記Ｇｒｏｕｐ  ＩＤ又は前記Ｇｒｏｕｐ−ＣＳＩ−ＲＮＴＩによって前記ネットワーク機器から送信された前記ＤＣＩを受信することを含む。
【００１３】
第１の態様の上記可能な実現形態を参照し、第１の態様の第８の実現形態において、前記ＤＣＩに前記ＣＳＩレポート用のトリガービットシーケンスを含み、前記第１の端末機器が前記ＤＣＩによってＣＳＩをレポートするか否かを決定する前に、前記方法はさらに、
前記第１の端末機器がネットワーク機器から送信された、前記第１の端末機器に対応するＣＳＩレポート用のトリガービットの、前記ＣＳＩレポート用のトリガービットシーケンスにおける位置を指示するための前記第１の端末機器のインデックス情報を受信することを含み、前記第１の端末機器が前記ＤＣＩによってＣＳＩをレポートするか否かを決定することは、前記第１の端末機器が前記第１の端末機器のインデックス情報によって前記第１の端末機器に対応するＣＳＩレポート用のトリガービットを決定することと、前記第１の端末機器が前記第１の端末機器に対応するＣＳＩレポート用のトリガービットによってＣＳＩをレポートするか否かを決定することと、を含む。
【００１４】
第１の態様の上記可能な実現形態を参照し、第１の態様の第９の実現形態において、前記ＤＣＩにＣＳＩをレポートするためのＭＣＳ指示情報を含み、前記第１の端末機器が前記ネットワーク機器に前記第１の端末機器のＣＳＩを送信する前に、前記方法はさらに、前記第１の端末機器がＣＳＩをレポートするための前記ＭＣＳ指示情報によってＣＳＩをレポートするための変調符号化方式を決定することを含み、前記第１の端末機器が前記ネットワーク機器に前記第１の端末機器のＣＳＩを送信することは、前記第１の端末機器がＣＳＩをレポートするための前記ＭＣＳによって前記ネットワーク機器に前記第１の端末機器のＣＳＩを送信することを含む。
【００１５】
第１の態様の上記可能な実現形態を参照し、第１の態様の第１０の実現形態において、前記ＤＣＩに前記ＣＳＩレポート用の物理リソース配置情報を含み、前記第１の端末機器が前記ネットワーク機器に前記第１の端末機器のＣＳＩを送信する前に、前記方法はさらに、前記第１の端末機器が前記ＣＳＩレポート用の物理リソース配置情報によって前記第１の端末機器のＣＳＩをレポートする第１のレポートリソースを決定することを含み、前記第１の端末機器が前記ネットワーク機器に前記第１の端末機器のＣＳＩを送信することは、前記第１の端末機器が前記第１のレポートリソースで前記ネットワーク機器に前記第１の端末機器のＣＳＩを送信することを含む。
【００１６】
第１の態様の上記可能な実現形態を参照し、第１の態様の第１１の実現形態において、前記第１の端末機器が前記ＣＳＩレポート用の物理リソース配置情報によって前記第１の端末機器のＣＳＩをレポートする第１のレポートリソースを決定することは、前記第１の端末機器が前記ＣＳＩレポート用の物理リソース配置情報によって前記第１の端末機器のＣＳＩを送信する第１のリソースエリアを決定することと、前記第１の端末機器が前記第１のリソースエリアのリソースで前記第１の端末機器のＣＳＩを送信する前記第１のレポートリソースを決定することと、を含む。
【００１７】
第１の態様の上記可能な実現形態を参照し、第１の態様の第１２の実現形態において、前記第１の端末機器が前記第１のリソースエリアのリソースで前記第１の端末機器のＣＳＩを送信する前記第１のレポートリソースを決定することは、前記第１の端末機器が前記第１のリソースエリアの全てのリソースを前記第１のレポートリソースとして決定すること、或いは、前記第１の端末機器が前記第１のリソースエリアでランダムに複数の物理リソースを選んで前記第１のレポートリソースとして決定することを含む。
【００１８】
第１の態様の上記可能な実現形態を参照し、第１の態様の第１３の実現形態において、前記第１の端末機器が前記第１のリソースエリアのリソースで前記第１の端末機器のＣＳＩを送信する前記第１のレポートリソースを決定する前に、前記方法はさらに、前記第１の端末機器が前記ネットワーク機器から送信された、前記第１の端末機器のＣＳＩを送信するリソースの位置を指示するための物理リソースインデックスを受信することを含み、前記第１の端末機器が前記第１のリソースエリアのリソースで前記第１の端末機器のＣＳＩを送信する前記第１のレポートリソースを決定することは、前記第１の端末機器が前記物理リソースインデックスによって前記第１のリソースエリアのリソースで前記第１の端末機器のＣＳＩを送信する前記第１のレポートリソースを決定することを含む。
【００１９】
第１の態様の上記可能な実現形態を参照し、第１の態様の第１４の実現形態において、前記第１の端末機器が前記第１のリソースエリアのリソースで前記第１の端末機器のＣＳＩを送信する前記第１のレポートリソースを決定する前に、前記方法はさらに、前記第１の端末機器が前記ネットワーク機器から送信された、前記第１の端末機器の、ＣＳＩをレポートする端末機器における位置情報を指示するための前記第１の端末機器のインデックスを受信することを含み、前記第１の端末機器が前記第１のリソースエリアのリソースで前記第１の端末機器のＣＳＩを送信する前記第１のレポートリソースを決定することは、前記第１の端末機器が前記第１の端末機器のインデックスによって前記第１のリソースエリアのリソースで前記第１の端末機器のＣＳＩを送信する前記第１のレポートリソースを決定することを含む。
【００２０】
第１の態様の上記可能な実現形態を参照し、第１の態様の第１５の実現形態において、前記第１の端末機器が前記第１のリソースエリアのリソースで前記第１の端末機器のＣＳＩを送信する前記第１のレポートリソースを決定することは、前記第１の端末機器が前記第１の端末機器のＣＳＩレポート用のＭＣＳ及び前記第１の端末機器のＣＳＩに占められるビットによってＣＳＩレポート用の物理リソースのサイズを算出することと、前記第１の端末機器が算出したＣＳＩレポート用の物理リソースのサイズによって前記第１のリソースエリアのリソースから前記第１の端末機器のＣＳＩを送信する前記第１のレポートリソースを決定することと、を含む。
【００２１】
第１の態様の上記可能な実現形態を参照し、第１の態様の第１６の実現形態において、前記第１のレポートリソース及び前記ＤＣＩを介してＣＳＩをレポートするよう指示される第２の端末機器がＣＳＩをレポートするための第２の物理リソースは、周波数分割多重化ＦＤＭ方式、時分割多重化ＴＤＭ方式又は符号分割多重化ＣＤＭ方式で多重化される。
【００２２】
第１の態様の上記可能な実現形態を参照し、第１の態様の第１７の実現形態において、前記第１の端末機器が前記ＤＣＩによって前記ネットワーク機器に前記第１の端末機器のＣＳＩを送信する前に、前記方法はさらに、前記第１の端末機器が前記第１の端末機器のＣＳＩを測定することを含む。
【００２３】
第１の態様の上記可能な実現形態を参照し、第１の態様の第１８の実現形態において、前記ＤＣＩにＣＳＩ測定用のリソース配置情報を含み、前記第１の端末機器が前記第１の端末機器のＣＳＩを測定することは、前記第１の端末機器が前記ＣＳＩ測定用のリソース配置情報によって前記第１の端末機器のＣＳＩを測定する第１の測定リソースを決定することと、前記第１の端末機器が前記第１の測定リソースによって前記第１の端末機器のＣＳＩを測定することと、を含む。
【００２４】
第１の態様の上記可能な実現形態を参照し、第１の態様の第１９の実現形態において、前記第１の端末機器が前記ＣＳＩ測定用のリソース配置情報によって前記第１の端末機器のＣＳＩを測定する第１の測定リソースを決定することは、前記端末機器がＣＳＩ測定用のリソース配置情報に含まれた第１の測定リソース配置によって前記第１の端末機器のＣＳＩを測定する第１の測定リソースを決定することを含む。
【００２５】
第１の態様の上記可能な実現形態を参照し、第１の態様の第２０の実現形態において、前記第１の端末機器が前記ＣＳＩ測定用のリソース配置情報によって前記第１の端末機器のＣＳＩを測定する第１の測定リソースを決定する前に、前記方法はさらに、前記端末機器がネットワーク機器から送信されたＮ個の第１の測定リソース配置を受信することを含み、前記第１の端末機器が前記ＣＳＩ測定用のリソース配置情報によって前記第１の端末機器のＣＳＩを測定する第１の測定リソースを決定することは、前記端末機器が前記ＣＳＩ測定用のリソース配置情報に含まれた測定リソース配置指示情報によって前記Ｎ個の第１の測定リソース配置からＭ個の第１の測定リソース配置を決定することと、前記端末機器が前記Ｍ個の第１の測定リソース配置によって前記第１の端末機器のＣＳＩを測定する前記第１の測定リソースを決定することと、を含み、ここで、Ｍが１以上且つＮ以下の整数で、Ｎが１以上の整数とする。
【００２６】
第１の態様の上記可能な実現形態を参照し、第１の態様の第２１の実現形態において、前記ＤＣＩに伝送方式仮定情報を含み、前記第１の端末機器が前記第１の端末機器のＣＳＩを測定することは、前記第１の端末機器が前記伝送方式仮定情報によって前記ネットワーク機器が下りリンクデータを送信するための伝送方式を決定することと、前記ネットワーク機器が下りリンクデータを送信するための伝送方式に基づき、前記第１の端末機器が前記第１の端末機器のＣＳＩを測定することと、を含む。
【００２７】
第１の態様の上記可能な実現形態を参照し、第１の態様の第２２の実現形態において、前記ＤＣＩにＣＳＩのレポートタイプ情報を含み、前記第１の端末機器が前記第１の端末機器のＣＳＩを測定することは、前記第１の端末機器が前記ＣＳＩのレポートタイプ情報によってネットワーク機器に送信する前記第１の端末機器のＣＳＩのタイプを決定することと、前記第１の端末機器が前記第１の端末機器のＣＳＩのタイプに基づいて前記第１の端末機器のＣＳＩを測定することと、を含む。
【００２８】
第１の態様の上記可能な実現形態を参照し、第１の態様の第２３の実現形態において、前記ＤＣＩにコードブック指示情報を含み、前記第１の端末機器が前記第１の端末機器のＣＳＩを測定することは、前記第１の端末機器が前記コードブック指示情報によって前記第１の端末機器のＣＳＩを測定するためのコードブックを決定することと、前記第１の端末機器が前記第１の端末機器のＣＳＩを測定するためのコードブックによって前記第１の端末機器のＣＳＩを測定することと、を含み、前記第１の端末機器が前記ネットワーク機器に前記第１の端末機器のＣＳＩを送信することは、前記第１の端末機器が前記第１の端末機器のＣＳＩを測定するためのコードブックによって前記ネットワーク機器に前記第１の端末機器のＣＳＩを送信することを含む。
【００２９】
第１の態様の上記可能な実現形態を参照し、第１の態様の第２４の実現形態において、前記ＤＣＩにコードブックサブセット制約情報を含み、前記第１の端末機器が前記第１の端末機器のＣＳＩを測定することは、前記第１の端末機器が前記コードブックサブセット制約情報によって前記第１の端末機器のＣＳＩを測定するためのコードワードを決定することと、前記第１の端末機器が前記第１の端末機器のＣＳＩを測定するためのコードワードによって前記第１の端末機器のＣＳＩを測定することと、を含み、前記第１の端末機器が前記ネットワーク機器に前記第１の端末機器のＣＳＩを送信することは、前記第１の端末機器が前記第１の端末機器のＣＳＩを測定するためのコードワードによって前記ネットワーク機器に前記第１の端末機器のＣＳＩを送信することを含む。
【００３０】
第１の態様の上記可能な実現形態を参照し、第１の態様の第２５の実現形態において、前記第１の端末機器が前記ＤＣＩによって前記ネットワーク機器に前記第１の端末機器のＣＳＩを送信する前に、前記方法はさらに、前記第１の端末機器が前記ネットワーク機器から送信されたＣＳＩのレポート回数情報及び／又はＣＳＩのレポート時間長さ情報を受信することを含み、前記第１の端末機器が前記ネットワーク機器に前記第１の端末機器のＣＳＩを送信することは、前記第１の端末機器が前記ＣＳＩのレポート回数情報及び／又はＣＳＩのレポート時間長さ情報によってＣＳＩのレポート回数及び／又はＣＳＩのレポート時間長さを決定することと、前記第１の端末機器が前記ＣＳＩのレポート回数及び／又は前記ＣＳＩのレポート時間長さによって前記ネットワーク機器に前記第１の端末機器のＣＳＩを送信することと、を含む。
【００３１】
第１の態様の上記可能な実現形態を参照し、第１の態様の第２６の実現形態において、前記ＣＳＩは、プレコーディングマトリックスインデックスＰＭＩ、ランクインデックスＲＩ、チャンネル品質インデックスＣＱＩの少なくとも１つを含む。
【００３２】
第２の態様では提供されるチャンネル状態情報の伝送方法は、ネットワーク機器が第１の端末機器に下りリンク制御情報ＤＣＩを送信することと、前記ネットワーク機器が前記第１の端末機器から前記ＤＣＩによって送信された前記第１の端末機器のＣＳＩを受信することと、を含む。
【００３３】
第２の態様の第１の可能な実現形態において、前記ＤＣＩは、前記第１の端末機器を含む複数の端末機器における各端末機器がＣＳＩをレポートするか否かを指示することに用いられる。
【００３４】
第２の態様の上記可能な実現形態を参照し、第２の態様の第２の可能な実現形態において、前記ＤＣＩは、前記第１の端末機器を含む複数の端末機器における各端末機器がＣＳＩをレポートするか否かを指示するためのビットを含むＣＳＩレポート用のトリガービットシーケンス、前記複数の端末機器のうちＣＳＩをレポートする端末機器がＣＳＩをレポートする回数を指示するためのＣＳＩのレポート回数情報、前記複数の端末機器のうちＣＳＩをレポートする端末機器がＣＳＩをレポートする持続時間長さを指示するためのＣＳＩのレポート時間長さ情報、前記複数の端末機器のうちＣＳＩをレポートする端末機器がＣＳＩをレポートするための物理リソースを指示するためのＣＳＩレポート用の物理リソース配置情報、前記複数の端末機器のうちＣＳＩをレポートする端末機器がＣＳＩを測定するためのリソースを指示するためのＣＳＩ測定用のリソース配置情報、前記複数の端末機器のうちＣＳＩをレポートする端末機器がＣＳＩをレポートするための変調符号化方式を指示するためのＣＳＩ伝送用の変調符号化方式ＭＣＳ指示情報、前記ネットワーク機器から前記複数の端末機器のうちＣＳＩをレポートする端末機器に下りリンクデータを送信するための伝送方式を指示するための伝送方式仮定情報、前記複数の端末機器のうちＣＳＩをレポートする端末機器がＣＳＩをレポートするタイプを指示するためのＣＳＩのレポートタイプ情報、前記複数の端末機器のうちＣＳＩをレポートする端末機器がＣＳＩを測定及びレポートするためのコードブックを指示するためのコードブック指示情報、前記複数の端末機器のうちＣＳＩをレポートする端末機器がＣＳＩを測定及びレポートするためのコードワードを指示するためのコードブックサブセット制約情報の少なくとも１つを含む。
【００３５】
第２の態様の上記可能な実現形態を参照し、第２の態様の第３の可能な実現形態において、前記ＣＳＩレポート用のトリガービットシーケンスに複数のビットが含まれる場合、前記ＣＳＩレポート用のトリガービットシーケンスにおける各ビットは、前記複数の端末機器における１つの端末機器がＣＳＩをレポートするか否かを指示することに用いられる。
【００３６】
第２の態様の上記可能な実現形態を参照し、第２の態様の第４の実現形態において、具体的には、前記ＣＳＩレポート用の物理リソース配置情報は、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられる。
【００３７】
第２の態様の上記可能な実現形態を参照し、第２の態様の第５の実現形態において、前記複数の端末機器のうちＣＳＩをレポートする各端末機器がＣＳＩをレポートするときにそれぞれ利用される物理リソースは、周波数領域リソース及び／又は時間領域リソースを含み、及び／又は、前記複数の端末機器のうちＣＳＩをレポートする全ての端末機器がＣＳＩをレポートするときに共通で利用される物理リソースは、周波数領域リソース及び／又は時間領域リソースを含む。
【００３８】
第２の態様の上記可能な実現形態を参照し、第２の態様の第６の実現形態において、前記ＣＳＩ測定用のリソース配置情報は、ＣＳＩプロセス、下りリンクパイロットのリソース配置情報及び干渉測定用のリソース配置情報の少なくとも１つを含む。
【００３９】
第２の態様の上記可能な実現形態を参照し、第２の態様の第７の実現形態において、前記ネットワーク機器が複数の端末機器にＤＣＩを送信することは、前記ネットワーク機器が前記複数の端末機器に前記複数の端末機器に共用される身分識別情報を指示するためのグループ識別子Ｇｒｏｕｐ  ＩＤ又は前記複数の端末機器に共用される無線ネットワーク臨時識別子情報を指示するためのグループＣＳＩ無線ネットワーク臨時識別子Ｇｒｏｕｐ−ＣＳＩ−ＲＮＴＩによって巡回冗長検査ＣＲＣスクランブリングを行う前記ＤＣＩを送信することを含む。
【００４０】
第２の態様の上記可能な実現形態を参照し、第２の態様の第８の実現形態において、前記ネットワーク機器が複数の端末機器にＤＣＩを送信する前に、前記方法はさらに、前記複数の端末機器が前記Ｇｒｏｕｐ  ＩＤ又は前記Ｇｒｏｕｐ−ＣＳＩ−ＲＮＴＩによって前記Ｇｒｏｕｐ  ＩＤ又は前記グループＣＳＩ無線ネットワーク臨時識別子Ｇｒｏｕｐ−ＣＳＩ−ＲＮＴＩによってＣＲＣスクランブリングを行う前記ＤＣＩを受信するように、前記ネットワーク機器が前記複数の端末機器に前記Ｇｒｏｕｐ  ＩＤ又は前記Ｇｒｏｕｐ−ＣＳＩ−ＲＮＴＩを送信することを含む。
【００４１】
第２の態様の上記可能な実現形態を参照し、第２の態様の第９の実現形態において、前記ＤＣＩに前記ＣＳＩレポート用のトリガービットシーケンスを含み、前記ネットワーク機器が第１の端末機器から前記ＤＣＩによって送信された前記第１の端末機器のＣＳＩを受信する前に、前記方法はさらに、前記第１の端末機器が前記第１の端末機器のインデックス情報によって前記第１の端末機器に対応するＣＳＩレポート用のトリガービットを決定し、そして前記ＣＳＩレポート用のトリガービットによって前記第１の端末機器のＣＳＩをレポートするか否かを決定するように、前記ネットワーク機器が前記第１の端末機器に対応するＣＳＩレポート用のトリガービットの、前記ＣＳＩレポート用のトリガービットシーケンスにおける位置を指示するための前記第１の端末機器のインデックス情報を前記第１の端末機器に送信することを含む。
【００４２】
第２の態様の上記可能な実現形態を参照し、第２の態様の第１０の実現形態において、前記ＤＣＩにＣＳＩレポート用の物理リソース配置情報を含み、前記ネットワーク機器が第１の端末機器から前記ＤＣＩによって送信された前記第１の端末機器のＣＳＩを受信することは、前記ネットワーク機器が前記第１の端末機器から前記第１の端末機器により前記ＤＣＩに含まれた前記ＣＳＩレポート用の物理リソース配置情報によって決定された第１のレポートリソースで送信された前記第１の端末機器のＣＳＩを受信することを含む。
【００４３】
第２の態様の上記可能な実現形態を参照し、第２の態様の第１１の実現形態において、前記ネットワーク機器が第１の端末機器から前記ＤＣＩによって送信された前記第１の端末機器のＣＳＩを受信する前に、前記方法はさらに、前記ネットワーク機器が前記第１の端末機器に、前記第１の端末機器のＣＳＩを送信するリソースの位置を指示するための物理リソースインデックスを送信することを含み、前記ネットワーク機器が前記第１の端末機器から前記第１のレポートリソースで送信された第１の端末機器のＣＳＩを受信することは、前記ネットワーク機器が前記第１の端末機器から前記ＣＳＩレポート用の物理リソース配置情報によって前記ＣＳＩレポート用の物理リソース配置情報によって決定された第１のリソースエリアのリソースで決定された前記第１のレポートリソースで送信された前記第１の端末機器のＣＳＩを受信することを含む。
【００４４】
第２の態様の上記可能な実現形態を参照し、第２の態様の第１２の実現形態において、前記ネットワーク機器が第１の端末機器から前記ＤＣＩによって送信された前記第１の端末機器のＣＳＩを受信する前に、前記方法はさらに、前記ネットワーク機器が前記第１の端末機器に、前記第１の端末機器の、ＣＳＩをレポートする端末機器における位置情報を指示するための前記第１の端末機器のインデックスを送信することを含み、前記ネットワーク機器が前記第１の端末機器から第１のレポートリソースで送信された前記第１の端末機器のＣＳＩを受信することは、前記ネットワーク機器が前記第１の端末機器から前記第１の端末機器のインデックスによって前記ＣＳＩレポート用の物理リソース配置情報によって決定された前記第１のリソースエリアのリソースで決定された前記第１のレポートリソースで送信された前記第１の端末機器のＣＳＩを受信することを含む。
【００４５】
第２の態様の上記可能な実現形態を参照し、第２の態様の第１３の実現形態において、前記ネットワーク機器が第１の端末機器に下りリンク制御情報ＤＣＩを送信する前に、前記方法はさらに、前記端末機器が前記ＣＳＩ測定用のリソース配置情報に含まれた測定リソース配置指示情報によって前記Ｎ個の第１の測定リソース配置からＭ個の第１の測定リソース配置を決定し、そして前記Ｍ個の第１の測定リソース配置によって前記第１の端末機器のＣＳＩを測定する前記第１の測定リソースを決定するように、前記ネットワーク機器が前記第１の端末機器にＮ個の第１の測定リソース配置を送信することを含み、ここで、Ｍが１以上且つＮ以下の整数で、Ｎが１以上の整数とする。
【００４６】
第２の態様の上記可能な実現形態を参照し、第２の態様の第１４の実現形態において、前記ネットワーク機器が第１の端末機器から前記ＤＣＩによって送信された前記第１の端末機器のＣＳＩを受信する前に、前記方法はさらに、前記ネットワーク機器が前記複数の端末機器にＣＳＩのレポート回数情報及び／又はＣＳＩのレポート時間長さ情報を送信することを含み、前記ネットワーク機器が第１の端末機器から前記ＤＣＩによって送信された前記第１の端末機器のＣＳＩを受信することは、前記ネットワーク機器が前記第１の端末機器から前記ＣＳＩのレポート回数情報及び／又は前記ＣＳＩのレポート時間長さ情報及び前記ＤＣＩによって送信された前記第１の端末機器のＣＳＩを受信することを含む。
【００４７】
第２の態様の上記可能な実現形態を参照し、第２の態様の第１５の実現形態において、前記ＣＳＩは、プレコーディングマトリックスインデックスＰＭＩ、ランクインデックスＲＩ、チャンネル品質インデックスＣＱＩの少なくとも１つを含む。
【００４８】
第３の態様では提供されるチャンネル状態情報の伝送装置は、上記第１の態様又は第１の態様の任意の可能な実現形態における方法を実行する。具体的には、該装置は、上記第１の態様又は第１の態様の任意の可能な実現形態における方法を実行するためのユニットを含む。
【００４９】
第４の態様では提供されるチャンネル状態情報の伝送装置は、上記第２の態様又は第２の態様の任意の可能な実現形態における方法を実行する。具体的には、該装置は、上記第２の態様又は第２の態様の任意の可能な実現形態における方法を実行するためのユニットを含む。
【００５０】
第５の態様では提供されるチャンネル状態情報の伝送システムは、上記第３の態様又は第３の態様の任意の可能な実現形態における装置及び上記第４の態様又は第４の態様の任意の可能な実現形態における装置を含む。
【００５１】
第６の態様では提供されるチャンネル状態情報の伝送装置は、受信器と、送信器と、メモリと、プロセッサと、バスシステムとを含む。該受信器、該送信器、該メモリ及び該プロセッサは、該バスシステムを介して接続され、該メモリは、コマンドを記憶し、該プロセッサは、該メモリに記憶されているコマンドを実行して、受信器が信号を受信し、送信器が信号を送信するよう制御し、且つ該プロセッサが該メモリに記憶されているコマンドを実行するとき、該実行によって該プロセッサが第１の態様又は第１の態様の任意の可能な実現形態における方法を実行する。
【００５２】
第７の態様では提供されるチャンネル状態情報の伝送装置は、受信器と、送信器と、メモリと、プロセッサと、バスシステムとを含む。該受信器、該送信器、該メモリ及び該プロセッサは、該バスシステムを介して接続され、該メモリは、コマンドを記憶し、該プロセッサは、該メモリに記憶されているコマンドを実行して、受信器が信号を受信し、送信器が信号を送信するよう制御し、且つ該プロセッサが該メモリに記憶されているコマンドを実行するとき、該実行によって該プロセッサが第２の態様又は第２の態様の任意の可能な実現形態における方法を実行する。
【００５３】
第８の態様では提供されるコンピュータ読み取り可能媒体は、第１の態様又は第１の態様の任意の可能な実現形態における方法を実行するためのコマンドを含むコンピュータプログラムを記憶する。
【００５４】
第９の態様では提供されるコンピュータ読み取り可能媒体は、第２の態様又は第２の態様の任意の可能な実現形態における方法を実行するためのコマンドを含むコンピュータプログラムを記憶する。
【図面の簡単な説明】
【００５５】
本発明の実施例の技術的解決手段についてより明確に説明するために、以下、本発明の実施例又は従来技術の記述に対して必要な図面を用いて簡潔に説明を行うが、当然ながら、以下に記載する図面は本発明の実施例の一部にすぎず、当業者であれば、創造的な労力を要することなく、これらの図面に基づき他の図面を想到し得る。
【図１】本発明の実施例に係るチャンネル状態情報の伝送方法の説明図である。
【図２】本発明の実施例に係る別のチャンネル状態情報の伝送方法の説明図である。
【図３】本発明の実施例に係るチャンネル状態情報の伝送装置の概略ブロック図である。
【図４】本発明の実施例に係る別のチャンネル状態情報の伝送装置の概略ブロック図である。
【図５】本発明の実施例に係る別のチャンネル状態情報の伝送装置の概略ブロック図である。
【図６】本発明の実施例に係る別のチャンネル状態情報の伝送装置の概略ブロック図である。
【発明を実施するための形態】
【００５６】
以下、本発明の実施例の図面を参照しながら、本発明の実施例の技術的解決手段について明確で、完全に説明するが、当然ながら、記載する実施例は本発明の一部の実施例にすぎず、全ての実施例ではない。本発明の実施例に基づき、当業者が創造的な労力を要さずに想到し得る他の実施例は、いずれも本発明の技術的範囲に属する。
【００５７】
理解されるように、本発明の技術的解決手段は、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロング・ターム・エヴォリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）又はマイクロ波アクセスのための世界的な相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム、及び未来要望される通信システムなど、各種の通信システムに応用できる。
【００５８】
また理解されるように、本発明の実施例では、端末機器は、ユーザー機器（Ｕｓｅｒ  Ｅｑｕｉｐｍｅｎｔ、「ＵＥ」と略称）、端末機器、モバイルステーション（Ｍｏｂｉｌｅ  Ｓｔａｔｉｏｎ、「ＭＳ」と略称）、モバイルターミナル（Ｍｏｂｉｌｅ  Ｔｅｒｍｉｎａｌ）又は未来の５Ｇネットワークの端末機器などと呼ばれてもよく、この端末機器は、無線アクセスネットワーク（Ｒａｄｉｏ  Ａｃｃｅｓｓ  Ｎｅｔｗｏｒｋ、「ＲＡＮ」と略称）を介して１つ又は複数のコアネットワークと通信することができ、例えば、端末は、携帯電話（又は「セルラー」電話と呼ばれる）やモバイルターミナルを有するコンピュータなどでもよいし、ポータブル、小型式、ハンドヘルド、コンピュータ内蔵や車載のモバイルデバイスでもよい。それらは、無線アクセスネットワークと音声及び／又はデータを交換する。
【００５９】
ネットワーク機器は、モバイルデバイスと通信することができ、ネットワーク機器は、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）又は符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）のベーストランシーバ基地局（Ｂａｓｅ  Ｔｒａｎｓｃｅｉｖｅｒ  Ｓｔａｔｉｏｎ、「ＢＴＳ」と略称）でもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）の基地局（ＮｏｄｅＢ、「ＮＢ」と略称）でもよく、さらにＬＴＥの進化型基地局（Ｅｖｏｌｕｔｉｏｎａｌ  ＮｏｄｅＢ、「ｅＮＢ」又は「ｅＮｏｄｅＢ」と略称）でもよく、或いは中継局やアクセスポイント、車載機器、ウェアラブルデバイス又は未来の５Ｇネットワークのネットワークアクセス機器でもよい。
【００６０】
図１に本発明の実施例に係るチャンネル状態情報の伝送方法１００の概略フローチャートを示す。図１にはチャンネル状態情報の伝送方法のステップや操作を示しているが、これらのステップや操作は例示だけで、本発明の実施例はさらにその他の操作や図１の各操作の変形を実行することができる。該方法１００は、
ネットワーク機器が第１の端末機器に下りリンク制御情報を送信するＳ１１０と、
前記ネットワーク機器が第１の端末機器から前記下りリンク制御情報によって送信された前記第１の端末機器のＣＳＩを受信するＳ１２０と、を含む。
【００６１】
図２に本発明の実施例に係るチャンネル状態情報の伝送方法２００の概略フローチャートを示す。図２にはチャンネル状態情報の伝送方法のステップや操作を示しているが、これらのステップや操作は例示だけで、本発明の実施例はさらにその他の操作や図２の各操作の変形を実行することができる。該方法２００は、
第１の端末機器がネットワーク機器から送信された下りリンク制御情報を受信するＳ２１０と、
前記第１の端末機器が前記ＤＣＩによってＣＳＩをレポートするか否かを決定するＳ２２０と、
前記第１の端末機器がＣＳＩをレポートすると決定する場合、前記第１の端末機器が前記ネットワーク機器に前記第１の端末機器のＣＳＩを送信するＳ２３０と、を含む。
【００６２】
そのため、ネットワーク機器から送信されたＤＣＩによって第１の端末機器をトリガーしてＣＳＩをレポートし、さらに端末機器が自身のＣＳＩをレポートすることを可能にする。
【００６３】
場合によっては、前記ＤＣＩは、前記第１の端末機器を含む複数の端末機器における各端末機器がＣＳＩをレポートするか否かを指示することに用いられる。
【００６４】
具体的には、ネットワーク機器は、前記複数の端末機器のうち各端末機器が各端末機器とネットワーク機器との間のＣＳＩをアップロードするか否かを指示する下りリンク制御情報を複数の端末機器に送信し、このようにして、複数の端末機器における各端末機器は、下りリンク制御情報によってネットワーク機器にＣＳＩをフィードバックするか否かを決定することができる。複数の端末機器の第１の端末機器が下りリンク制御情報によって第１の端末機器とネットワーク機器との間のＣＳＩをフィードバックすると決定する場合、第１の端末機器がネットワーク機器に第１の端末機器のＣＳＩを送信し、ネットワーク機器が第１の端末機器から送信された第１の端末機器のＣＳＩを受信し、ネットワーク機器が第１の端末機器のＣＳＩによってチャンネル品質情報を決定する。前記第１の端末機器が下りリンク制御情報によって第１の端末機器とネットワーク機器との間のＣＳＩをフィードバックしないと決定する場合、第１の端末機器がネットワーク機器に第１の端末機器のＤＣＩを送信しない。このようにして、ネットワーク機器は各端末機器にＤＣＩを送信してＣＳＩレポートをトリガーせず、端末機器に下りリンク制御情報を１回送信するだけで複数の端末機器をトリガーしてＣＳＩをレポートできるので、シグナリングオーバーヘッドを節約することができる。
【００６５】
より具体的には、ネットワーク機器は、物理下りリンク制御チャンネル（Ｐｈｙｓｉｃａｌ  Ｄｏｗｎｌｉｎｋ  Ｃｏｎｔｒｏｌ  Ｃｈａｎｎｅｌ、「ＰＤＣＣＨ」と略称）又は物理下りリンク共有チャンネル（Ｐｈｙｓｉｃａｌ  Ｄｏｗｎｌｉｎｋ  Ｓｈａｒｅｄ  Ｃｈａｎｎｅｌ、「ＰＤＳＣＨ」と略称）を介して複数の端末機器にＤＣＩを送信でき、このようにして、複数の端末機器における各端末機器は、該下りリンク共有チャンネルの下りリンク制御情報を検出することができる。
【００６６】
理解されるように、本発明の実施例で言及したＤＣＩは、ＬＴＥの下りリンク制御情報でもよく、いかなるネットワーク機器から端末機器に送信された上位レイヤシグナリングでもよく、未来のネットワークシステムの下りリンク制御情報などでもよい。本発明の実施例はこれに限定されない。
【００６７】
本発明の実施例で言及したＣＳＩは、プレコーディングマトリックスインデックス（Ｐｒｅｃｏｄｉｎｇ  Ｍａｒｔｒｉｘ  Ｉｎｄｅｘ、「ＰＭＩ」と略称）、ランクインデックス（Ｒａｎｋ  Ｉｎｄｅｘ、「ＲＩ」と略称）、チャンネル品質インデックス（Ｃｈａｎｎｅｌ  Ｑｕａｌｉｔｙ  Ｉｎｄｅｘ、「ＣＱＩ」と略称）の少なくとも１つを含む。
【００６８】
選択可能な実施例として、ネットワーク機器が複数の端末機器に下りリンク制御情報を送信する前に、ネットワーク機器は、前記複数の端末機器に共用される身分識別情報を指示するためのグループ識別子Ｇｒｏｕｐ  ＩＤ又は前記複数の端末機器に共用される無線ネットワーク臨時識別子情報を指示するためのグループＣＳＩ無線ネットワーク臨時識別子Ｇｒｏｕｐ−ＣＳＩ−ＲＮＴＩを複数の端末機器に送信し、複数の端末機器の第１の端末機器は、前記Ｇｒｏｕｐ  ＩＤ又は前記Ｇｒｏｕｐ−ＣＳＩ−ＲＮＴＩを受信する。そして、ネットワーク機器は、グループ識別子Ｇｒｏｕｐ  ＩＤ又はグループＣＳＩ無線ネットワーク臨時識別子Ｇｒｏｕｐ−ＣＳＩ−ＲＮＴＩによってＣＲＣスクランブリングを行う前記下りリンク制御情報を複数の端末機器に送信し、複数の端末機器の第１の端末機器は、受信した前記Ｇｒｏｕｐ  ＩＤ又は前記Ｇｒｏｕｐ−ＣＳＩ−ＲＮＴＩによってグループ識別子Ｇｒｏｕｐ  ＩＤ又はグループＣＳＩ無線ネットワーク臨時識別子Ｇｒｏｕｐ−ＣＳＩ−ＲＮＴＩによってＣＲＣスクランブリングを行う前記下りリンク制御情報を受信し、従って、ネットワーク機器は、特定の識別子情報を利用して下りリンク制御情報をスクランブリングでき、端末機器は、特定の識別子情報を利用して下りリンク制御情報をデスクランブリングし、このようにして、端末機器が下りリンク制御情報を正しく受信することを保証できる。例えば、ネットワーク機器はまた、その他の情報を利用して下りリンク制御情報をスクランブリングでき、具体的にはどのようにスクランブリングするかは、プロトコルによる規定又はネットワークによる配置に従う。本発明の実施例はこれに限定されない。
【００６９】
理解されるように、該第１の端末機器は、複数の端末機器のいかなる端末機器でもよく、該複数の端末機器における端末機器の数は、所定の数でもよい。
【００７０】
また理解されるように、該下りリンク制御情報は、複数の端末機器のうちＣＳＩをレポートする端末機器がＣＳＩをレポートする回数を指示し、ＣＳＩのレポート回数は、一回や数回でもよく、継続的なレポートでもよい。当然のことながら、複数の端末機器のうちＣＳＩをレポートする全ての端末機器は、同じレポート回数を採用してもよく、異なるレポート回数を採用してもよい。本発明の実施例はこれに限定されない。
【００７１】
場合によっては、下りリンク制御情報は、下記の１０項目の少なくとも１つを含む。
【００７２】
第１は、ＣＳＩレポート用のトリガービットシーケンスであり、該ＣＳＩレポート用のトリガービットシーケンスの１つのビットは、複数の端末機器の１つのビットに対応し、或いは、該ＣＳＩレポート用のトリガービットシーケンスにおいて、１つのビットだけで複数の端末機器のうち全ての端末機器がＣＳＩをレポートするか否かを指示し、或いは、該ＣＳＩレポート用のトリガービットシーケンスにおいて、１つのビットで２つ以上の端末機器がＣＳＩをレポートするか否かを指示でき、具体的には、ビットマップ（ｂｉｔｍａｐ）を利用して複数の端末機器がＣＳＩをレポートするか否かを指示でき、該ビットシーケンスの長さは、端末機器の数と同じであってもよく、すなわち、１つのビットは、１つの端末機器に対応し、例えば、長さが１０ビットのビットシーケンスは、１０個の端末機器に対応し、１０個のビットシーケンスにおいてビット値が１のビットは、該ビットに対応する端末機器がＣＳＩをレポートすることを指示し、１０個のビットシーケンスにおいてビット値が０のビットは、該ビットに対応する端末機器がＣＳＩをレポートしないことを指示する。当然のことながら、前記ビットシーケンスの複数のビットは、前記複数の端末機器における１つの端末機器に対応することができる。
【００７３】
選択可能な実施例として、前記下りリンク制御情報にＣＳＩレポート用のトリガービットシーケンスを含む場合、Ｓ１２０の前に、前記方法１００はさらに、前記ネットワーク機器が前記各端末機器の前記ＣＳＩレポート用のトリガービットシーケンスにおける位置を指示するための前記複数の端末機器における当該端末機器のインデックス情報を前記複数の端末機器における各端末機器に送信することを含む。Ｓ２２０の前に、前記方法２００はさらに、前記第１の端末機器がネットワーク機器から送信された前記第１の端末機器のインデックス情報を受信することを含む。ここで、Ｓ２２０は、前記第１の端末機器が前記第１の端末機器のインデックス情報及び前記ビットシーケンスによって前記ネットワーク機器に前記第１の端末機器のＣＳＩを送信することを含む。Ｓ１２０は、前記ネットワーク機器が前記第１の端末機器から前記第１の端末機器のインデックス情報及び前記ビットシーケンスによって送信された前記第１の端末機器のＣＳＩを受信することを含む。
【００７４】
具体的には、ネットワーク機器は、複数の端末機器における各端末機器に各端末機器のインデックスを送信し、該インデックスを複数の端末機器における各端末機器に同時に送信してもよく、複数の端末機器における各端末機器にそれぞれ送信してもよく、すなわち、各端末機器は、自身のインデックスによってビットシーケンスにおける位置を決定し、そして各端末機器のビットシーケンスにおける位置のビット値によってネットワーク機器に自身のＣＳＩをフィードバックするか否かを決定できる。例えば、該ビットシーケンスの長さを１０とすれば、それぞれ１０個の端末機器に対応し、すなわち、該ビットシーケンスは、該１０個の端末機器がＣＳＩをレポートするか否かをトリガーでき、該ビットシーケンスの値を｛１０１００１１００００｝とすれば、該ビットシーケンスの左から右まで対応するインデックスが０１２３４５６７８９であるとデフォルトし、第１の端末機器のインデックスを２とし、インデックスが２のビットの位置で対応するビット値を１とすれば、第１の端末機器は、ＣＳＩをレポートすると決定する。
【００７５】
第２は、ＣＳＩのレポート回数情報であり、前記ＣＳＩのレポート回数情報は、前記複数の端末機器のうちＣＳＩをレポートする端末機器がＣＳＩをレポートする回数を指示し、当然のことながら、該ＣＳＩのレポート回数はまた、複数の端末機器における各端末機器がＣＳＩをレポートする回数を指示し、このようにして、１回指示すれば各端末機器がＣＳＩをレポートする回数を指示でき、複数の端末機器にＣＳＩをレポートしない端末機器があっても、ＣＳＩをレポートしない端末機器に指示を出すことができ、このようにして、ＣＳＩをレポートしないこれらの端末機器が次回受信した下りリンク制御情報は、これらの端末機器がＣＳＩをレポートすることを指示するとき、ＣＳＩのレポート回数を指示しないようになる。ＣＳＩのレポート回数は、複数の端末機器のうちＣＳＩをレポートする端末機器がＣＳＩをレポートする共通の回数でもよく、複数の端末機器のうちＣＳＩをレポートする端末機器がそれぞれ自身のＣＳＩをレポートする回数でもよく、或いは、ＣＳＩのレポート回数は、１つの端末機器がＣＳＩをレポートする回数でもよく、複数の端末機器がＣＳＩをレポートする回数でもよい。本発明の実施例はこれに限定されない。
【００７６】
第３は、ＣＳＩのレポート時間長さ情報であり、前記ＣＳＩのレポート時間長さ情報は、前記複数の端末機器のうちＣＳＩをレポートする端末機器がＣＳＩをレポートする持続時間長さを指示し、当然のことながら、該ＣＳＩのレポート時間長さはまた、複数の端末機器における各端末機器がＣＳＩをレポートする時間長さを指示し、このようにして、１回指示すれば各端末機器がＣＳＩをレポートする時間長さを指示でき、複数の端末機器にＣＳＩをレポートしない端末機器があっても、ＣＳＩをレポートしない端末機器に指示を出すことができ、このようにして、ＣＳＩをレポートしないこれらの端末機器が次回受信した下りリンク制御情報は、これらの端末機器がＣＳＩをレポートすることを指示するとき、ＣＳＩのレポート時間長さを指示しないようになる。ＣＳＩのレポート時間長さは、複数の端末機器のうちＣＳＩをレポートする端末機器がＣＳＩをレポートする共通の時間長さでもよく、複数の端末機器のうちＣＳＩをレポートする端末機器がそれぞれ自身のＣＳＩをレポートする時間長さでもよく、或いは、ＣＳＩのレポート時間長さは、１つの端末機器がＣＳＩをレポートする時間長さでもよく、複数の端末機器がＣＳＩをレポートする時間長さでもよい。本発明の実施例はこれに限定されない。
【００７７】
具体的には、ＣＳＩのレポート回数をＮとすれば、周期的にＮ回レポートしてもよく、Ｎが１以上の整数とする。ＣＳＩのレポート時間長さをＴとすれば、時間長さＴ内に周期的にレポートしてもよく、Ｔが０以上とする。当然のことながら、ＣＳＩのレポート時間長さを指示するとともに、ＣＳＩのレポート回数も指示することもでき、すなわち、時間長さＴ内にＮ回ＣＳＩをレポートすることを指示するとともに、時間長さＴ内に周期的にＮ回ＣＳＩをレポートすることを指示できる。より具体的には、ネットワークは、端末機器にＣＳＩのレポート回数とリソースとの第１のマッピング関係を配置でき、或いはプロトコルでＣＳＩのレポート回数とリソースとのマッピング関係を規定できる。例えば、該第１のマッピング関係は、Ｎ回ＣＳＩをレポートするための同じリソースでもよく、或いは、該第１のマッピング関係は、Ｎ回ＣＳＩをレポートするための周波数領域リソースや周波数領域変調の関係でもよい。例えば、特定のサブバンドおきに１つのＣＳＩをレポートする。ネットワークは、端末機器にＣＳＩのレポート時間長さとリソースとの第１のマッピング関係を配置でき、或いはプロトコルでＣＳＩのレポート時間長さとリソースとのマッピング関係を規定できる。例えば、該第１のマッピング関係は、特定の時間長さＴ内に特定の周波数領域リソースを利用してＣＳＩをレポートすることである。より具体的には、ＣＳＩのレポート時間長さは、複数の端末機器がＣＳＩをレポートする時間長さでもよく、該複数の端末機器がＣＳＩをレポートする時間長さは、共通で指示されてもよく、個別に指示されてもよい。ＣＳＩのレポート回数は、複数の端末機器がＣＳＩをレポートする回数でもよく、該複数の端末機器がＣＳＩをレポートする回数は、共通で指示されてもよく、個別に指示されてもよい。
【００７８】
選択可能な実施例として、Ｓ１２０の前に、前記方法１００はさらに、前記ネットワーク機器が前記複数の端末機器にＣＳＩのレポート回数情報及び／又はＣＳＩのレポート時間長さ情報を送信することを含む。Ｓ２２０の前に、前記方法２００はさらに、前記第１の端末機器がネットワーク機器から送信されたＣＳＩのレポート回数情報及び／又はＣＳＩのレポート時間長さ情報を受信することを含む。Ｓ１２０は、前記ネットワーク機器が前記第１の端末機器から前記ＣＳＩのレポート回数情報及び／又は前記ＣＳＩのレポート時間長さ情報によって送信された前記第１の端末機器のＣＳＩを受信することを含む。Ｓ２２０は、前記第１の端末機器が前記ＣＳＩのレポート回数及び／又は前記ＣＳＩのレポート時間長さによって前記ネットワーク機器に前記第１の端末機器のＣＳＩを送信することを含む。
【００７９】
具体的には、前述のＣＳＩのレポート回数情報及び／又はＣＳＩのレポート時間長さ情報は、ネットワーク機器が上位レイヤシグナリングによって事前に複数の端末機器に送信するものでもよく、ＤＣＩを介して複数の端末機器に送信するものでもよい。具体的にはどのようにＣＳＩのレポート回数情報及び／又はＣＳＩのレポート時間長さ情報を送信するかは、プロトコルによる規定又はネットワークによる配置に従う。本発明の実施例はこれに限定されない。
【００８０】
第４は、ＣＳＩ伝送用のＭＣＳ指示情報であり、前記ＣＳＩ伝送用の変調符号化方式指示情報は、前記複数の端末機器のうちＣＳＩをレポートする端末機器がＣＳＩをレポートするための変調符号化方式を指示し、前記前記ＣＳＩ伝送用の変調符号化方式指示情報は、複数の端末機器における各端末機器の変調符号化方式を指示してもよく、複数の端末機器の全ての端末機器の変調符号化方式を指示してもよく、複数の端末機器のうち一部の端末機器の変調符号化方式は、同じであってもよい。
【００８１】
第５は、ＣＳＩレポート用の物理リソース配置情報であり、前記ＣＳＩレポート用の物理リソース配置情報は、前記複数の端末機器のうちＣＳＩをレポートする端末機器がＣＳＩをレポートするための物理リソースを指示し、当然のことながら、前記ＣＳＩレポート用の物理リソース配置情報はまた、複数の端末機器における各端末機器がＣＳＩをレポートするための物理リソースを指示する。具体的には、前記ＣＳＩレポート用の物理リソース配置情報は、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりする。より具体的には、前記複数の端末機器のうちＣＳＩをレポートする各端末機器がＣＳＩをレポートするときにそれぞれ利用される物理リソースは、周波数領域リソース及び／又は時間領域リソースを含み、或いは、前記複数の端末機器のうちＣＳＩをレポートする全ての端末機器がＣＳＩをレポートするときに共通で利用される物理リソースは、周波数領域リソース及び／又は時間領域リソースを含む。具体的には、周波数領域リソースは、ＣＳＩをレポートするための物理リソースブロック（Ｐｈｙｓｉｃａｌ  Ｒｅｓｏｕｒｃｅ  Ｂｌｏｃｋ、「ＰＲＢ」と略称）又はリソースブロックグループ（Ｒｅｓｏｕｒｃｅ  Ｂｌｏｃｋ  Ｇｒｏｕｐ、「ＲＢＧ」と略称）でもよい。時間領域リソースは、ＣＳＩをレポートするための時間領域リソースユニットでもよく、例えば、ＣＳＩをレポートするための該時間領域リソースユニットは、サブフレーム、タイムスロット、直交周波数分割多重符号（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、「ＯＦＤＭ」と略称）などでもよい。さらに例えば、時間領域リソースは、端末機器がＣＳＩをレポートする時間領域リソースとネットワーク機器がＤＣＩを送信する時間領域リソースとの偏差でもよい。周波数領域リソースは、端末機器がＣＳＩをレポートする周波数領域リソースとネットワーク機器がＤＣＩを送信する周波数領域リソースとの偏差でもよい。本発明の実施例はこれに限定されない。
【００８２】
ネットワーク機器が端末機器に送信した下りリンク制御情報にＣＳＩレポート用の物理リソース配置情報を含む場合、Ｓ２２０は、前記第１の端末機器が前記下りリンク制御情報に含まれた前記ＣＳＩレポート用の物理リソース配置情報によって前記第１の端末機器のＣＳＩをレポートする第１のレポートリソースを決定することと、前記第１の端末機器が前記第１のレポートリソースで前記ネットワーク機器に前記第１の端末機器のＣＳＩを送信することと、を含む。Ｓ１２０は、前記ネットワーク機器が前記第１の端末機器から前記第１のレポートリソースで送信された前記第１の端末機器のＣＳＩを受信することを含む。具体的には、前記第１の端末機器が前記下りリンク制御情報に含まれた前記ＣＳＩレポート用の物理リソース配置情報によって前記第１の端末機器のＣＳＩをレポートする第１のレポートリソースを決定することは、前記第１の端末機器が前記ＣＳＩレポート用の物理リソース配置情報によって前記第１の端末機器のＣＳＩを送信する第１のリソースエリアを決定することと、前記第１の端末機器が前記第１のリソースエリアのリソースで前記第１の端末機器のＣＳＩを送信する前記第１のレポートリソースを決定することと、を含む。前記第１の端末機器が前記第１のリソースエリアのリソースで前記第１の端末機器のＣＳＩを送信する前記第１のレポートリソースを決定することは、下記の５種類の方式を利用することができる。
【００８３】
１、前記第１の端末機器が前記第１のリソースエリアの全てのリソースを前記第１のレポートリソースとして決定する。
【００８４】
２、前記第１の端末機器が前記第１のリソースエリアでランダムに複数の物理リソースを選んで前記第１のレポートリソースとして決定し、例えば該複数の物理リソースは、１つのリソース集合でもよく、すなわち、第１のリソースエリアに複数のリソース集合を含むことができ、第１の端末機器は、第１のリソースエリアに含まれた複数のリソース集合からランダムに１つのリソース集合を選んで第１の端末がＣＳＩをレポートする第１のレポートリソースとすることができる。
【００８５】
３、Ｓ１２０の前に、前記方法１００はさらに、前記ネットワーク機器が前記第１の端末機器に物理リソースインデックスを送信することを含む。前記第１の端末機器が前記第１のリソースエリアのリソースで前記第１の端末機器のＣＳＩを送信する前記第１のレポートリソースを決定する前に、前記方法２００はさらに、前記第１の端末機器が前記ネットワーク機器から送信された、前記第１の端末機器のＣＳＩを送信するリソースの位置を指示するための物理リソースインデックスを受信することを含む。前記第１の端末機器が前記第１のリソースエリアのリソースで第１の端末機器のＣＳＩを送信する前記第１のレポートリソースを決定することは、前記第１の端末機器が前記物理リソースインデックスによって前記第１のリソースエリアのリソースで前記第１の端末機器のＣＳＩを送信する前記第１のレポートリソースを決定することを含む。前記ネットワーク機器が前記第１の端末機器から第１のレポートリソースで送信された前記第１の端末機器のＣＳＩを受信することは、前記ネットワーク機器が前記第１の端末機器から前記ＣＳＩレポート用の物理リソース配置情報によって第１のリソースエリアのリソースで決定された前記第１のレポートリソースで送信された前記第１の端末機器のＣＳＩを受信することを含む。
【００８６】
場合によっては、前記物理リソースインデックスは、ネットワーク機器に指示された前記第１の端末機器に対応するＣＳＩトリガーレポートビットの、前記ＤＣＩに含まれたＣＳＩトリガーレポートビットシーケンスにおける位置によって得られる。
【００８７】
例えば、第１のレポートリソースにＭ個の物理リソース集合を含み、Ｍ個の物理リソース集合のうち１つの物理リソース集合が１つの端末機器のＣＳＩレポートに用いられ、ネットワーク機器が複数の端末機器に下りリンク制御情報を送信する前に、ネットワーク機器は、上位レイヤシグナリングによって各端末機器に利用される物理リソースインデックスを各端末機器に送信できる。例えばネットワーク機器は、ｌｏｇ２（Ｍ）ビットの上位レイヤシグナリングによって各端末機器に各端末機器に利用される物理リソースインデックスを送信でき、第１の端末機器は、自身の物理リソースインデックスによってＭ個の物理リソース集合から第１の端末機器のＣＳＩをレポートする第１のレポートリソースを決定する。
【００８８】
４、Ｓ１２０の前に、前記方法１００はさらに、前記ネットワーク機器が前記第１の端末機器に前記第１の端末機器のインデックスを送信することを含む。前記第１の端末機器が前記第１のリソースエリアのリソースで前記第１の端末機器のＣＳＩを送信する前記第１のレポートリソースを決定する前に、前記方法２００はさらに、前記第１の端末機器が前記ネットワーク機器から送信された、前記第１の端末機器の、ＣＳＩをレポートする端末機器における位置情報を指示するための前記第１の端末機器のインデックスを受信することを含む。前記第１の端末機器が前記第１のリソースエリアのリソースで前記第１の端末機器のＣＳＩを送信する前記第１のレポートリソースを決定することは、前記第１の端末機器が前記第１の端末機器のインデックスによって前記第１のリソースエリアのリソースで前記第１の端末機器のＣＳＩを送信する前記第１のレポートリソースを決定することと、第１の端末機器が前記第１のレポートリソースでネットワーク機器に前記第１の端末機器のＣＳＩを送信することを含む。前記ネットワーク機器が前記第１の端末機器から第１のレポートリソースで送信された前記第１の端末機器のＣＳＩを受信することは、前記ネットワーク機器が前記第１の端末機器から前記第１の端末機器のインデックスによって前記第１のリソースエリアのリソースで決定された前記第１のレポートリソースで送信された前記第１の端末機器のＣＳＩを受信することを含む。
【００８９】
例えば、複数の端末機器のいかなる端末機器、例えば第１の端末機器は、上位レイヤシグナリングによってネットワーク機器から送信された該第１の端末機器のインデックスを受信でき、ＣＳＩのレポート数がＬ個であり、前記第１の端末機器のインデックスに指示された対応するビットの前記Ｌ個の端末機器における位置（順序インデックス）がＰであり、Ｐが０以上でＬ以下の整数とすれば、前記第１の端末機器は、第１のレポートリソースエリアにおいてインデックスがＰの物理リソースを第１のレポートリソースとする。
【００９０】
５、前記下りリンク制御情報にＣＳＩ伝送用の変調符号化方式を含む場合、或いはＣＳＩ伝送用の変調符号化方式が下りリンク制御情報に担持されず、ネットワーク機器がその他の方式で複数の端末機器にＣＳＩ伝送用の変調符号化方式を送信する場合、前記第１の端末機器は、前記第１の端末機器のＣＳＩレポート用の変調符号化方式及び前記第１の端末機器のＣＳＩに占められるビットによってＣＳＩレポート用の物理リソースのサイズを算出する。前記第１の端末機器は、前記算出したＣＳＩレポート用の物理リソースのサイズによって前記第１のリソースエリアのリソースから前記第１の端末機器のＣＳＩを送信する前記第１のレポートリソースを決定する。
【００９１】
選択可能な実施例として、前記第１の端末機器が前記第１のリソースエリアのリソースで前記第１の端末機器のＣＳＩを送信する前記第１のレポートリソースを決定することは、前記第１の端末機器が前記複数の端末機器のうちＣＳＩをレポートする第２の端末機器と周波数分割多重化（Ｆｒｅｑｕｅｎｃｙ  Ｄｉｖｉｓｉｏｎ  Ｍｕｌｔｉｐｌｅｘｉｎｇ、「ＦＤＭ」と略称）方式、時分割多重化（Ｔｉｍｅ  Ｄｉｖｉｓｉｏｎ  Ｍｕｌｔｉｐｌｅｘｉｎｇ、「ＴＤＭ」と略称）方式又は符号分割多重化（Ｃｏｄｅ  Ｄｉｖｉｓｉｏｎ  Ｍｕｌｔｉｐｌｅｘｉｎｇ、「ＣＤＭ」と略称）方式で多重化される前記第１のリソースエリアのリソースを前記第１のレポートリソースとして決定することを含む。具体的には、複数の端末機器において複数の端末機器がＣＳＩをレポートするとき、複数の端末機器がいずれも第１のリソースエリアのリソースを占有する場合、複数の端末機器は、ＦＤＭ、ＴＤＭ又はＣＤＭによって第１のリソースエリアのリソースを多重化し、具体的にはどの方式を利用して第１のリソースエリアのリソースを多重化するかは、プロトコルによる規定又はネットワークによる配置に従う。本発明の実施例はこれに限定されない。
【００９２】
第６は、ＣＳＩ測定用のリソース配置情報であり、前記ＣＳＩ測定用のリソース配置情報は、前記複数の端末機器のうちＣＳＩをレポートする端末機器がＣＳＩを測定するためのリソースを指示し、当然のことながら、前記ＣＳＩ測定用のリソース配置情報はまた、前記複数の端末機器における各端末機器がＣＳＩを測定するためのリソースを指示する。場合によっては、ＣＳＩ測定用のリソース配置情報は、１つの配置情報でもよく、複数の配置情報でもよい。本発明の実施例はこれに限定されない。場合によっては、下りリンク制御情報にさらにＣＳＩの測定回数及び／又は時間長さを含んでもよく、このようにして、複数の端末機器は、ＣＳＩの測定回数及び時間長さによってネットワーク機器とのＣＳＩを測定することができる。
【００９３】
前記ＣＳＩ測定用のリソース配置情報は、ＣＳＩプロセス、下りリンクパイロットのリソース配置情報及び干渉測定用のリソース配置情報の少なくとも１つを含み、例えば、各ＣＳＩは、１つのＣＳＩ−ＲＳ及び１つの干渉測定リソース（Ｉｎｔｅｒｆｅｒｅｎｃｅ  Ｍｅａｓｕｒｅｍｅｎｔ  Ｒｅｓｏｕｒｃｅ、「ＩＭＲ」と略称）に対応し、具体的には、下りリンクパイロットリソースは、セル固有参考信号（Ｃｅｌｌ−ｓｐｅｃｉｆｉｃ  Ｒｅｆｅｒｅｎｃｅ  Ｓｉｇｎａｌｓ、「ＣＲＳ」と略称）、復調参考信号（Ｄｅｍｏｄｕｌａｔｉｏｎ  Ｒｅｆｅｒｅｎｃｅ  Ｓｉｇｎａｌ、「ＤＭＲＳ」と略称）又はチャンネル状態情報参考信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ、「ＣＳＩ−ＲＳ」と略称）などの下りリンクパイロットリソースでもよく、下りリンクパイロットを送信するリソース情報にパイロットのアンテナポート配置、リソースパターン（Ｐａｔｔｅｒｎ）配置、時間周波数物理リソース、スクランブリングシーケンス配置、送信パワー配置などを含んでもよく、例えば、パイロットの所属時間領域リソースユニットは、ＤＣＩの所属時間領域リソースユニットのオフセット量でもよく、スクランブリングシーケンス配置は、シーケンスの生成時に使われるＩＤでもよい。前記ＣＳＩ測定用のリソース配置情報は、端末機器がＮ個のＣＳＩ測定用のリソース配置からＭ個のＣＳＩ測定用のリソース配置を決定することを指示し、前記Ｎ個のＣＳＩ測定用のリソース配置は、ネットワーク側の機器から上位レイヤシグナリングによって事前に端末機器に指示され、ここで、Ｍが１以上且つＮ以下の整数とする。
【００９４】
選択可能な実施例として、Ｓ２１０の後、Ｓ２２０の前に、前記方法２００はさらに、前記第１の端末機器が前記第１の端末機器のＣＳＩを測定することを含む。具体的には、測定について、第１の端末機器がネットワーク機器とのチャンネル品質情報を測定したり、第１の端末機器が干渉を測定したり、パイロットを測定したりすることができる。本発明の実施例はこれに限定されない。
【００９５】
選択可能な実施例として、前記下りリンク制御情報にＣＳＩ測定用のリソース配置情報を含む場合、前記第１の端末機器が前記第１の端末機器のＣＳＩを測定することは、前記第１の端末機器が前記ＣＳＩ測定用のリソース配置情報によって前記第１の端末機器のＣＳＩを測定する第１の測定リソースを決定することと、前記第１の端末機器が前記第１の測定リソースによって前記第１の端末機器のＣＳＩを測定することと、を含む。
【００９６】
選択可能な実施例として、前記第１の端末機器が前記ＣＳＩ測定用のリソース配置情報によって前記第１の端末機器のＣＳＩを測定する第１の測定リソースを決定することは、前記端末機器がＣＳＩ測定用のリソース配置情報に含まれた第１の測定リソース配置によって前記第１の端末機器のＣＳＩを測定する前記第１の測定リソースを決定することを含む。具体的には、ネットワーク機器は、測量リソース配置をビットマップ（ｂｉｔｍａｐ）で指示したり、指示情報によって第１の端末機器に伝えたりすることができる。
【００９７】
選択可能な実施例として、前記第１の端末機器が前記ＣＳＩ測定用のリソース配置情報によって前記第１の端末機器のＣＳＩを測定する第１の測定リソースを決定する前に、前記方法２００はさらに、前記端末機器がネットワーク機器から送信されたＮ個の第１の測定リソース配置を受信することを含む。前記第１の端末機器が前記ＣＳＩ測定用のリソース配置情報によって前記第１の端末機器のＣＳＩを測定する第１の測定リソースを決定することは、前記端末機器が前記ＣＳＩ測定用のリソース配置情報に含まれた測定リソース配置指示情報によって前記Ｎ個の第１の測定リソース配置からＭ個の第１の測定リソース配置を決定することと、前記端末機器が前記Ｍ個の第１の測定リソース配置によって前記第１の端末機器のＣＳＩを測定する前記第１の測定リソースを決定することと、を含み、Ｍが１以上且つＮ以下の整数とし、Ｎが１以上の整数とする。
【００９８】
具体的には、第１の端末機器は、第１の端末機器のＣＳＩを測定する第１の測定リソースのリソース配置情報を決定する。ネットワーク機器は、事前に端末機器にＮ個の第１の測定リソース配置を指示し、そしてＮビットのビットシーケンスを利用してこのＮ個の第１の測定リソース配置におけるＣＳＩ用のＭ個の第１の測定リソース配置を指示する。例えば、該ビットシーケンスにおいてビット値が１の場合、対応する第１の測定リソース配置がＣＳＩの測定に用いられてもよいことを示す。該ビットシーケンスにおいてＭ個のビットのビット値が１の場合、Ｍ個の第１の測定リソース配置を決定でき、該ビットシーケンスにおける残ったＮ−Ｍ個のビットのビット値が０である。さらに例えば、該ＣＳＩ測定用のリソース配置情報に含まれた測定リソース配置指示情報は、リソース配置情報のインデックスでもよく、すなわち、第１の端末機器は該リソース配置情報のインデックスを取得すればＮ個の測定配置情報において第１の端末機器のＭ個のリソース配置情報を決定し、Ｍ個のリソース配置情報によって第１の測定リソースを決定することができる。
【００９９】
第７は、伝送方式仮定情報であり、すなわち、第１の端末機器がネットワーク機器とのＣＳＩを測定することは、ネットワーク機器から第１の端末機器に送信されたデータの伝送方式に基づいて実行されるが、第１の端末機器がネットワーク機器とのＣＳＩを測定するとき、まだ下りリンクデータが伝送されていないので、ネットワーク機器は、伝送方式仮定情報を下りリンク制御情報に担持して複数の端末機器に送信する必要がある。当然のことながら、各端末機器が受信した伝送方式仮定情報は、同じでもよいが、異なってもよい。当然のことながら、ネットワーク機器は、伝送方式仮定情報を上位レイヤシグナリングによって複数の端末機器がＣＳＩを測定する前に複数の端末機器に送信できる。本発明の実施例はこれに限定されない。例えば、伝送方式仮定情報は、送信ダイバーシチ、開ループ空間多重化、準開ループマルチ入力マルチ出力（Ｍｕｌｔｉｐｌｅ−Ｉｎｐｕｔ  Ｍｕｌｔｉｐｌｅ−Ｏｕｔｐｕｔ、「ＭＩＭＯ」と略称）、閉ループＭＩＭＯ伝送、ダイナミックポイント切り替え（Ｄｙｎａｍｉｃ  Ｐｏｉｎｔ  Ｓｗｉｔｃｈｉｎｇ、「ＤＰＳ」と略称）、共同伝送（Ｊｏｉｎｔ  Ｔｒａｎｓｍｉｓｓｉｏｎ、「ＪＴ」と略称）、協調型スケジューリング（Ｃｏｏｐｅｒａｔｉｖｅ  ｓｃｈｅｄｕｌｉｎｇ、「ＣＳ」と略称）、協調型ビームフォーミング（Ｃｏｏｐｅｒａｔｉｖｅ  Ｂｅａｍｆｏｒｍｉｎｇ、「ＣＢ」と略称）、ニュートラルトランスミッション、マルチストリームトランスミッション、マルチユーザーマルチ入力マルチ出力（Ｍｕｌｔｉ−Ｕｓｅｒ−Ｍｕｌｔｉｐｌｅ−Ｉｎｐｕｔ  Ｍｕｌｔｉｐｌｅ−Ｏｕｔｐｕｔ、「ＭＵ−ＭＩＭＯ」と略称）、シングルユーザーマルチ入力マルチ出力（Ｓｉｎｇｌｅ−Ｕｓｅｒ  Ｍｕｌｔｉｐｌｅ−Ｉｎｐｕｔ  Ｍｕｌｔｉｐｌｅ−Ｏｕｔｐｕｔ、「ＳＵ−ＭＩＭＯ」と略称）の少なくとも１つでもよく、ＭＵ−ＭＩＭＯについてさらに対になるユーザー情報、例えばビームウェイト（ｗｅｉｇｈｔｓ）、プリコーディング（ｐｒｅｃｏｄｉｎｇ）などを含むことができる。
【０１００】
選択可能な実施例として、前記下りリンク制御情報に伝送方式仮定情報を含む場合、前記第１の端末機器が前記第１の端末機器のＣＳＩを測定することは、前記第１の端末機器が前記伝送方式仮定情報によって下りリンクデータを送信するための伝送方式を決定することと、前記第１の端末機器が前記下りリンクデータを送信するための伝送方式によって前記第１の端末機器のＣＳＩを測定することと、を含む。
【０１０１】
第８は、ＣＳＩのレポートタイプ情報であり、前記ＣＳＩのレポートタイプ情報は、前記複数の端末機器のうちＣＳＩをレポートする端末機器がＣＳＩをレポートするタイプを指示し、例えば、タイプは、コードブックに基づくＣＳＩのフィードバック、非コードブックに基づくＣＳＩのフィードバック、チャンネル状態情報参考信号リソースインデックス（ＣＳＩ−ＲＳ  Ｒｅｓｏｕｒｃｅ  Ｉｎｄｅｘ、「ＣＲＩ」と略称）に基づくＣＳＩのフィードバック、ポートのコードブック強化に基づくＣＳＩのフィードバックを含む。コードブックに基づくＣＳＩのフィードバックとは、ＣＳＩにＰＭＩを含むことを、非コードブックに基づくＣＳＩのフィードバックとは、ＣＳＩにＰＭＩを含んでいないことを、ＣＲＩに基づくフィードバックとは、ＣＳＩにリソースインデックスを含むことを、ポートのコードブック強化に基づくＣＳＩのフィードバックとは、ＣＳＩにリソースインデックスを含んでいないことを指す。
【０１０２】
選択可能な実施例として、前記下りリンク制御情報にＣＳＩレポートタイプ情報を含む場合、前記第１の端末機器が前記第１の端末機器のＣＳＩを測定することは、前記第１の端末機器が前記ＣＳＩのレポートタイプ情報によってネットワーク機器に前記第１の端末機器のＣＳＩを送信するタイプを決定することと、前記第１の端末機器が前記第１の端末機器のＣＳＩのタイプに基づいて前記第１の端末機器のＣＳＩを測定することと、を含む。このようにして、第１の端末機器は、全てのチャンネル状態情報の関連パラメーターを測定せずに、ＣＳＩのレポートタイプ情報によって測定することができる。
【０１０３】
第９は、コードブック指示情報であり、前記コードブック指示情報は、前記複数の端末機器のうちＣＳＩをレポートする端末機器がＣＳＩを測定及びレポートするためのコードブックを指示し、当然のことながら、コードブック指示情報は、複数の端末機器における各端末機器がＣＳＩを測定及びレポートするためのコードブックを指示し、場合によっては、該コードブック指示情報は、複数の端末機器に共用されるコードブックを指示してもよく、複数の端末機器にそれぞれ利用されるコードブックを指示してもよい。複数の端末機器における各端末機器に利用されるコードブックは、同じでもよいが、異なってもよい。該コードブック指示情報は、１つや複数のコードブックを指示できる。本発明の実施例はこれに限定されない。
【０１０４】
選択可能な実施例として、前記下りリンク制御情報にコードブック指示情報を含む場合、前記第１の端末機器が前記第１の端末機器のＣＳＩを測定することは、前記第１の端末機器が前記コードブック指示情報によって前記第１の端末機器のＣＳＩを測定するためのコードブックを決定することと、前記第１の端末機器が前記第１の端末機器のＣＳＩを測定するためのコードブックによって前記第１の端末機器のＣＳＩを測定し、前記第１の端末機器が前記第１の端末機器のＣＳＩを測定するためのコードブックによってネットワーク機器に第１の端末機器のＣＳＩを送信することと、を含む。すなわち、第１の端末機器は、コードブック指示情報によって第１の端末機器がネットワーク機器とのＣＳＩを測定するためのコードブックを決定して、決定したコードブックによって測定及びレポートする。ネットワーク機器及び端末機器は、事前に複数のコードブックを記憶しておき、第１の端末機器は、コードブック指示情報によって複数のコードブックからＣＳＩを測定するコードブックを選ぶことができる。コードブックは、プリコーディングマトリックス集合であり、送信側及び受信側にこの集合を記憶している。チャンネルは、不完全なフィードバックを取り、受信側は、フィードバック情報によって一定の準則に従ってあるコードブックのプリコーディングマトリックスに対応するＰＭＩのシリアルナンバーを送信側に生成する。
【０１０５】
第１０は、コードブックサブセット制約情報であり、前記コードブックサブセット制約情報は、前記複数の端末機器のうちＣＳＩをレポートする端末機器がＣＳＩを測定及びレポートするためのコードワードを指示する。
【０１０６】
選択可能な実施例として、下りリンク制御情報にコードブックサブセット制約情報を含む場合、前記第１の端末機器が前記第１の端末機器のＣＳＩを測定することは、前記第１の端末機器が前記コードブックサブセット制約情報によって前記第１の端末機器のＣＳＩを測定するためのコードワードを決定することと、前記第１の端末機器が前記第１の端末機器のＣＳＩを測定するためのコードワードに基づいて前記第１の端末機器のＣＳＩを測定することと、を含み、前記ネットワーク機器に前記第１の端末機器のＣＳＩを測定するためのコードワードによって前記ネットワーク機器に前記第１の端末機器のＣＳＩを送信することを含む。
【０１０７】
理解されるように、本発明の実施例では、下りリンク制御情報は、同時に１０項目の情報を含んでもよく、１０項目の一部の情報を含んでもよい。複数の端末機器自身が既に一部の情報を取得した可能性があるので、ネットワーク機器は引き続き下りリンク制御情報によって端末機器に伝える必要がない。当然のことながら、本発明は、例示の便宜上、下りリンク制御情報に含まれたいくつかの情報を説明するが、下りリンク制御情報にさらにその他のＣＳＩの測定及びレポート用の情報を含むことができる。説明の重複を避けるため、ここでは詳しく述べない。
【０１０８】
また理解されるように、本発明の実施例で言及したＣＳＩの測定及びＣＳＩレポートに関連する情報は、ＤＣＩを介して複数の端末機器に送信されてもよく、ＤＣＩの送信前に、複数の端末機器に送信されてもよい。すなわち、本発明の実施例は、ＣＳＩの測定及びＣＳＩレポートに関連する情報の送信方式を限定しない。本発明の実施例はこれに限定されない。本発明の実施例で言及したＣＳＩの測定及びレポートの関連情報は、１つの端末機器の関連情報でもよく、複数の端末機器の関連情報でもよい。本発明の実施例はこれに限定されない。
【０１０９】
以上、図１及び図２を参照しながら本発明の実施例に係るチャンネル状態情報の伝送方法について説明したが、以下、図３〜図６を参照しながら本発明の実施例に係るチャンネル状態情報の伝送装置について説明する。
【０１１０】
図３に本発明の実施例に係るチャンネル状態情報の伝送装置３００の概略図を示し、該装置は、例えば方法２００における端末機器でもよく、該装置３００は、
ネットワーク機器から送信された下りリンク制御情報ＤＣＩを受信するための受信モジュール３１０と、
前記ＤＣＩによってＣＳＩをレポートするか否かを決定するための決定モジュール３２０と、
決定モジュール３２０が前記ＣＳＩをレポートすると決定する場合、前記ネットワーク機器に前記装置のＣＳＩを送信するための送信モジュール３３０と、を含む。
【０１１１】
選択可能な実施例として、前記ＤＣＩは、前記装置を含む複数の端末機器における各端末機器がＣＳＩをレポートするか否かを指示することに用いられる。
【０１１２】
選択可能な実施例として、前記ＤＣＩは、前記装置を含む複数の端末機器における各端末機器がＣＳＩをレポートするか否かを指示するためのビットを含むＣＳＩレポート用のトリガービットシーケンス、前記装置がＣＳＩをレポートする回数を指示するためのＣＳＩのレポート回数情報、前記装置がＣＳＩをレポートする持続時間長さを指示するためのＣＳＩのレポート時間長さ情報、前記装置がＣＳＩをレポートするための物理リソースを指示するためのＣＳＩレポート用の物理リソース配置情報、前記装置がＣＳＩを測定するためのリソースを指示するためのＣＳＩ測定用のリソース配置情報、前記装置がＣＳＩをレポートするための変調符号化方式を指示するためのＣＳＩ伝送用の変調符号化方式ＭＣＳ指示情報、前記ネットワーク機器から前記装置に下りリンクデータを送信するための伝送方式を指示するための伝送方式仮定情報、前記装置がＣＳＩをレポートするタイプを指示するためのＣＳＩのレポートタイプ情報、前記装置がＣＳＩを測定及びレポートするためのコードブックを指示するためのコードブック指示情報、前記装置がＣＳＩを測定及びレポートするためのコードワードを指示するためのコードブックサブセット制約情報の少なくとも１つを含む。
【０１１３】
選択可能な実施例として、前記ＣＳＩレポート用のトリガービットシーケンスに複数のビットが含まれる場合、前記ＣＳＩレポート用のトリガービットシーケンスにおける各ビットは、前記複数の端末機器における１つの端末機器がＣＳＩをレポートするか否かを指示することに用いられる。
【０１１４】
選択可能な実施例として、具体的には、前記ＣＳＩレポート用の物理リソース配置情報は、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられる。
【０１１５】
選択可能な実施例として、前記ＣＳＩレポート用の物理リソース配置情報は、前記装置がＣＳＩをレポートするための周波数領域リソース及び／又は時間領域リソースを指示することに用いられる。
【０１１６】
選択可能な実施例として、前記ＣＳＩ測定用のリソース配置情報は、ＣＳＩプロセス、下りリンクパイロットのリソース配置情報及び干渉測定用のリソース配置情報の少なくとも１つを含む。
【０１１７】
選択可能な実施例として、受信モジュール３１０はさらに、
ネットワーク機器から送信されたＤＣＩを受信する前に、前記ネットワーク機器から送信されたグループ識別子Ｇｒｏｕｐ  ＩＤ又はグループＣＳＩ無線ネットワーク臨時識別子Ｇｒｏｕｐ−ＣＳＩ−ＲＮＴＩを受信し、
具体的には、送信モジュール３３０は、前記Ｇｒｏｕｐ  ＩＤ又は前記Ｇｒｏｕｐ−ＣＳＩ−ＲＮＴＩによって前記ネットワーク機器から送信された前記ＤＣＩを受信する。
【０１１８】
選択可能な実施例として、前記ＤＣＩに前記ＣＳＩレポート用のトリガービットシーケンスを含み、
受信モジュール３１０はさらに、
前記ＤＣＩによってＣＳＩをレポートするか否かを決定する前に、ネットワーク機器から送信された、前記装置に対応するＣＳＩレポート用のトリガービットの、前記ＣＳＩレポート用のトリガービットシーケンスにおける位置を指示するための前記装置のインデックス情報を受信し、
具体的には、決定モジュール３２０は、
前記装置のインデックス情報によって前記装置に対応するＣＳＩレポート用のトリガービットを決定し、
前記装置に対応するＣＳＩレポート用のトリガービットによってＣＳＩをレポートするか否かを決定する。
【０１１９】
選択可能な実施例として、前記ＤＣＩにＣＳＩをレポートするためのＭＣＳ指示情報を含み、
決定モジュール３２０はさらに、前記ネットワーク機器に前記装置のＣＳＩを送信する前に、ＣＳＩをレポートするための前記ＭＣＳ指示情報によってＣＳＩをレポートするための変調符号化方式を決定し、
具体的には、送信モジュール３３０はさらに、ＣＳＩをレポートするための前記ＭＣＳによって前記ネットワーク機器に前記装置のＣＳＩを送信する。
【０１２０】
選択可能な実施例として、前記ＤＣＩに前記ＣＳＩレポート用の物理リソース配置情報を含み、決定モジュール３２０はさらに、前記ネットワーク機器に前記装置のＣＳＩを送信する前に、前記ＣＳＩレポート用の物理リソース配置情報によって前記装置のＣＳＩをレポートする第１のレポートリソースを決定し、具体的には、送信モジュール３３０はさらに、前記第１のレポートリソースで前記ネットワーク機器に前記装置のＣＳＩを送信する。
【０１２１】
選択可能な実施例として、具体的には、決定モジュール３２０はさらに、前記ＣＳＩレポート用の物理リソース配置情報によって前記装置のＣＳＩを送信する第１のリソースエリアを決定し、前記第１のリソースエリアのリソースで前記装置のＣＳＩを送信する前記第１のレポートリソースを決定する。
【０１２２】
選択可能な実施例として、具体的には、決定モジュール３２０はさらに、前記第１のリソースエリアの全てのリソースを前記第１のレポートリソースとして決定し、或いは、前記第１のリソースエリアでランダムに複数の物理リソースを選んで前記第１のレポートリソースとして決定する。
【０１２３】
選択可能な実施例として、受信モジュール３１０はさらに、前記装置が前記第１のリソースエリアのリソースで前記装置のＣＳＩを送信する前記第１のレポートリソースを決定する前に、前記ネットワーク機器から送信された、前記装置のＣＳＩを送信するリソースの位置を指示するための物理リソースインデックスを受信し、具体的には、決定モジュール３２０はさらに、前記物理リソースインデックスによって前記第１のリソースエリアのリソースで前記装置のＣＳＩを送信する前記第１のレポートリソースを決定する。
【０１２４】
選択可能な実施例として、受信モジュール３１０はさらに、前記装置が前記第１のリソースエリアのリソースで前記装置のＣＳＩを送信する前記第１のレポートリソースを決定する前に、前記ネットワーク機器から送信された、前記装置の、ＣＳＩをレポートする端末機器における位置情報を指示するための前記装置のインデックスを受信し、具体的には、決定モジュール３２０は、前記装置のインデックスによって前記第１のリソースエリアのリソースで前記装置のＣＳＩを送信する前記第１のレポートリソースを決定する。
【０１２５】
選択可能な実施例として、具体的には、決定モジュール３２０は、前記装置のＣＳＩレポート用のＭＣＳ及び前記装置のＣＳＩに占められるビットによってＣＳＩレポート用の物理リソースのサイズを算出し、算出したＣＳＩレポート用の物理リソースのサイズによって前記第１のリソースエリアのリソースから前記装置のＣＳＩを送信する前記第１のレポートリソースを決定する。
【０１２６】
選択可能な実施例として、前記第１のレポートリソース及び前記ＤＣＩを介してＣＳＩをレポートするよう指示される第２の端末機器がＣＳＩをレポートするための第２の物理リソースは、周波数分割多重化ＦＤＭ方式、時分割多重化ＴＤＭ方式又は符号分割多重化ＣＤＭ方式で多重化される。
【０１２７】
選択可能な実施例として、前記装置は、前記ＤＣＩによって前記ネットワーク機器に前記装置のＣＳＩを送信する前に、前記装置のＣＳＩを測定するための測定モジュールをさらに含む。
【０１２８】
選択可能な実施例として、前記ＤＣＩにＣＳＩ測定用のリソース配置情報を含み、具体的には、決定モジュール３２０は、前記ＣＳＩ測定用のリソース配置情報によって前記装置のＣＳＩを測定する第１の測定リソースを決定し、具体的には、前記測定モジュールは、前記第１の測定リソースによって前記装置のＣＳＩを測定する。
【０１２９】
選択可能な実施例として、具体的には、決定モジュール３２０は、ＣＳＩ測定用のリソース配置情報に含まれた第１の測定リソース配置によって前記装置のＣＳＩを測定する前記第１の測定リソースを決定する。
【０１３０】
選択可能な実施例として、具体的には、受信モジュール３１０は、
前記ＣＳＩ測定用のリソース配置情報によって前記装置のＣＳＩを測定する第１の測定リソースを決定する前に、前記ネットワーク機器から送信されたＮ個の第１の測定リソース配置を受信し、
具体的には、決定モジュール３２０はさらに、前記ＣＳＩ測定用のリソース配置情報に含まれた測定リソース配置指示情報によって前記Ｎ個の第１の測定リソース配置からＭ個の第１の測定リソース配置を決定し、
前記Ｍ個の第１の測定リソース配置によって前記装置のＣＳＩを測定する前記第１の測定リソースを決定し、ここで、Ｍが１以上且つＮ以下の整数で、Ｎが１以上の整数とする。
【０１３１】
選択可能な実施例として、前記ＤＣＩに伝送方式仮定情報を含む場合、
決定モジュール３２０はさらに、前記伝送方式仮定情報によって前記ネットワーク機器が下りリンクデータを送信するための伝送方式を決定し、
具体的には、前記測定モジュールはさらに、前記ネットワーク機器が下りリンクデータを送信するための伝送方式に基づいて前記装置のＣＳＩを測定する。
【０１３２】
選択可能な実施例として、前記ＤＣＩに前記ＣＳＩのレポートタイプ情報を含む場合、決定モジュール３２０はさらに、前記ＣＳＩのレポートタイプ情報によってネットワーク機器に送信する前記装置のＣＳＩのタイプを決定し、具体的には、前記測定モジュールはさらに、前記装置のＣＳＩのタイプに基づいて前記装置のＣＳＩを測定する。
【０１３３】
選択可能な実施例として、前記ＤＣＩにコードブック指示情報を含み、決定モジュール３２０はさらに、前記コードブック指示情報によって前記装置のＣＳＩを測定するためのコードブックを決定し、具体的には、前記測定モジュールはさらに、前記装置のＣＳＩを測定するためのコードブックによって前記装置のＣＳＩを測定し、具体的には、送信モジュール３３０は、前記装置のＣＳＩを測定するためのコードブックによって前記ネットワーク機器に前記装置のＣＳＩを送信する。
【０１３４】
選択可能な実施例として、前記ＤＣＩにコードブックサブセット制約情報を含み、決定モジュール３２０はさらに、前記コードブックサブセット制約情報によって前記装置のＣＳＩを測定するためのコードワードを決定し、具体的には、前記測定モジュールはさらに、前記装置のＣＳＩを測定するためのコードワードによって前記装置のＣＳＩを測定し、具体的には、送信モジュール３３０はさらに、前記装置のＣＳＩを測定するためのコードワードによって前記ネットワーク機器に前記装置のＣＳＩを送信する。
【０１３５】
選択可能な実施例として、受信モジュール３１０はさらに、前記ＤＣＩによって前記ネットワーク機器に前記装置のＣＳＩを送信する前に、前記ネットワーク機器から送信されたＣＳＩのレポート回数情報及び／又はＣＳＩのレポート時間長さ情報を受信し、決定モジュール３２０はさらに、前記ＣＳＩのレポート回数情報及び／又はＣＳＩのレポート時間長さ情報によってＣＳＩのレポート回数及び／又はＣＳＩのレポート時間長さを決定し、具体的には、送信モジュール３３０はさらに、前記ＣＳＩのレポート回数及び／又は前記ＣＳＩのレポート時間長さによって前記ネットワーク機器に前記装置のＣＳＩを送信する。
【０１３６】
選択可能な実施例として、前記ＣＳＩは、プレコーディングマトリックスインデックスＰＭＩ、ランクインデックスＲＩ、チャンネル品質インデックスＣＱＩの少なくとも１つを含む。
【０１３７】
図４に本発明の実施例に係るチャンネル状態情報の伝送装置４００の概略図を示し、該装置は、例えば方法１００におけるネットワーク機器でもよく、該装置４００は、
第１の端末機器に下りリンク制御情報ＤＣＩを送信するための送信モジュール４１０と、
前記第１の端末機器から前記ＤＣＩによって送信された前記第１の端末機器のＣＳＩを受信するための受信モジュール４２０と、を含む。
【０１３８】
選択可能な実施例として、前記ＤＣＩは、前記第１の端末機器を含む複数の端末機器における各端末機器がＣＳＩをレポートするか否かを指示することに用いられる。
【０１３９】
選択可能な実施例として、前記ＤＣＩは、前記第１の端末機器を含む複数の端末機器における各端末機器がＣＳＩをレポートするか否かを指示するためのビットを含むＣＳＩレポート用のトリガービットシーケンス、前記複数の端末機器のうちＣＳＩをレポートする端末機器がＣＳＩをレポートする回数を指示するためのＣＳＩのレポート回数情報、前記複数の端末機器のうちＣＳＩをレポートする端末機器がＣＳＩをレポートする持続時間長さを指示するためのＣＳＩのレポート時間長さ情報、前記複数の端末機器のうちＣＳＩをレポートする端末機器がＣＳＩをレポートするための物理リソースを指示するためのＣＳＩレポート用の物理リソース配置情報、前記複数の端末機器のうちＣＳＩをレポートする端末機器がＣＳＩを測定するためのリソースを指示するためのＣＳＩ測定用のリソース配置情報、前記複数の端末機器のうちＣＳＩをレポートする端末機器がＣＳＩをレポートするための変調符号化方式を指示するためのＣＳＩ伝送用の変調符号化方式ＭＣＳ指示情報、前記装置から前記複数の端末機器のうちＣＳＩをレポートする端末機器に下りリンクデータを送信するための伝送方式を指示するための伝送方式仮定情報、前記複数の端末機器のうちＣＳＩをレポートする端末機器がＣＳＩをレポートするタイプを指示するためのＣＳＩのレポートタイプ情報、前記複数の端末機器のうちＣＳＩをレポートする端末機器がＣＳＩを測定及びレポートするためのコードブックを指示するためのコードブック指示情報、前記複数の端末機器のうちＣＳＩをレポートする端末機器がＣＳＩを測定及びレポートするためのコードワードを指示するためのコードブックサブセット制約情報の少なくとも１つを含む。
【０１４０】
選択可能な実施例として、前記ＣＳＩレポート用のトリガービットシーケンスに複数のビットが含まれる場合、前記ＣＳＩレポート用のトリガービットシーケンスにおける各ビットは、前記複数の端末機器における１つの端末機器がＣＳＩをレポートするか否かを指示することに用いられる。
【０１４１】
選択可能な実施例として、具体的には、前記ＣＳＩレポート用の物理リソース配置情報は、前記複数の端末機器のうちＣＳＩをレポートする各端末機器がＣＳＩをレポートするときにそれぞれ利用される物理リソースを指示したり、前記複数の端末機器のうちＣＳＩをレポートする全ての端末機器がＣＳＩをレポートするときに共通で利用される物理リソースを指示したりすることに用いられる。
【０１４２】
選択可能な実施例として、前記複数の端末機器のうちＣＳＩをレポートする各端末機器がＣＳＩをレポートするときにそれぞれ利用される物理リソースは、周波数領域リソース及び／又は時間領域リソースを含み、及び／又は、前記複数の端末機器のうちＣＳＩをレポートする全ての端末機器がＣＳＩをレポートするときに共通で利用される物理リソースは、周波数領域リソース及び／又は時間領域リソースを含む。
【０１４３】
選択可能な実施例として、前記ＣＳＩ測定用のリソース配置情報は、ＣＳＩプロセス、下りリンクパイロットのリソース配置情報及び干渉測定用のリソース配置情報の少なくとも１つを含む。
【０１４４】
選択可能な実施例として、送信モジュール４１０はさらに、
前記複数の端末機器に前記複数の端末機器に共用される身分識別情報を指示するためのグループ識別子Ｇｒｏｕｐ  ＩＤ又は前記複数の端末機器に共用される無線ネットワーク臨時識別子情報を指示するためのグループＣＳＩ無線ネットワーク臨時識別子Ｇｒｏｕｐ−ＣＳＩ−ＲＮＴＩによって巡回冗長検査ＣＲＣスクランブリングを行う前記ＤＣＩを送信する。
【０１４５】
選択可能な実施例として、送信モジュール４１０はさらに、
複数の端末機器にＤＣＩを送信する前に、前記複数の端末機器が前記Ｇｒｏｕｐ  ＩＤ又は前記Ｇｒｏｕｐ−ＣＳＩ−ＲＮＴＩによって前記Ｇｒｏｕｐ  ＩＤ又は前記グループＣＳＩ無線ネットワーク臨時識別子Ｇｒｏｕｐ−ＣＳＩ−ＲＮＴＩによってＣＲＣスクランブリングを行う前記ＤＣＩを受信するように、前記複数の端末機器に前記Ｇｒｏｕｐ  ＩＤ又は前記Ｇｒｏｕｐ−ＣＳＩ−ＲＮＴＩを送信する。
【０１４６】
選択可能な実施例として、前記ＤＣＩに前記ＣＳＩレポート用のトリガービットシーケンスを含み、送信モジュール４１０はさらに、第１の端末機器から前記ＤＣＩによって送信された前記第１の端末機器のＣＳＩを受信する前に、前記第１の端末機器が前記第１の端末機器のインデックス情報によって前記第１の端末機器に対応するＣＳＩレポート用のトリガービットを決定し、そして前記ＣＳＩレポート用のトリガービットによって前記第１の端末機器のＣＳＩをレポートするか否かを決定するように、前記第１の端末機器に対応するＣＳＩレポート用のトリガービットの、前記ＣＳＩレポート用のトリガービットシーケンスにおける位置を指示するための前記第１の端末機器のインデックス情報を前記第１の端末機器に送信する。
【０１４７】
選択可能な実施例として、前記ＤＣＩにＣＳＩレポート用の物理リソース配置情報を含み、具体的には、受信モジュール４２０は、前記第１の端末機器から前記第１の端末機器により前記ＤＣＩに含まれた前記ＣＳＩレポート用の物理リソース配置情報によって決定された第１のレポートリソースで送信された前記第１の端末機器のＣＳＩを受信する。
【０１４８】
選択可能な実施例として、送信モジュール４１０はさらに、第１の端末機器から前記ＤＣＩによって送信された前記第１の端末機器のＣＳＩを受信する前に、前記第１の端末機器に、前記第１の端末機器のＣＳＩを送信するリソースの位置を指示するための物理リソースインデックスを送信し、具体的には、受信モジュール４２０はさらに、前記第１の端末機器から前記ＣＳＩレポート用の物理リソース配置情報によって前記ＣＳＩレポート用の物理リソース配置情報によって決定された第１のリソースエリアのリソースで決定された前記第１のレポートリソースで送信された前記第１の端末機器のＣＳＩを受信する。
【０１４９】
選択可能な実施例として、送信モジュール４１０はさらに、第１の端末機器から前記ＤＣＩによって送信された前記第１の端末機器のＣＳＩを受信する前に、前記第１の端末機器に、前記第１の端末機器の、ＣＳＩをレポートする端末機器における位置情報を指示するための前記第１の端末機器のインデックスを送信し、具体的には、受信モジュール４２０は、前記第１の端末機器から前記第１の端末機器のインデックスによって前記ＣＳＩレポート用の物理リソース配置情報によって決定された前記第１のリソースエリアのリソースで決定された前記第１のレポートリソースで送信された前記第１の端末機器のＣＳＩを受信する。
【０１５０】
選択可能な実施例として、送信モジュール４１０はさらに、第１の端末機器に下りリンク制御情報ＤＣＩを送信する前に、前記端末機器が前記ＣＳＩ測定用のリソース配置情報に含まれた測定リソース配置指示情報によって前記Ｎ個の第１の測定リソース配置からＭ個の第１の測定リソース配置を決定し、そして前記Ｍ個の第１の測定リソース配置によって前記第１の端末機器のＣＳＩを測定する前記第１の測定リソースを決定するように、前記第１の端末機器にＮ個の第１の測定リソース配置を送信し、ここで、Ｍが１以上且つＮ以下の整数で、Ｎが１以上の整数とする。
【０１５１】
選択可能な実施例として、送信モジュール４１０はさらに、第１の端末機器から前記ＤＣＩによって送信された前記第１の端末機器のＣＳＩを受信する前に、前記複数の端末機器にＣＳＩのレポート回数情報及び／又はＣＳＩのレポート時間長さ情報を送信し、具体的には、受信モジュール４２０は、前記第１の端末機器から前記ＣＳＩのレポート回数情報及び／又は前記ＣＳＩのレポート時間長さ情報及び前記ＤＣＩによって送信された前記第１の端末機器のＣＳＩを受信する。
【０１５２】
選択可能な実施例として、前記ＣＳＩは、プレコーディングマトリックスインデックスＰＭＩ、ランクインデックスＲＩ、チャンネル品質インデックスＣＱＩの少なくとも１つを含む。
【０１５３】
図５に本発明の実施例に係るチャンネル状態情報の伝送装置５００を示す。例えば該装置５００は、方法２００における端末機器でもよく、該装置５００は、受信器５１０と、プロセッサ５２０と、送信器５３０と、メモリ５４０と、バスシステム５５０を含む。受信器５１０、プロセッサ５２０、送信器５３０及びメモリ５４０は、バスシステム５５０を介して接続され、該メモリ５４０は、コマンドを記憶し、該プロセッサ５２０は、該メモリ５４０に記憶されているコマンドを実行して、受信器５１０が信号を受信し、送信器５３０が信号を送信するよう制御する。
【０１５４】
ここで、受信器５１０は、ネットワーク機器から送信された下りリンク制御情報ＤＣＩを受信する。プロセッサ５２０は、前記ＤＣＩによってＣＳＩをレポートするか否かを決定する。送信器５３０は、前記プロセッサ５２０が前記ＣＳＩをレポートすると決定する場合、前記ネットワーク機器に前記装置のＣＳＩを送信する。
【０１５５】
理解されるように、具体的には、装置５００は、上記実施例に係る方法２００における端末機器であり、且つ端末機器に対応する各ステップ及び／又は流れを実行する。場合によっては、該メモリ５４０は、リードオンリーメモリ及びランダムアクセスメモリを含み、プロセッサにコマンド及びデータを提供する。メモリの一部はさらに、不揮発性ランダムアクセスメモリを含むことができる。例えば、メモリは、機器タイプの情報を記憶することもできる。該プロセッサ５２０は、メモリに記憶されているコマンドを実行し、且つ該プロセッサが該コマンドを実行するとき、上記方法５００の実施例において端末機器に対応する各ステップを実行することができる。
【０１５６】
図６に本発明の実施例に係るチャンネル状態情報の伝送装置６００を示す。例えば該装置６００は、方法１００におけるネットワーク機器でもよく、該装置６００は、受信器６１０と、プロセッサ６２０と、送信器６３０と、メモリ６４０と、バスシステム６５０を含む。受信器６１０、プロセッサ６２０、送信器６３０及びメモリ６４０は、バスシステム６５０を介して接続され、該メモリ６４０は、コマンドを記憶し、該プロセッサ６２０は、該メモリ６４０に記憶されているコマンドを実行して、受信器６１０が信号を受信し、送信器６３０が信号を送信するよう制御する。
【０１５７】
ここで、送信器６３０は、第１の端末機器に下りリンク制御情報ＤＣＩを送信する。受信器６１０は、前記第１の端末機器から前記ＤＣＩによって送信された前記第１の端末機器のＣＳＩを受信する。
【０１５８】
理解されるように、具体的には、装置６００は、上記実施例に係る方法１００におけるネットワーク機器であり、且つネットワーク機器に対応する各ステップ及び／又は流れを実行する。場合によっては、該メモリ６４０は、リードオンリーメモリ及びランダムアクセスメモリを含み、プロセッサにコマンド及びデータを提供する。メモリの一部はさらに、不揮発性ランダムアクセスメモリを含むことができる。例えば、メモリは、機器タイプの情報を記憶することもできる。該プロセッサ６２０は、メモリに記憶されているコマンドを実行し、且つ該プロセッサが該コマンドを実行するとき、上記方法１００の実施例においてネットワーク機器に対応する各ステップを実行することができる。
【０１５９】
理解されるように、本発明の実施例では、プロセッサ５２０及びプロセッサ６２０は、中央処理機器（Ｃｅｎｔｒａｌ  Ｐｒｏｃｅｓｓｉｎｇ  Ｕｎｉｔ、ＣＰＵ）でもよいが、さらにその他の汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）やその他のプログラミング可能な論理素子、個別ゲートやトランジスター論理素子、個別ハードウエアモジュールなどでもよい。汎用プロセッサは、マイクロ・プロセッサでもよいが、いかなる常規のプロセッサなどでもよい。
【０１６０】
理解されるように、本明細書に記載の用語の「及び／又は」は、関連対象の関連関係だけを述べるが、３種類の関係があることを示している。例えば、Ａ及び／又はＢは、Ａが単独で存在する場合、ＡとＢが同時に存在する場合、Ｂが単独で存在する場合という３つの状況を示している。また、本明細書では、「／」は普通に前後の関連対象が「又は」という関係にあることを示している。
【０１６１】
理解されるように、本発明の各実施例では、上記各プロセスの順番は、実行順序の前後を意味していないが、各プロセスの実行順序は、その機能及び内在の論理によって決定されるべきで、本発明の実施例の実施プロセスにいかなる限定を構成していないのである。
【０１６２】
当業者であれば理解できるように、ここにおいて開示される実施例と関係させて説明される様々な例示的なユニット及びアルゴリズムステップを参照し、電子ハードウェア、コンピュータソフトウェア又はこれらの組合せによって実現でき、これらの機能のハードウェア又はソフトウェアによる実現は、本技術的解決策の個別的な適用及び設計上の制限となる条件に依存する。当業者は、様々な方法を使用して、説明した機能を具体的な適用ごとに実現してもよいが、その実現は本発明の範囲を超えるとは考えるべきではない。
【０１６３】
当業者であれば明確に理解できるであろうが、説明の便宜上及び簡潔化のために、上記説明したシステム、装置及びユニットの具体的な動作過程は、前述した方法例の対応する過程を参照することができるため、ここでは説明を省略する。
【０１６４】
本発明が提供するいくつかの実施例において、理解すべきことは、開示されるシステム、装置及び方法は、他の形態で実現することができるということである。例えば、以上で説明した装置の実施例は例示的なものにすぎず、例えば、前記ユニットの区分は、論理的機能の区分にすぎず、実際に実施する際は他の区分方式を用いてもよく、例えば、複数のユニット又は構成要素は組み合わせても又は他のシステムに統合してもよく、又はいくつかの特徴は考慮しなくてもよく、又は実行しない。他方では、表示又は説明した相互間の結合又は直接結合又は通信接続はいくつかのインタフェースを介しても、装置又はユニットの間接結合又は通信接続でもよく、電気的、機械的又は他の形態でもよい。
【０１６５】
前記個別部材として説明したユニットは物理的に分けても、ユニットを現す部材として物理ユニットでも、又はそうでなくてもよく、すなわち１つの場所に位置しても、又は複数のネットワークユニットに配置してもよい。実際の要件に基づき、そのうちの一部又は全てのユニットを選択することで本実施例の態様の目的を達成することができる。
【０１６６】
また、本発明の各実施例における各機能ユニットは１つの処理ユニットに統合しても、各ユニットが単独で物理的に存在しても、２個又は２個以上のユニットを１つのユニットに統合してもよい。
【０１６７】
前記機能は、ソフトウェア機能ユニットの形式で実現し、且つ独立した製品として販売又は使用する際、１つのコンピュータ読み取り可能な記憶媒体に記憶させることができる。本発明の技術的解決手段は本質的に、従来技術に対する貢献部分を、又は技術的解決手段の一部を、ソフトウェア製品の形式で示すことができるという理解に基づき、該コンピュータソフトウェア製品は、１つの記憶媒体に記憶され、それは１台のコンピュータ機器（パーソナルコンピュータ、サーバー、又はネットワーク機器など）が、本発明の各実施例における方法のステップの全て又は一部を実行するための複数のコマンドを含む。前述した記憶媒体は、ＵＳＢメモリ、モバイルハードディスク、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスクなどのプロクラムコードを記憶できる種々の媒体を含む。
【０１６８】
以上に記述されたのは、本発明の具体的な実施形態だけであり、本発明の範囲はこれに限定されるものではなく、当業者であれば本発明に開示された技術的範囲内で、想到し得る変更又は置換は、いずれも本発明の範囲に属する。従って、本発明の保護範囲は特許請求の保護範囲に準じるものとする。
【手続補正２】
【補正対象書類名】特許請求の範囲
【補正対象項目名】全文
【補正方法】変更
【補正の内容】
【特許請求の範囲】
【請求項１】
チャンネル状態情報ＣＳＩの伝送方法であって、
第１の端末機器がネットワーク機器から送信された下りリンク制御情報ＤＣＩを受信することと、
前記第１の端末機器が前記ＤＣＩによってＣＳＩをレポートするか否かを決定することと、
前記第１の端末機器がＣＳＩをレポートすると決定する場合、前記第１の端末機器が前記ネットワーク機器に前記第１の端末機器のＣＳＩを送信することと、
を含むことを特徴とするチャンネル状態情報ＣＳＩの伝送方法。
【請求項２】
前記ＤＣＩは、
前記第１の端末機器を含む複数の端末機器における各端末機器がＣＳＩをレポートするか否かを指示するためのビットを含むＣＳＩレポート用のトリガービットシーケンス、
前記第１の端末機器がＣＳＩをレポートする回数を指示するためのＣＳＩのレポート回数情報、
前記第１の端末機器がＣＳＩをレポートする持続時間長さを指示するためのＣＳＩのレポート時間長さ情報、
前記第１の端末機器がＣＳＩをレポートするための物理リソースを指示するためのＣＳＩレポート用の物理リソース配置情報、
前記第１の端末機器がＣＳＩを測定するためのリソースを指示するためのＣＳＩ測定用のリソース配置情報、
前記第１の端末機器がＣＳＩをレポートするための変調符号化方式を指示するためのＣＳＩ伝送用の変調符号化方式ＭＣＳ指示情報、
前記ネットワーク機器から前記第１の端末機器に下りリンクデータを送信するための伝送方式を指示するための伝送方式仮定情報、
前記第１の端末機器がＣＳＩをレポートするタイプを指示するためのＣＳＩのレポートタイプ情報、
前記第１の端末機器がＣＳＩを測定及びレポートするためのコードブックを指示するためのコードブック指示情報、
前記第１の端末機器がＣＳＩを測定及びレポートするためのコードワードを指示するためのコードブックサブセット制約情報
の少なくとも１つを含むことを特徴とする請求項１に記載の方法。
【請求項３】
前記第１の端末機器がネットワーク機器から送信されたＤＣＩを受信する前に、前記方法はさらに、
前記第１の端末機器が前記ネットワーク機器から送信されたグループ識別子Ｇｒｏｕｐ  ＩＤ又はグループＣＳＩ無線ネットワーク臨時識別子Ｇｒｏｕｐ−ＣＳＩ−ＲＮＴＩを受信することを含み、
前記第１の端末機器が前記ネットワーク機器から送信された前記ＤＣＩを受信することは、
前記第１の端末機器が前記Ｇｒｏｕｐ  ＩＤ又は前記Ｇｒｏｕｐ−ＣＳＩ−ＲＮＴＩによって前記ネットワーク機器から送信された前記ＤＣＩを受信することを含む
ことを特徴とする請求項２に記載の方法。
【請求項４】
前記ＤＣＩは前記ＣＳＩレポート用のトリガービットシーケンスを含み、
前記第１の端末機器が前記ＤＣＩによってＣＳＩをレポートするか否かを決定する前に、前記方法はさらに、
前記第１の端末機器がネットワーク機器から送信された、前記第１の端末機器に対応するＣＳＩレポート用のトリガービットの、前記ＣＳＩレポート用のトリガービットシーケンスにおける位置を指示するための前記第１の端末機器のインデックス情報を受信することを含み、
前記第１の端末機器が前記ＤＣＩによってＣＳＩをレポートするか否かを決定することは、
前記第１の端末機器が前記第１の端末機器のインデックス情報によって前記第１の端末機器に対応するＣＳＩレポート用のトリガービットを決定することと、
前記第１の端末機器が前記第１の端末機器に対応するＣＳＩレポート用のトリガービットによってＣＳＩをレポートするか否かを決定することと、
を含むことを特徴とする請求項２または３に記載の方法。
【請求項５】
前記ＤＣＩはＣＳＩをレポートするためのＭＣＳ指示情報を含み、
前記第１の端末機器が前記ネットワーク機器に前記第１の端末機器のＣＳＩを送信する前に、前記方法はさらに、
前記第１の端末機器がＣＳＩをレポートするためのＭＣＳ指示情報によってＣＳＩをレポートするための変調符号化方式を決定することを含み、
前記第１の端末機器が前記ネットワーク機器に前記第１の端末機器のＣＳＩを送信することは、
前記第１の端末機器がＣＳＩをレポートするためのＭＣＳによって前記ネットワーク機器に前記第１の端末機器のＣＳＩを送信することを含む
ことを特徴とする請求項２乃至４のいずれか１項に記載の方法。
【請求項６】
前記ＤＣＩは前記ＣＳＩレポート用の物理リソース配置情報を含み、
前記第１の端末機器が前記ネットワーク機器に前記第１の端末機器のＣＳＩを送信する前に、前記方法はさらに、
前記第１の端末機器が前記ＣＳＩレポート用の物理リソース配置情報によって前記第１の端末機器のＣＳＩをレポートする第１のレポートリソースを決定することを含み、
前記第１の端末機器が前記ネットワーク機器に前記第１の端末機器のＣＳＩを送信することは、
前記第１の端末機器が前記第１のレポートリソースで前記ネットワーク機器に前記第１の端末機器のＣＳＩを送信することを含む
ことを特徴とする請求項２乃至５のいずれか１項に記載の方法。
【請求項７】
前記第１の端末機器が前記ＣＳＩレポート用の物理リソース配置情報によって前記第１の端末機器のＣＳＩをレポートする第１のレポートリソースを決定することは、
前記第１の端末機器が前記ＣＳＩレポート用の物理リソース配置情報によって前記第１の端末機器のＣＳＩを送信する第１のリソースエリアを決定することと、
前記第１の端末機器が前記第１のリソースエリアのリソースで前記第１の端末機器のＣＳＩを送信する前記第１のレポートリソースを決定することと、
を含むことを特徴とする請求項６に記載の方法。
【請求項８】
一つ目の場合において、
前記第１の端末機器が前記第１のリソースエリアのリソースで前記第１の端末機器のＣＳＩを送信する前記第１のレポートリソースを決定することは、
前記第１の端末機器が前記第１のリソースエリアの全てのリソースを前記第１のレポートリソースとして決定すること、
或いは、
前記第１の端末機器が前記第１のリソースエリアでランダムに複数の物理リソースを選んで前記第１のレポートリソースとして決定すること
を含み、
或いは、
二つ目の場合において
前記第１の端末機器が前記第１のリソースエリアのリソースで前記第１の端末機器のＣＳＩを送信する前記第１のレポートリソースを決定する前に、前記方法はさらに、
前記第１の端末機器が前記ネットワーク機器から送信された、前記第１の端末機器のＣＳＩを送信するリソースの位置を指示するための物理リソースインデックスを受信することを含み、
前記第１の端末機器が前記第１のリソースエリアのリソースで前記第１の端末機器のＣＳＩを送信する前記第１のレポートリソースを決定することは、
前記第１の端末機器が前記物理リソースインデックスによって前記第１のリソースエリアのリソースで前記第１の端末機器のＣＳＩを送信する前記第１のレポートリソースを決定することを含み、
或いは、
三つ目の場合において、
前記第１の端末機器が前記第１のリソースエリアのリソースで前記第１の端末機器のＣＳＩを送信する前記第１のレポートリソースを決定する前に、前記方法はさらに、
前記第１の端末機器が前記ネットワーク機器から送信された、前記第１の端末機器の、ＣＳＩをレポートする端末機器における位置情報を指示するための前記第１の端末機器のインデックスを受信することを含み、
前記第１の端末機器が前記第１のリソースエリアのリソースで前記第１の端末機器のＣＳＩを送信する前記第１のレポートリソースを決定することは、
前記第１の端末機器が前記第１の端末機器のインデックスによって前記第１のリソースエリアのリソースで前記第１の端末機器のＣＳＩを送信する前記第１のレポートリソースを決定することを含み、
或いは、
四つ目の場合において、
前記第１の端末機器が前記第１のリソースエリアのリソースで前記第１の端末機器のＣＳＩを送信する前記第１のレポートリソースを決定することは、
前記第１の端末機器が前記第１の端末機器のＣＳＩレポート用のＭＣＳ及び前記第１の端末機器のＣＳＩに占められるビットによってＣＳＩレポート用の物理リソースのサイズを算出することと、
前記第１の端末機器が算出したＣＳＩレポート用の物理リソースのサイズによって前記第１のリソースエリアのリソースから前記第１の端末機器のＣＳＩを送信する前記第１のレポートリソースを決定することと、
を含むことを特徴とする請求項７に記載の方法。
【請求項９】
前記第１の端末機器が前記ＤＣＩによって前記ネットワーク機器に前記第１の端末機器のＣＳＩを送信する前に、前記方法はさらに、
前記第１の端末機器が前記第１の端末機器のＣＳＩを測定することを含む
ことを特徴とする請求項２乃至８のいずれか１項に記載の方法。
【請求項１０】
前記ＤＣＩはＣＳＩ測定用のリソース配置情報を含み、
前記第１の端末機器が前記第１の端末機器のＣＳＩを測定することは、
前記第１の端末機器が前記ＣＳＩ測定用のリソース配置情報によって前記第１の端末機器のＣＳＩを測定する第１の測定リソースを決定することと、
前記第１の端末機器が前記第１の測定リソースによって前記第１の端末機器のＣＳＩを測定することと、
を含み、
前記第１の端末機器が前記ＣＳＩ測定用のリソース配置情報によって前記第１の端末機器のＣＳＩを測定する第１の測定リソースを決定することは、
前記端末機器がＣＳＩ測定用のリソース配置情報に含まれた第１の測定リソース配置によって前記第１の端末機器のＣＳＩを測定する前記第１の測定リソースを決定することを含む
ことを特徴とする請求項９に記載の方法。
【請求項１１】
前記ＤＣＩは、前記伝送方式仮定情報、前記ＣＳＩのレポートタイプ情報、前記コードブック指示情報、および前記コードブックサブセット制約情報の少なくとも一つを含み、
前記ＤＣＩは前記伝送方式仮定情報を含む場合、
前記第１の端末機器が前記第１の端末機器のＣＳＩを測定することは、
前記第１の端末機器が前記伝送方式仮定情報によって前記ネットワーク機器が下りリンクデータを送信するための伝送方式を決定することと、
前記ネットワーク機器が下りリンクデータを送信するための伝送方式に基づき、前記第１の端末機器が前記第１の端末機器のＣＳＩを測定することと、
を含み、
前記ＤＣＩは前記ＣＳＩのレポートタイプ情報を含む場合、
前記第１の端末機器が前記第１の端末機器のＣＳＩを測定することは、
前記第１の端末機器が前記ＣＳＩのレポートタイプ情報によってネットワーク機器に送信する前記第１の端末機器のＣＳＩのタイプを決定することと、
前記第１の端末機器が前記第１の端末機器のＣＳＩのタイプに基づいて前記第１の端末機器のＣＳＩを測定することと、
を含み、
前記ＤＣＩは前記コードブック指示情報を含む、
前記第１の端末機器が前記第１の端末機器のＣＳＩを測定することは、
前記第１の端末機器が前記コードブック指示情報によって前記第１の端末機器のＣＳＩを測定するためのコードブックを決定することと、
前記第１の端末機器が前記第１の端末機器のＣＳＩを測定するためのコードブックによって前記第１の端末機器のＣＳＩを測定することと、を含み、
前記第１の端末機器が前記ネットワーク機器に前記第１の端末機器のＣＳＩを送信することは、
前記第１の端末機器が前記第１の端末機器のＣＳＩを測定するためのコードブックによって前記ネットワーク機器に前記第１の端末機器のＣＳＩを送信することを含み、
前記ＤＣＩは前記コードブックサブセット制約情報を含む場合、
前記第１の端末機器が前記第１の端末機器のＣＳＩを測定することは、
前記第１の端末機器が前記コードブックサブセット制約情報によって前記第１の端末機器のＣＳＩを測定するためのコードワードを決定することと、
前記第１の端末機器が前記第１の端末機器のＣＳＩを測定するためのコードワードによって前記第１の端末機器のＣＳＩを測定することと、
を含み、
前記第１の端末機器が前記ネットワーク機器に前記第１の端末機器のＣＳＩを送信することは、
前記第１の端末機器が前記第１の端末機器のＣＳＩを測定するためのコードワードによって前記ネットワーク機器に前記第１の端末機器のＣＳＩを送信することを含む
ことを特徴とする請求項９または１０に記載の方法。
【請求項１２】
前記第１の端末機器が前記ＤＣＩによって前記ネットワーク機器に前記第１の端末機器のＣＳＩを送信する前に、前記方法はさらに、
前記第１の端末機器が前記ネットワーク機器から送信されたＣＳＩのレポート回数情報及び／又はＣＳＩのレポート時間長さ情報を受信することを含み、
前記第１の端末機器が前記ネットワーク機器に前記第１の端末機器のＣＳＩを送信することは、
前記第１の端末機器が前記ＣＳＩのレポート回数情報及び／又はＣＳＩのレポート時間長さ情報によってＣＳＩのレポート回数及び／又はＣＳＩのレポート時間長さを決定することと、
前記第１の端末機器が前記ＣＳＩのレポート回数及び／又は前記ＣＳＩのレポート時間長さによって前記ネットワーク機器に前記第１の端末機器のＣＳＩを送信することと、
を含むことを特徴とする請求項１乃至１１のいずれか１項に記載の方法。
【請求項１３】
チャンネル状態情報ＣＳＩの伝送方法であって、
ネットワーク機器が第１の端末機器に下りリンク制御情報ＤＣＩを送信することと、
前記ネットワーク機器が前記第１の端末機器から前記ＤＣＩによって送信された前記第１の端末機器のＣＳＩを受信することと、
を含み、
前記ＤＣＩは、前記第１の端末機器を含む複数の端末機器における各端末機器がＣＳＩをレポートするか否かを指示することに用いられる
ことを特徴とするチャンネル状態情報ＣＳＩの伝送方法。
【請求項１４】
前記ＤＣＩは、
前記第１の端末機器を含む複数の端末機器における各端末機器がＣＳＩをレポートするか否かを指示するためのビットを含むＣＳＩレポート用のトリガービットシーケンス、
前記複数の端末機器のうちＣＳＩをレポートする端末機器がＣＳＩをレポートする回数を指示するためのＣＳＩのレポート回数情報、
前記複数の端末機器のうちＣＳＩをレポートする端末機器がＣＳＩをレポートする持続時間長さを指示するためのＣＳＩのレポート時間長さ情報、
前記複数の端末機器のうちＣＳＩをレポートする端末機器がＣＳＩをレポートするための物理リソースを指示するためのＣＳＩレポート用の物理リソース配置情報、
前記複数の端末機器のうちＣＳＩをレポートする端末機器がＣＳＩを測定するためのリソースを指示するためのＣＳＩ測定用のリソース配置情報、
前記複数の端末機器のうちＣＳＩをレポートする端末機器がＣＳＩをレポートするための変調符号化方式を指示するためのＣＳＩ伝送用の変調符号化方式ＭＣＳ指示情報、
前記ネットワーク機器から前記複数の端末機器のうちＣＳＩをレポートする端末機器に下りリンクデータを送信するための伝送方式を指示するための伝送方式仮定情報、
前記複数の端末機器のうちＣＳＩをレポートする端末機器がＣＳＩをレポートするタイプを指示するためのＣＳＩのレポートタイプ情報、
前記複数の端末機器のうちＣＳＩをレポートする端末機器がＣＳＩを測定及びレポートするためのコードブックを指示するためのコードブック指示情報、
前記複数の端末機器のうちＣＳＩをレポートする端末機器がＣＳＩを測定及びレポートするためのコードワードを指示するためのコードブックサブセット制約情報の少なくとも１つを含むことを特徴とする請求項１３に記載の方法。
【請求項１５】
チャンネル状態情報ＣＳＩの伝送装置であって、
メモリ、プロセッサ、および前記メモリに格納されて前記プロセッサで実行きでるコンピュータプログラムを含み、
前記プロセッサは、前記コンピュータプログラムを実行する時、請求項１〜１２のいずれか１項に記載の方法を実行できるように構成される
ことを特徴とするチャンネル状態情報ＣＳＩの伝送装置。
【国際調査報告】
2019533926.tif 000009
2019533926.tif 000010
2019533926.tif 000011
2019533926.tif 000012